(57)【要約】  本発明の実施形態は、リソース管理方法および関連デバイスを提供する。リソース管理方法は、UEにより、基地局によって送信された、リソースを解放するためのシグナリングを受信するステップであって、リソースを解放するためのシグナリングがリソース位置の情報を示す、ステップと、リソース位置の情報に基づいて、ネットワーク側によってUEにすでに割り当てられた割当てリソースの中のリソース位置の情報に対応する時間周波数リソースを特定し、次いで、時間周波数リソースを解放するステップとを含む。UEは、基地局の指示に基づいて、割当てリソースのうちのいくつかを解放することができる。本発明の実施形態によれば、リソース占有重複によって引き起こされる干渉を効果的に低減することができ、データ送信の信頼性を向上させることができる。
2019510431.tif 000002
【特許請求の範囲】
【請求項１】
リソース管理方法であって、
ユーザ端末UEにより、基地局によって送信された、リソースを解放するためのシグナリングを受信するステップであって、リソースを解放するための前記シグナリングがリソース位置の情報を示す、ステップと、
前記UEにより、リソース位置の前記情報に基づいて、ネットワーク側によって前記UEにすでに割り当てられた割当てリソースの中のリソース位置の前記情報に対応する時間周波数リソースを特定し、前記時間周波数リソースを解放するステップと
を備える、リソース管理方法。
【請求項２】
リソース位置の前記情報が、時間領域内の位置の情報、周波数領域内の位置の情報、キャリアインジケータ、ビームインジケータ、およびコードリソースインジケータのうちの少なくとも1つを備える、請求項1に記載の方法。
【請求項３】
リソース位置の前記情報が時間領域内の位置の前記情報および周波数領域内の位置の前記情報を備える場合、前記UEにより、リソース位置の前記情報に基づいて、ネットワーク側によって前記UEにすでに割り当てられた割当てリソースの中のリソース位置の前記情報に対応する時間周波数リソースを特定し、前記時間周波数リソースを解放する前記ステップが、
前記UEにより、時間領域内の位置の前記情報および周波数領域内の位置の前記情報に基づいて、前記ネットワーク側によって前記UEにすでに割り当てられた前記割当てリソースの中の時間領域内の位置の前記情報に対応する対象時間期間および周波数領域内の位置の前記情報に対応する対象周波数を特定するステップと、
前記UEにより、前記対象時間期間および前記対象周波数から構成される前記時間周波数リソースを解放するステップと
を備える、請求項2に記載の方法。
【請求項４】
前記ネットワーク側によって前記UEにすでに割り当てられた前記割当てリソースが時間および周波数を備え、リソース位置の前記情報が時間領域内の位置の前記情報を備える場合、前記UEにより、リソース位置の前記情報に基づいて、ネットワーク側によって前記UEにすでに割り当てられた割当てリソースの中のリソース位置の前記情報に対応する時間周波数リソースを特定し、前記時間周波数リソースを解放する前記ステップが、
前記UEにより、時間領域内の位置の前記情報に基づいて、前記割当てリソースの中の時間領域内の位置の前記情報に対応する対象時間期間を特定し、前記対象時間期間内に前記UEに割り当てられた各周波数を対象周波数として特定するステップと、
前記UEにより、前記対象時間期間および前記対象周波数から構成される前記時間周波数リソースを解放するステップと
を備える、請求項2に記載の方法。
【請求項５】
リソース位置の前記情報が周波数領域内の位置の前記情報を備える場合、ユーザ機器UEにより、基地局によって送信された、リソースを解放するためのシグナリングを受信する前記ステップの前に、前記方法が、
前記UEにより、前記基地局によって送信された無線リソース制御RRCシグナリングを受信するステップであって、前記RRCシグナリングが事前設定された時間長を搬送する、ステップ、または前記UEと前記基地局との間の通信プロトコルに従って、事前設定された時間長を取得するステップ
をさらに備え、
前記UEにより、リソース位置の前記情報に基づいて、ネットワーク側によって前記UEにすでに割り当てられた割当てリソースの中のリソース位置の前記情報に対応する時間周波数リソースを特定し、前記時間周波数リソースを解放する前記ステップが、
前記UEにより、前記事前設定された時間長および周波数領域内の位置の前記情報に基づいて、前記ネットワーク側によって前記UEにすでに割り当てられた前記割当てリソースの中の前記事前設定された時間長の対象時間期間および周波数領域内の位置の前記情報に対応する対象周波数を特定するステップと、
前記UEにより、前記対象時間期間および前記対象周波数から構成される前記時間周波数リソースを解放するステップと
を備える、
請求項2に記載の方法。
【請求項６】
時間領域内の位置の前記情報が、直交周波数分割多重OFDMシンボルの数、送信時間間隔TTIの数、およびTTIの長さのうちの少なくとも1つを備える、
請求項3または4に記載の方法。
【請求項７】
前記ネットワーク側によって前記UEにすでに割り当てられた前記割当てリソースがK個のbundlingTTIを備え、前記K個のbundlingTTIが、同じデータブロックまたはK個のデータブロックのK個の冗長バージョンRVを搬送するために使用され、前記対象周波数が、前記K個のbundlingTTI内の対象TTI内で前記UEに割り当てられた周波数の一部またはすべてであり、Kが1より大きい整数である、請求項1から5のいずれか一項に記載の方法。
【請求項８】
前記方法が、
前記UEにより、前記対象TTIの解放部分をパンクチャし、新しいレートマッチングパラメータを使用して前記対象TTIの非解放部分で、前記対象TTI内で搬送されるRVもしくはデータブロックを送受信するか、または新しいトランスポートブロックサイズTBSを使用して前記非解放部分で、前記対象TTI内で搬送されるデータブロックを送受信するステップ
をさらに備える、請求項7に記載の方法。
【請求項９】
前記方法が、
前記UEにより、前記対象TTIの後の次に利用可能なTTI内で、前記対象TTI内で搬送されるRVまたはデータブロックを送受信するステップ
をさらに備える、請求項8に記載の方法。
【請求項１０】
前記方法が、
前記UEにより、前記K個のbundlingTTIの後の次に利用可能なTTI内で、前記K個のRVのうちの最後のRVまたは前記K個のデータブロックのうちの最後のデータブロックを送受信するステップ
をさらに備える、請求項9に記載の方法。
【請求項１１】
前記ネットワーク側によって前記UEにすでに割り当てられた前記割当てリソースが、半永続的スケジューリングSPSリソースを備え、前記対象周波数が、前記SPSリソースの中の対象TTI内で前記UEに割り当てられた周波数の一部またはすべてである、
請求項1から5のいずれか一項に記載の方法。
【請求項１２】
前記方法が、
前記UEにより、前記対象TTIの解放部分をパンクチャし、新しいレートマッチングパラメータを使用して前記対象TTIの非解放部分で、前記対象TTI内で搬送されるデータブロックを送受信するか、または新しいTBSを使用して前記非解放部分で、前記対象TTI内で搬送されるデータブロックを送受信するステップ
をさらに備える、請求項11に記載の方法。
【請求項１３】
ユーザ機器UEにより、基地局によって送信された、リソースを解放するためのシグナリングを受信する前記ステップの前に、前記方法が、
前記UEにより、前記割当てリソースが事前設定された第1の時間周波数リソースと重複するかどうかに基づいて、リソースを解放するための前記シグナリングを受信するべきかどうかを判定するステップと、
前記UEにより、前記割当てリソースが前記第1の時間周波数リソースと重複する場合、リソースを解放するための前記シグナリングを受信するステップ、または
前記UEにより、前記割当てリソースが前記第1の時間周波数リソースと重複しない場合、リソースを解放するための前記シグナリングを受信することをスキップするステップと
をさらに備え、
前記第1の時間周波数リソースが、前記基地局が解放できるリソースである、
請求項1から12のいずれか一項に記載の方法。
【請求項１４】
リソースを解放するための前記シグナリングの送信時点が、前記時間周波数リソースが位置する時間期間内に位置するか、
リソースを解放するための前記シグナリングの送信時点が、前記割当てリソースが位置する時間期間内に位置するか、または
リソースを解放するための前記シグナリングの送信時点が、前記割当てリソースが位置する時間期間の後に位置する、
請求項13に記載の方法。
【請求項１５】
リソースを解放するための前記シグナリングの前記送信時点が、前記時間周波数リソースが位置する前記時間期間内に位置し、リソースを解放するための前記シグナリングを前記UEが受信する時点が、前記基地局によって送信された、リソースをスケジュールするための第1のシグナリングを前記UEが受信する時点の後に位置し、リソースを解放するための前記シグナリングが受信される前記時点とリソースをスケジュールするための前記第1のシグナリングが受信される前記時点との間に第1の時間間隔が存在し、リソースをスケジュールするための前記第1のシグナリングが、前記ネットワーク側によってすでに割り当てられた前記割当てリソースを示す、請求項14に記載の方法。
【請求項１６】
リソースをスケジュールするための前記第1のシグナリングが、前記第1の時間間隔内で時間周波数リソースを解放するために使用されるリソース位置の情報をさらに示す、
請求項15に記載の方法。
【請求項１７】
前記方法が
前記UEにより、前記基地局によって送信された、リソースをスケジュールするための第2のシグナリングを受信するステップであって、リソースをスケジュールするための前記第2のシグナリングが、データ再送中にUEセットによって使用される時間周波数リソースを示し、前記UEセットが少なくとも前記UEを備える、ステップと、
前記UEにより、リソースをスケジュールするための前記第2のシグナリング、前記時間周波数リソース、および前記割当てリソースに基づいて、第2の時間周波数リソースを特定するステップと、
前記UEにより、前記第2の時間周波数リソース上で搬送され、前記基地局によって再送されたデータ内にあるデータを受信するステップと
をさらに備える、請求項1から16のいずれか一項に記載の方法。
【請求項１８】
リソースを解放するための前記シグナリングを前記UEが受信する前記時点およびリソースをスケジュールするための前記第2のシグナリングを前記UEが受信する時点が、同じ時間期間内にあるか、または
リソースをスケジュールするための前記第2のシグナリングを前記UEが受信する前記時点が、リソースを解放するための前記シグナリングを前記UEが受信する前記時点の後に位置する、
請求項17に記載の方法。
【請求項１９】
前記第2の時間周波数リソースが、前記データ再送中に前記UEセットによって使用される前記時間周波数リソースの少なくとも一部である、
請求項17または18に記載の方法。
【請求項２０】
前記データ再送中に前記UEセットによって使用される前記時間周波数リソース上で搬送されるデータが、前記時間周波数リソース上で前記UEに送信されるようにあらかじめ決められたデータを備える、
請求項17から19のいずれか一項に記載の方法。
【請求項２１】
リソース管理方法であって、
ユーザ機器UEにより、事前設定された時間長を取得するステップと、
前記UEにより、基地局によって送信された、リソースを解放するためのシグナリングを受信するステップであって、リソースを解放するための前記シグナリングが、リソース解放を実行するように前記UEに指示するために使用される、ステップと、
前記UEにより、前記事前設定された時間長に基づいて、ネットワーク側によって前記UEにすでに割り当てられた割当てリソースの中の前記事前設定された時間長の対象時間期間を特定し、前記対象時間期間内に前記UEに割り当てられた各周波数を対象周波数として特定するステップと、
前記UEにより、前記対象時間期間および前記対象周波数を解放するステップと
を備える、方法。
【請求項２２】
UEにより、事前設定された時間長を取得する前記ステップが、
前記UEにより、前記基地局によって送信されたRRCシグナリングを受信するステップであって、前記RRCシグナリングが前記事前設定された時間長を搬送する、ステップ、または
前記UEにより、前記UEと前記基地局との間の通信プロトコルに従って、前記事前設定された時間長を獲得するステップ
を備える、請求項21に記載の方法。
【請求項２３】
ユーザ機器UEにより、基地局によって送信された、リソースを解放するためのシグナリングを受信する前記ステップの前に、前記方法が、
前記UEにより、前記割当てリソースが事前設定された第1の時間周波数リソースと重複するかどうかに基づいて、リソースを解放するための前記シグナリングを受信するべきかどうかを判定するステップと、
前記UEにより、前記割当てリソースが前記第1の時間周波数リソースと重複する場合、リソースを解放するための前記シグナリングを受信するステップ、または
前記UEにより、前記割当てリソースが前記第1の時間周波数リソースと重複しない場合、リソースを解放するための前記シグナリングを受信することをスキップするステップと
をさらに備え、
前記第1の時間周波数リソースが、前記基地局が解放できるリソースである、
請求項21または22に記載の方法。
【請求項２４】
リソースを解放するための前記シグナリングの送信時点が、前記対象時間期間が位置する時間期間内に位置するか、
リソースを解放するための前記シグナリングの送信時点が、前記割当てリソースが位置する時間期間内に位置するか、または
リソースを解放するための前記シグナリングの送信時点が、前記割当てリソースが位置する時間期間の後に位置する、
請求項23に記載の方法。
【請求項２５】
リソースを解放するための前記シグナリングの前記送信時点が、前記対象時間期間が位置する前記時間期間内に位置し、リソースを解放するための前記シグナリングを前記UEが受信する時点が、前記基地局によって送信された、リソースをスケジュールするための第1のシグナリングを前記UEが受信する時点の後に位置し、リソースを解放するための前記シグナリングが受信される前記時点とリソースをスケジュールするための前記第1のシグナリングが受信される前記時点との間に第1の時間間隔が存在し、リソースをスケジュールするための前記第1のシグナリングが、前記ネットワーク側によってすでに割り当てられた前記割当てリソースを示す、請求項24に記載の方法。
【請求項２６】
リソースをスケジュールするための前記第1のシグナリングが、前記第1の時間間隔内で時間周波数リソースを解放するために使用されるリソース位置の情報をさらに示す、
請求項25に記載の方法。
【請求項２７】
前記方法が
前記UEにより、前記基地局によって送信された、リソースをスケジュールするための第2のシグナリングを受信するステップであって、リソースをスケジュールするための前記第2のシグナリングが、データ再送中にUEセットによって使用される時間周波数リソースを示し、前記UEセットが少なくとも前記UEを備える、ステップと、
前記UEにより、リソースをスケジュールするための前記第2のシグナリング、前記対象時間期間、前記対象周波数、および前記割当てリソースに基づいて、第2の時間周波数リソースを特定するステップと、
前記UEにより、前記第2の時間周波数リソース上で搬送され、前記基地局によって再送されたデータ内にあるデータを受信するステップと
をさらに備える、請求項21から26のいずれか一項に記載の方法。
【請求項２８】
リソースを解放するための前記シグナリングを前記UEが受信する前記時点およびリソースをスケジュールするための前記第2のシグナリングを前記UEが受信する時点が、同じ時間期間内にあるか、または
リソースをスケジュールするための前記第2のシグナリングを前記UEが受信する前記時点が、リソースを解放するための前記シグナリングを前記UEが受信する前記時点の後に位置する、
請求項27に記載の方法。
【請求項２９】
前記第2の時間周波数リソースが、前記データ再送中に前記UEセットによって使用される前記時間周波数リソースの少なくとも一部である、
請求項27または28に記載の方法。
【請求項３０】
前記データ再送中に前記UEセットによって使用される前記時間周波数リソース上で搬送されるデータが、前記対象時間期間および前記対象周波数上で前記UEに送信されるようにあらかじめ決められたデータを備える、
請求項27から29のいずれか一項に記載の方法。
【請求項３１】
リソース管理方法であって、
基地局により、リソース位置の情報を示すリソースを解放するためのシグナリングを少なくとも1つのUEに送信するステップであって、リソースを解放するための前記シグナリングが、リソース位置の前記情報に基づいて、ネットワーク側によって前記少なくとも1つのUEにすでに割り当てられた割当てリソースの中のリソース位置の前記情報に対応する時間周波数リソースを特定し、前記時間周波数リソースを解放するように前記少なくとも1つのUEに指示するために使用される、ステップ
を備える、方法。
【請求項３２】
リソース位置の前記情報が、時間領域内の位置の情報、周波数領域内の位置の情報、キャリアインジケータ、ビームインジケータ、およびコードリソースインジケータのうちの少なくとも1つを備える、請求項31に記載の方法。
【請求項３３】
リソースを解放するための前記シグナリングの送信時点が、前記時間周波数リソースが位置する時間期間内に位置するか、
リソースを解放するための前記シグナリングの送信時点が、前記割当てリソースが位置する時間期間内に位置するか、または
リソースを解放するための前記シグナリングの送信時点が、前記割当てリソースが位置する時間期間の後に位置する、
請求項31または32に記載の方法。
【請求項３４】
前記方法が、
前記基地局により、リソースをスケジュールするための第2のシグナリングを前記少なくとも1つのUEに送信するステップであって、リソースをスケジュールするための前記第2のシグナリングが、データ再送中にUEセットによって使用される時間周波数リソースを示し、前記UEセットが前記少なくとも1つのUEを備え、リソースをスケジュールするための前記第2のシグナリング、前記時間周波数リソース、および前記割当てリソースに基づいて、第2の時間周波数リソースを特定するように前記少なくとも1つのUEに指示する、ステップと、
前記基地局により、前記UEセットにデータを再送するステップであって、その結果、前記少なくとも1つのUEが、前記第2の時間周波数リソース上で搬送され、前記基地局によって再送された前記データ内にあるデータを受信する、ステップと
をさらに備える、請求項31から33のいずれか一項に記載の方法。
【請求項３５】
前記第2の時間周波数リソースが、前記データ再送中に前記UEセットによって使用される前記時間周波数リソースの少なくとも一部である、
請求項34に記載の方法。
【請求項３６】
前記データ再送中に前記UEセットによって使用される前記時間周波数リソース上で搬送されるデータが、前記時間周波数リソース上で前記少なくとも1つのUEに送信されるようにあらかじめ決められたデータを備える、
請求項34または35に記載の方法。
【請求項３７】
リソース管理方法であって、
基地局により、少なくとも1つのUEにRRCシグナリングを送信するステップであって、前記RRCシグナリングが事前設定された時間長を搬送する、ステップと、
前記基地局により、前記少なくとも1つのUEにリソースを解放するためのシグナリングを送信するステップであって、リソースを解放するための前記シグナリングが、前記事前設定された時間長に基づいて、ネットワーク側によって前記少なくとも1つのUEにすでに割り当てられた割当てリソースの中の前記事前設定された時間長の対象時間期間を特定し、前記対象時間期間内に前記少なくとも1つのUEに割り当てられた各周波数を対象周波数として特定し、前記対象時間期間および前記対象周波数を解放するように、前記少なくとも1つのUEに指示するために使用される、ステップと
を備える、方法。
【請求項３８】
リソースを解放するための前記シグナリングの送信時点が、前記対象時間期間が位置する時間期間内に位置するか、
リソースを解放するための前記シグナリングの送信時点が、前記割当てリソースが位置する時間期間内に位置するか、または
リソースを解放するための前記シグナリングの送信時点が、前記割当てリソースが位置する時間期間の後に位置する、
請求項37に記載の方法。
【請求項３９】
前記方法が、
前記基地局により、リソースをスケジュールするための第2のシグナリングを前記少なくとも1つのUEに送信するステップであって、リソースをスケジュールするための前記第2のシグナリングが、データ再送中にUEセットによって使用される時間周波数リソースを示し、前記UEセットが前記少なくとも1つのUEを備え、リソースをスケジュールするための前記第2のシグナリング、前記対象時間期間、前記対象周波数、および前記割当てリソースに基づいて、第2の時間周波数リソースを特定するように前記少なくとも1つのUEに指示する、ステップと、
前記基地局により、前記UEセットにデータを再送するステップであって、その結果、前記少なくとも1つのUEが、前記第2の時間周波数リソース上で搬送され、前記基地局によって再送された前記データ内にあるデータを受信する、ステップと
をさらに備える、請求項37または38に記載の方法。
【請求項４０】
前記第2の時間周波数リソースが、前記データ再送中に前記UEセットによって使用される前記時間周波数リソースの少なくとも一部である、
請求項39に記載の方法。
【請求項４１】
前記データ再送中に前記UEセットによって使用される前記時間周波数リソース上で搬送されるデータが、前記対象時間期間および前記対象周波数上で前記少なくとも1つのUEに送信されるようにあらかじめ決められたデータを備える、
請求項39または40に記載の方法。
【請求項４２】
ユーザ機器UEであって、
基地局によって送信された、リソースを解放するためのシグナリングを受信するように構成されたトランシーバであって、リソースを解放するための前記シグナリングがリソース位置の情報を示す、トランシーバと、
リソース位置の前記情報に基づいて、ネットワーク側によって前記UEにすでに割り当てられた割当てリソースの中のリソース位置の前記情報に対応する時間周波数リソースを特定し、前記時間周波数リソースを解放するように構成されたプロセッサと
を備える、UE。
【請求項４３】
リソース位置の前記情報が、時間領域内の位置の情報、周波数領域内の位置の情報、キャリアインジケータ、ビームインジケータ、およびコードリソースインジケータのうちの少なくとも1つを備える、請求項42に記載のUE。
【請求項４４】
リソース位置の前記情報が時間領域内の位置の前記情報および周波数領域内の位置の前記情報を備える場合、前記プロセッサにより、リソース位置の前記情報に基づいて、ネットワーク側によって前記UEにすでに割り当てられた割当てリソースの中のリソース位置の前記情報に対応する時間周波数リソースを前記特定し、前記時間周波数リソースを解放することが、
時間領域内の位置の前記情報および周波数領域内の位置の前記情報に基づいて、前記ネットワーク側によって前記UEにすでに割り当てられた前記割当てリソースの中の時間領域内の位置の前記情報に対応する対象時間期間および周波数領域内の位置の前記情報に対応する対象周波数を特定することと、
前記対象時間期間および前記対象周波数から構成される前記時間周波数リソースを解放することと
を備える、請求項43に記載のUE。
【請求項４５】
前記ネットワーク側によって前記UEにすでに割り当てられた前記割当てリソースが時間および周波数を備え、リソース位置の前記情報が時間領域内の位置の前記情報を備える場合、前記プロセッサにより、リソース位置の前記情報に基づいて、ネットワーク側によって前記UEにすでに割り当てられた割当てリソースの中のリソース位置の前記情報に対応する時間周波数リソースを前記特定し、前記時間周波数リソースを解放することが、
時間領域内の位置の前記情報に基づいて、前記割当てリソースの中の時間領域内の位置の前記情報に対応する対象時間期間を特定し、前記対象時間期間内に前記UEに割り当てられた各周波数を対象周波数として特定することと、
前記対象時間期間および前記対象周波数から構成される前記時間周波数リソースを解放することと
を備える、請求項43に記載のUE。
【請求項４６】
リソース位置の前記情報が周波数領域内の位置の前記情報を備える場合、前記トランシーバが、前記基地局によって送信された、リソースを解放するための前記シグナリングを受信する前に、前記基地局によって送信された無線リソース制御RRCシグナリングを受信することであって、前記RRCシグナリングが事前設定された時間長を搬送する、受信することを行うようにさらに構成されるか、または前記プロセッサが、前記UEと前記基地局との間の通信プロトコルに従って、事前設定された時間長を取得するようにさらに構成され、
前記プロセッサにより、リソース位置の前記情報に基づいて、ネットワーク側によって前記UEにすでに割り当てられた割当てリソースの中のリソース位置の前記情報に対応する時間周波数リソースを前記特定し、前記時間周波数リソースを解放することが、
前記事前設定された時間長および周波数領域内の位置の前記情報に基づいて、前記ネットワーク側によって前記UEにすでに割り当てられた前記割当てリソースの中の前記事前設定された時間長の対象時間期間および周波数領域内の位置の前記情報に対応する対象周波数を特定することと、
前記対象時間期間および前記対象周波数から構成される前記時間周波数リソースを解放することと
を備える、請求項43に記載のUE。
【請求項４７】
時間領域内の位置の前記情報が、OFDMシンボルの数、TTIの数、およびTTIの長さのうちの少なくとも1つを備える、
請求項44または45に記載のUE。
【請求項４８】
前記ネットワーク側によって前記UEにすでに割り当てられた前記割当てリソースがK個のbundlingTTIを備え、前記K個のbundlingTTIが、同じデータブロックまたはK個のデータブロックのK個のRVを搬送するために使用され、前記対象周波数が、前記K個のbundlingTTI内の対象TTI内で前記UEに割り当てられた周波数の一部またはすべてであり、Kが1より大きい整数である、請求項42から46のいずれか一項に記載のUE。
【請求項４９】
前記プロセッサが、前記対象TTIの解放部分をパンクチャするようにさらに構成され、
前記トランシーバが、新しいレートマッチングパラメータを使用して前記対象TTIの非解放部分で、前記対象TTI内で搬送されるRVもしくはデータブロックを送受信するようにさらに構成されるか、または
前記トランシーバが、新しいTBSを使用して前記非解放部分で、前記対象TTI内で搬送されるデータブロックを送受信するようにさらに構成される、
請求項48に記載のUE。
【請求項５０】
前記トランシーバが、前記対象TTIの後の次に利用可能なTTI内で、前記対象TTI内で搬送されるRVまたはデータブロックを送受信するようにさらに構成される、
請求項49に記載のUE。
【請求項５１】
前記トランシーバが、前記K個のbundlingTTIの後の次に利用可能なTTI内で、前記K個のRVのうちの最後のRVまたは前記K個のデータブロックのうちの最後のデータブロックを送受信するようにさらに構成される、
請求項50に記載のUE。
【請求項５２】
前記ネットワーク側によって前記UEにすでに割り当てられた前記割当てリソースが、SPSリソースを備え、前記対象周波数が、前記SPSリソースの中の対象TTI内で前記UEに割り当てられた周波数の一部またはすべてである、
請求項42から46のいずれか一項に記載のUE。
【請求項５３】
前記プロセッサが、前記対象TTIの解放部分をパンクチャするようにさらに構成され、
前記トランシーバが、新しいレートマッチングパラメータを使用して前記対象TTIの非解放部分で、前記対象TTI内で搬送されるデータブロックを送受信するようにさらに構成されるか、または
前記トランシーバが、新しいTBSを使用して前記非解放部分で、前記対象TTI内で搬送されるデータブロックを送受信するようにさらに構成される、
請求項52に記載のUE。
【請求項５４】
前記プロセッサが、前記割当てリソースが事前設定された第1の時間周波数リソースと重複するかどうかに基づいて、リソースを解放するための前記シグナリングを受信するべきかどうかを実行するようにさらに構成され、
前記トランシーバが、具体的に、前記割当てリソースが前記第1の時間周波数リソースと重複する場合、リソースを解放するための前記シグナリングを受信するか、または前記割当てリソースが前記第1の時間周波数リソースと重複しない場合、リソースを解放するための前記シグナリングを受信することをスキップするように構成され、
前記第1の時間周波数リソースが、前記基地局が解放できるリソースである、
請求項42から53のいずれか一項に記載のUE。
【請求項５５】
リソースを解放するための前記シグナリングの送信時点が、前記時間周波数リソースが位置する時間期間内に位置するか、
リソースを解放するための前記シグナリングの送信時点が、前記割当てリソースが位置する時間期間内に位置するか、または
リソースを解放するための前記シグナリングの送信時点が、前記割当てリソースが位置する時間期間の後に位置する、
請求項54に記載のUE。
【請求項５６】
リソースを解放するための前記シグナリングの前記送信時点が、前記時間周波数リソースが位置する前記時間期間内に位置し、リソースを解放するための前記シグナリングを前記トランシーバが受信する時点が、前記基地局によって送信された、リソースをスケジュールするための第1のシグナリングを前記トランシーバが受信する時点の後に位置し、リソースを解放するための前記シグナリングが受信される前記時点とリソースをスケジュールするための前記第1のシグナリングが受信される前記時点との間に第1の時間間隔が存在し、リソースをスケジュールするための前記第1のシグナリングが、前記ネットワーク側によってすでに割り当てられた前記割当てリソースを示す、請求項55に記載のUE。
【請求項５７】
リソースをスケジュールするための前記第1のシグナリングが、前記第1の時間間隔内で時間周波数リソースを解放するために使用されるリソース位置の情報をさらに示す、
請求項56に記載のUE。
【請求項５８】
前記トランシーバが、前記基地局によって送信された、リソースをスケジュールするための第2のシグナリングを受信するようにさらに構成され、リソースをスケジュールするための前記第2のシグナリングが、データ再送中にUEセットによって使用される時間周波数リソースを示し、前記UEセットが少なくとも前記UEを備え、
前記プロセッサが、リソースをスケジュールするための前記第2のシグナリング、前記時間周波数リソース、および前記割当てリソースに基づいて、第2の時間周波数リソースを特定するようにさらに構成され、
前記トランシーバが、前記第2の時間周波数リソース上で搬送され、前記基地局によって再送されたデータ内にあるデータを受信するようにさらに構成される、
請求項42から57のいずれか一項に記載のUE。
【請求項５９】
リソースを解放するための前記シグナリングを前記トランシーバが受信する前記時点およびリソースをスケジュールするための前記第2のシグナリングを前記トランシーバが受信する時点が、同じ時間期間内にあるか、または
リソースをスケジュールするための前記第2のシグナリングを前記トランシーバが受信する前記時点が、リソースを解放するための前記シグナリングを前記トランシーバが受信する前記時点の後に位置する、
請求項58に記載のUE。
【請求項６０】
前記第2の時間周波数リソースが、前記データ再送中に前記UEセットによって使用される前記時間周波数リソースの少なくとも一部である、
請求項58または59に記載のUE。
【請求項６１】
前記データ再送中に前記UEセットによって使用される前記時間周波数リソース上で搬送されるデータが、前記時間周波数リソース上で前記UEに送信されるようにあらかじめ決められたデータを備える、
請求項58から60のいずれか一項に記載のUE。
【請求項６２】
UEであって、
事前設定された時間長を取得するように構成されたプロセッサと、
基地局によって送信された、リソースを解放するためのシグナリングを受信するように構成されたトランシーバであって、リソースを解放するための前記シグナリングが、リソース解放を実行するように前記UEに指示するために使用される、トランシーバと
を備え
前記プロセッサが、前記事前設定された時間長に基づいて、ネットワーク側によって前記UEにすでに割り当てられた割当てリソースの中の前記事前設定された時間長の対象時間期間を特定し、前記対象時間期間内に前記UEに割り当てられた各周波数を対象周波数として特定するようにさらに構成され、
前記プロセッサが、前記対象時間期間および前記対象周波数を解放するようにさらに構成される、
UE。
【請求項６３】
前記プロセッサが、前記割当てリソースが事前設定された第1の時間周波数リソースと重複するかどうかに基づいて、リソースを解放するための前記シグナリングを受信するべきかどうかを実行するようにさらに構成され、
前記トランシーバが、具体的に、前記割当てリソースが前記第1の時間周波数リソースと重複する場合、リソースを解放するための前記シグナリングを受信するか、または前記割当てリソースが前記第1の時間周波数リソースと重複しない場合、リソースを解放するための前記シグナリングを受信することをスキップするように構成され、
前記第1の時間周波数リソースが、前記基地局が解放できるリソースである、
請求項62に記載のUE。
【請求項６４】
リソースを解放するための前記シグナリングの送信時点が、前記対象時間期間が位置する時間期間内に位置するか、
リソースを解放するための前記シグナリングの送信時点が、前記割当てリソースが位置する時間期間内に位置するか、または
リソースを解放するための前記シグナリングの送信時点が、前記割当てリソースが位置する時間期間の後に位置する、
請求項63に記載のUE。
【請求項６５】
リソースを解放するための前記シグナリングの前記送信時点が、前記対象時間期間が位置する前記時間期間内に位置し、リソースを解放するための前記シグナリングを前記トランシーバが受信する時点が、前記基地局によって送信された、リソースをスケジュールするための第1のシグナリングを前記トランシーバが受信する時点の後に位置し、リソースを解放するための前記シグナリングが受信される前記時点とリソースをスケジュールするための前記第1のシグナリングが受信される前記時点との間に第1の時間間隔が存在し、リソースをスケジュールするための前記第1のシグナリングが、前記ネットワーク側によってすでに割り当てられた前記割当てリソースを示す、請求項64に記載のUE。
【請求項６６】
リソースをスケジュールするための前記第1のシグナリングが、前記第1の時間間隔内で時間周波数リソースを解放するために使用されるリソース位置の情報をさらに示す、
請求項65に記載のUE。
【請求項６７】
前記トランシーバが、前記基地局によって送信された、リソースをスケジュールするための第2のシグナリングを受信するようにさらに構成され、リソースをスケジュールするための前記第2のシグナリングが、データ再送中にUEセットによって使用される時間周波数リソースを示し、前記UEセットが少なくとも前記UEを備え、
前記プロセッサが、リソースをスケジュールするための前記第2のシグナリング、前記対象時間期間、前記対象周波数、および前記割当てリソースに基づいて、第2の時間周波数リソースを特定するようにさらに構成され、
前記トランシーバが、前記第2の時間周波数リソース上で搬送され、前記基地局によって再送されたデータ内にあるデータを受信するようにさらに構成される、
請求項62から66のいずれか一項に記載のUE。
【請求項６８】
リソースを解放するための前記シグナリングを前記トランシーバが受信する前記時点およびリソースをスケジュールするための前記第2のシグナリングを前記トランシーバが受信する時点が、同じ時間期間内にあるか、または
リソースをスケジュールするための前記第2のシグナリングを前記トランシーバが受信する前記時点が、リソースを解放するための前記シグナリングを前記トランシーバが受信する前記時点の後に位置する、
請求項67に記載のUE。
【請求項６９】
前記第2の時間周波数リソースが、前記データ再送中に前記UEセットによって使用される前記時間周波数リソースの少なくとも一部である、
請求項67または68に記載のUE。
【請求項７０】
前記データ再送中に前記UEセットによって使用される前記時間周波数リソース上で搬送されるデータが、前記対象時間期間および前記対象周波数上で前記UEに送信されるようにあらかじめ決められたデータを備える、
請求項67から69のいずれか一項に記載のUE。
【請求項７１】
基地局であって、
リソース位置の情報を示すリソースを解放するためのシグナリングを少なくとも1つのUEに送信するように構成された送信機であって、リソースを解放するための前記シグナリングが、リソース位置の前記情報に基づいて、ネットワーク側によって前記少なくとも1つのUEにすでに割り当てられた割当てリソースの中のリソース位置の前記情報に対応する時間周波数リソースを特定し、前記時間周波数リソースを解放するように前記少なくとも1つのUEに指示するために使用される、送信機
を備える、基地局。
【請求項７２】
リソース位置の前記情報が、時間領域内の位置の情報、周波数領域内の位置の情報、キャリアインジケータ、ビームインジケータ、およびコードリソースインジケータのうちの少なくとも1つを備える、請求項71に記載の基地局。
【請求項７３】
リソースを解放するための前記シグナリングの送信時点が、前記時間周波数リソースが位置する時間期間内に位置するか、
リソースを解放するための前記シグナリングの送信時点が、前記割当てリソースが位置する時間期間内に位置するか、または
リソースを解放するための前記シグナリングの送信時点が、前記割当てリソースが位置する時間期間の後に位置する、
請求項71または72に記載の基地局。
【請求項７４】
前記送信機が、リソースをスケジュールするための第2のシグナリングを前記少なくとも1つのUEに送信して、リソースをスケジュールするための前記第2のシグナリング、前記時間周波数リソース、および前記割当てリソースに基づいて、第2の時間周波数リソースを特定するように前記少なくとも1つのUEに指示するようにさらに構成され、リソースをスケジュールするための前記第2のシグナリングが、データ再送中にUEセットによって使用される時間周波数リソースを示し、前記UEセットが前記少なくとも1つのUEを備え、
前記送信機が、前記UEセットにデータを再送するようにさらに構成され、その結果、前記少なくとも1つのUEが、前記第2の時間周波数リソース上で搬送され、前記送信機によって再送された前記データ内にあるデータを受信する、
請求項71から73のいずれか一項に記載の基地局。
【請求項７５】
前記第2の時間周波数リソースが、前記データ再送中に前記UEセットによって使用される前記時間周波数リソースの少なくとも一部である、
請求項74に記載の基地局。
【請求項７６】
前記データ再送中に前記UEセットによって使用される前記時間周波数リソース上で搬送されるデータが、前記時間周波数リソース上で前記少なくとも1つのUEに送信されるようにあらかじめ決められたデータを備える、
請求項74または75に記載の基地局。
【請求項７７】
少なくとも1つのUEにRRCシグナリングを送信するように構成された送信機であって、前記RRCシグナリングが事前設定された時間長を搬送する、送信機
を備える、基地局であって、
前記送信機が、前記少なくとも1つのUEにリソースを解放するためのシグナリングを送信するようにさらに構成され、リソースを解放するための前記シグナリングが、前記事前設定された時間長に基づいて、ネットワーク側によって前記少なくとも1つのUEにすでに割り当てられた割当てリソースの中の前記事前設定された時間長の対象時間期間を特定し、前記対象時間期間内に前記少なくとも1つのUEに割り当てられた各周波数を対象周波数として特定し、前記対象時間期間および前記対象周波数を解放するように、前記少なくとも1つのUEに指示するために使用される、
基地局。
【請求項７８】
リソースを解放するための前記シグナリングの送信時点が、前記対象時間期間が位置する時間期間内に位置するか、
リソースを解放するための前記シグナリングの送信時点が、前記割当てリソースが位置する時間期間内に位置するか、または
リソースを解放するための前記シグナリングの送信時点が、前記割当てリソースが位置する時間期間の後に位置する、
請求項77に記載の基地局。
【請求項７９】
前記送信機が、リソースをスケジュールするための第2のシグナリングを前記少なくとも1つのUEに送信して、リソースをスケジュールするための前記第2のシグナリングが、データ再送中にUEセットによって使用される時間周波数リソースを示し、前記UEセットが前記少なくとも1つのUEを備え、リソースをスケジュールするための前記第2のシグナリング、前記対象時間期間、前記対象周波数、および前記割当てリソースに基づいて、第2の時間周波数リソースを特定するように前記少なくとも1つのUEに指示する、ようにさらに構成され、
前記送信機が、前記UEセットにデータを再送するようにさらに構成され、その結果、前記少なくとも1つのUEが、前記第2の時間周波数リソース上で搬送され、前記送信機によって再送された前記データ内にあるデータを受信する、
請求項77または78に記載の基地局。
【請求項８０】
前記第2の時間周波数リソースが、前記データ再送中に前記UEセットによって使用される前記時間周波数リソースの少なくとも一部である、
請求項79に記載の基地局。
【請求項８１】
前記データ再送中に前記UEセットによって使用される前記時間周波数リソース上で搬送されるデータが、前記対象時間期間および前記対象周波数上で前記少なくとも1つのUEに送信されるようにあらかじめ決められたデータを備える、
請求項79または80に記載の基地局。
【請求項８２】
前記方法が、
前記UEにより、前記対象時間期間および前記対象周波数から構成される前記時間周波数リソースが、第1の時間周波数リソースと重複するかどうかを判定するステップと、前記対象時間期間および前記対象周波数から構成される前記時間周波数リソース内の少なくとも1つの時間周波数サブリソースが、前記第1の時間周波数リソースと重複する場合、前記UEにより、前記少なくとも1つの時間周波数サブリソース以外の、前記対象時間期間および前記対象周波数から構成される前記時間周波数リソース内にある残りの時間周波数サブリソースを解放するステップであって、前記第1の時間周波数リソースの時間周波数位置が、前記UEが位置するサービングセル内のすべてのUEによって一般に知られている、ステップと
をさらに備える、請求項3から6のいずれか一項に記載の方法。
【請求項８３】
前記方法が、
前記UEにより、前記対象時間期間および前記対象周波数から構成される前記時間周波数リソースが、第1の時間周波数リソースと重複するかどうかを判定するステップと、前記対象時間期間および前記対象周波数から構成される前記時間周波数リソース内の少なくとも1つの時間周波数サブリソースが、前記第1の時間周波数リソースと重複する場合、前記UEにより、前記少なくとも1つの時間周波数サブリソース以外の、前記対象時間期間および前記対象周波数から構成される前記時間周波数リソース内にある残りの時間周波数サブリソースを解放するステップであって、前記第1の時間周波数リソースの時間周波数位置が、前記UEが位置するサービングセル内のすべてのUEによって一般に知られている、ステップと
をさらに備える、請求項21から30のいずれか一項に記載の方法。
【請求項８４】
前記プロセッサが、前記対象時間期間および前記対象周波数から構成される前記時間周波数リソースが、第1の時間周波数リソースと重複するかどうかを判定するようにさらに構成され、前記対象時間期間および前記対象周波数から構成される前記時間周波数リソース内の少なくとも1つの時間周波数サブリソースが、前記第1の時間周波数リソースと重複する場合、前記プロセッサが、前記少なくとも1つの時間周波数サブリソース以外の、前記対象時間期間および前記対象周波数から構成される前記時間周波数リソース内にある残りの時間周波数サブリソースを解放し、前記第1の時間周波数リソースの時間周波数位置が、前記UEが位置するサービングセル内のすべてのUEによって一般に知られている、請求項44から47のいずれか一項に記載のUE。
【請求項８５】
前記プロセッサが、前記対象時間期間および前記対象周波数から構成される前記時間周波数リソースが、第1の時間周波数リソースと重複するかどうかを判定するようにさらに構成され、前記対象時間期間および前記対象周波数から構成される前記時間周波数リソース内の少なくとも1つの時間周波数サブリソースが、前記第1の時間周波数リソースと重複する場合、前記プロセッサが、前記少なくとも1つの時間周波数サブリソース以外の、前記対象時間期間および前記対象周波数から構成される前記時間周波数リソース内にある残りの時間周波数サブリソースを解放し、前記第1の時間周波数リソースの時間周波数位置が、前記UEが位置するサービングセル内のすべてのUEによって一般に知られている、請求項62から70のいずれか一項に記載のUE。
【発明の詳細な説明】
【技術分野】
【０００１】
本発明は、通信技術の分野に関し、詳細には、リソース管理方法および関連デバイスに関する。
【背景技術】
【０００２】
ロングタームエボリューション（Long Term Evolution、LTE）システムでは、基地局は、物理ダウンリンク制御チャネル（Physical Downlink Control Channel、PDCCH）を使用してユーザ端末（User Equipment、UE）にダウンリンク制御情報（Downlink Control Information、DCI）などのスケジューリングシグナリングを送信し、UEに時間周波数リソースなどのリソースを割り当て、UEのデータ送信をスケジュールする。LTEシステムの従来のフレーム構造は、1つの送信時間間隔（Transmission Time Interval、TTI）が1つのサブフレームの長さと等しく、1つのサブフレームが14個の直交周波数分割多重（Orthogonal Frequency Division Multiplexing、OFDM）シンボルを含む。
【０００３】
散発的であり、遅延に対する要件がかなり高いサービスを送信する要件を満たすために、ショートTTIの概念が導入され、ショートTTIの長さは、1／2／3／4／7つのOFDMシンボルであると提案され、さらに、ショートTTIのUEは、従来の長さのTTIをサポートする必要もある。ショートTTIのUEにとって、これは、異なる長さのTTIの間の切替えに関連する。柔軟な動的切替えを実行するために物理レイヤシグナリングが使用される場合、異なる長さのTTIは、同じ時点で互いに重複する可能性がある。たとえば、搬送されるデータがロングTTI内で送信される場合、散発的なショートTTIとロングTTIが互いに重複するか、または異なる長さのTTI内で搬送されるデータの再送が同じ時点で発生し、その結果、ロングTTIおよびショートTTIが互いに重複する。異なるUEの場合、第1のUEは、基地局によって割り当てられたリソースを使用してデータを送信し、第2のUEが散発的であり、遅延に対する要件がかなり高いサービスを送信するときに必要とされるショートTTI、および第1のUEによって占有されるロングTTIは、互いに重複する可能性があり、第1のUEと第2のUEは互いに干渉する。
【０００４】
UEがアップリンクデータ送信を実行するときに異なる長さのTTIが互いに重複する場合、ショートTTI内で搬送されるデータを送信するためにロングTTIが部分的に解放されることが、第3世代パートナーシッププロジェクト（3rd Generation Partnership Project、3GPP）のR1−160906においてクアルコム（Qualcomm）によって述べられている。しかしながら、上記の解決策は、同じUEの異なる長さのTTIが互いに重複する場合にのみ適用可能である。異なるUE間の異なる長さのTTIが互いに重複する場合、UE間で重複は知らされず、UEは互いに干渉する。その結果、データ送信の信頼性が低下する。
【発明の概要】
【課題を解決するための手段】
【０００５】
本発明の実施形態は、リソース管理方法および関連デバイスを提供して、リソース占有重複によって引き起こされる干渉を効果的に低減し、データ送信の信頼性を向上させる。
【０００６】
本発明の実施形態の第1の態様は、
基地局によって送信された、リソースを解放するためのシグナリングを受信するステップであって、リソースを解放するためのシグナリングがリソース位置の情報を示す、ステップと、リソース位置の情報に基づいて、ネットワーク側によってUEにすでに割り当てられた割当てリソースの中のリソース位置の情報に対応する時間周波数リソースを特定し、次いで、時間周波数リソースを解放するステップと
を含む、リソース管理方法を提供する。UEは、基地局の指示に基づいて、割当てリソースのうちのいくつかを解放することができる。したがって、リソース占有重複によって引き起こされる干渉を効果的に低減することができ、データ送信の信頼性を向上させることができる。
【０００７】
場合によっては、リソース位置の情報は、時間領域内の位置の情報、周波数領域内の位置の情報、キャリアインジケータ、ビームインジケータ、およびコードリソースインジケータのうちの少なくとも1つを含む。すなわち、UEは、時間領域内の位置の情報、周波数領域内の位置の情報、キャリアインジケータ、ビームインジケータ、およびコードリソースインジケータのうちの少なくとも1つに基づいて、割当てリソースの中で、リソース位置の情報に対応する時間周波数リソースを具体的に特定することができる。
【０００８】
場合によっては、リソース位置の情報は、時間領域内の位置の情報および周波数領域内の位置の情報を含み、UEは、時間領域内の位置の情報および周波数領域内の位置の情報に基づいて、ネットワーク側によってUEにすでに割り当てられた割当てリソースの中の時間領域内の位置の情報に対応する対象時間期間および周波数領域内の位置の情報に対応する対象周波数を特定し、対象時間期間および対象周波数から構成される時間周波数リソースを解放する。基地局は、解放される必要があるリソースの時間領域サイズおよび周波数領域サイズを指定し、UEは、リソースの利用率を向上させるために必要に応じてリソースを解放することができる。
【０００９】
場合によっては、ネットワーク側によってUEにすでに割り当てられた割当てリソースは時間および周波数を含み、リソース位置の情報は時間領域内の位置の情報を含み、UEは、時間領域内の位置の情報に基づいて、割当てリソースの中の時間領域内の位置の情報に対応する対象時間期間を特定し、対象時間期間内にUEに割り当てられた各周波数を対象周波数として特定し、対象時間期間および対象周波数から構成される時間周波数リソースを解放する。基地局は、解放される必要があるリソースの時間領域サイズのみを指定し、時間領域内でUEに割り当てられたすべての周波数領域リソースが解放される。したがって、リソースを解放するためのシグナリングを簡略化することができ、ネットワークシグナリングの負荷を低減することができる。
【００１０】
場合によっては、リソース位置の情報は、周波数領域内の位置の情報を含み、UEは、基地局によって送信された無線リソース制御RRCシグナリングを受信し、RRCシグナリングは事前設定された時間長を搬送するか、またはUEは、UEと基地局との間の通信プロトコルに従って、事前設定された時間長を取得することができ、
UEは、事前設定された時間長および周波数領域内の位置の情報に基づいて、ネットワーク側によってUEにすでに割り当てられた割当てリソースの中の事前設定された時間長の対象時間期間および周波数領域内の位置の情報に対応する対象周波数を特定し、対象時間期間および対象周波数から構成される時間周波数リソースを解放する。基地局は、解放される必要があるリソースの周波数領域サイズのみを指定し、時間領域サイズは、あらかじめ基地局によってUEに通知されるか、またはUEと基地局との間の通信プロトコルに従ってUEによって取得される。したがって、リソースを解放するためのシグナリングを簡略化することができ、ネットワークシグナリングの負荷を低減することができる。
【００１１】
場合によっては、時間領域内の位置の情報は、直交周波数分割多重OFDMシンボルの数、送信時間間隔TTIの数、およびTTIの長さのうちの少なくとも1つを含む。
【００１２】
場合によっては、ネットワーク側によってUEにすでに割り当てられた割当てリソースはK個のbundlingTTIを含み、K個のbundlingTTIは、同じデータブロックまたはK個のデータブロックのK個の冗長バージョンRVを搬送するために使用され、対象周波数は、K個のbundlingTTI内の対象TTI内でUEに割り当てられた周波数の一部またはすべてであり、Kは1より大きい整数である。対象TTIは1つまたは複数のTTIであってもよく、すなわち、UEは、TTIのグループ内の1つまたは複数のTTI内で割り当てられた時間周波数リソースの一部またはすべてを解放することができる。
【００１３】
場合によっては、UEは、対象TTIの解放部分をパンクチャし、新しいレートマッチングパラメータを使用して対象TTIの非解放部分で、対象TTI内で搬送されるRVもしくはデータブロックを送受信するか、または新しいトランスポートブロックサイズTBSを使用して非解放部分で、対象TTI内で搬送されるデータブロックを送受信する。UEは、対象TTIの解放部分によって搬送されるRVまたはデータブロックを廃棄し、対象TTIの非解放部分を使用して、対象TTI内で搬送されるRVまたはデータブロックの一部を送信し続ける、すなわち、RVまたはデータブロックを可能な限り多く送信することを選択することができるか、または対象TTI内で搬送されるデータブロックを再区分化し、新しいTBSを使用して、対象TTI内で搬送されるデータブロックを送受信することを選択することができる。
【００１４】
場合によっては、UEは、対象TTIの後の次に利用可能なTTI内で、対象TTI内で搬送されるRVまたはデータブロックを送受信することができ、UEは、データ送信の信頼性を保証するために、次に利用可能なTTI内で重要なRVまたはデータブロックを再び送信することを選択することができる。
【００１５】
場合によっては、UEは、K個のbundlingTTIの後の次に利用可能なTTI内で、K個のRVのうちの最後のRVまたはK個のデータブロックのうちの最後のデータブロックを送受信し、UEは、データ送信の信頼性を保証するために、利用可能なTTIを別々に使用して最後のRVまたはデータブロックを再び送受信することができる。
【００１６】
場合によっては、ネットワーク側によってUEにすでに割り当てられた割当てリソースは、半永続的スケジューリングSPSリソースを含み、対象周波数は、SPSリソースの中の対象TTI内でUEに割り当てられた周波数の一部またはすべてである。対象TTIは1つまたは複数のTTIであってもよく、すなわち、UEは、ネットワークによって周期的に割り当てられた1つまたは複数のTTI内の時間周波数リソースの一部またはすべてを解放することができる。
【００１７】
場合によっては、UEは、対象TTIの解放部分をパンクチャし、新しいレートマッチングパラメータを使用して対象TTIの非解放部分で、対象TTI内で搬送されるデータブロックを送受信するか、または新しいTBSを使用して非解放部分で、対象TTI内で搬送されるデータブロックを送受信する。UEは、対象TTIの解放部分によって搬送されるデータブロックを廃棄し、対象TTIの非解放部分を使用して、対象TTI内で搬送されるデータブロックの一部を送信し続ける、すなわち、RVまたはデータブロックを可能な限り多く送信することを選択することができるか、または対象TTI内で搬送されるデータブロックを再区分化し、新しいTBSを使用して、対象TTI内で搬送されるデータブロックを送受信することを選択することができる。
【００１８】
場合によっては、基地局が解放できる第1の時間周波数リソースが事前設定され、UEは、割当てリソースが第1の時間周波数リソースと重複するかどうか（時間領域内および／または周波数領域内の部分重複または完全重複を含む）に基づいて、リソースを解放するためのシグナリングを受信するべきかどうかを判定することができる。これは、具体的に、割当てリソースが第1の時間周波数リソースと重複する場合、UEにより、リソースを解放するためのシグナリングを受信することを含む。あるいは、UEは、割当てリソースが第1の時間周波数リソースと重複しない場合、リソースを解放するためのシグナリングを受信することをスキップする。すなわち、基地局がUEに割り当てられたリソースを解放できないとき、UEは、基地局によって送信された、リソースを解放するためのシグナリングを受信しなくてもよい。したがって、UEの電力消費を削減することができる。
【００１９】
場合によっては、リソースを解放するためのシグナリングの送信時点に対して複数の選択肢が存在する。送信時点は、リソースを解放するためのシグナリングによって示されたリソース位置の情報に対応する時間周波数リソースが位置する時間期間内に位置してもよく、割当てリソースが位置する時間期間内に位置してもよく、割当てリソースが位置する時間期間の後の指定された時間期間内に位置してもよい。
【００２０】
場合によっては、リソースを解放するためのシグナリングの送信時点が、具体的に時間周波数リソースが位置する時間期間内に位置する場合、リソースを解放するためのシグナリングをUEが受信する時点は、基地局によって送信された、リソースをスケジュールするための第1のシグナリングをUEが受信する時点の後に位置し、リソースを解放するためのシグナリングが受信される時点とリソースをスケジュールするための第1のシグナリングが受信される時点との間に第1の時間間隔が存在し、リソースをスケジュールするための第1のシグナリングは、ネットワーク側によってUEに割り当てられたリソースを示す。
【００２１】
場合によっては、リソースをスケジュールするための第1のシグナリングは、第1の時間間隔内で時間周波数リソースを解放するために使用されるリソース位置の情報をさらに示す。すなわち、リソースをスケジュールするための第1のシグナリングは、UEに割り当てられたリソースと、解放された時間周波数リソースのリソース位置の情報の両方を示すことができる。したがって、リソースを解放するためのシグナリングをUEが受信する回数を削減することができ、UEの電力消費を削減することができる。
【００２２】
場合によっては、UEは、基地局によって送信された、リソースをスケジュールするための第2のシグナリングを受信し、リソースをスケジュールするための第2のシグナリングは、データ再送中にUEセットによって使用される時間周波数リソースを示し、UEセットは少なくともそのUEを含み、
UEは、リソースをスケジュールするための第2のシグナリング、時間周波数リソース、および割当てリソースに基づいて、データ再送中にUEセットによって使用される第2の時間周波数リソースを特定し、第2の時間周波数リソース上で搬送され、基地局によって再送されたデータ内にあるデータを受信することができる。すなわち、UEは、基地局によって再送されたデータからそれぞれの再送データを取得することができる。
【００２３】
場合によっては、リソースを解放するためのシグナリングをUEが受信する時点およびリソースをスケジュールするための第2のシグナリングをUEが受信する時点は、同じ時間期間内にあってもよく、またはリソースをスケジュールするための第2のシグナリングをUEが受信する時点は、リソースを解放するためのシグナリングをUEが受信する時点の後の指定された時間期間内に位置してもよい。
【００２４】
場合によっては、第2の時間周波数リソースは、データ再送中にUEセットによって使用される時間周波数リソースの少なくとも一部である。UEセットがそのUE（すなわち、1つのUE）のみを含み、基地局がそのUE向けにのみデータ再送を実行する場合、第2の時間周波数リソースは、データ再送中にUEセットによって使用される時間周波数リソースのすべてであってもよく、またはUEセットがそのUEを含む複数のUEを含み、基地局が複数のUE向けのデータ再送を同時に実行する場合、第2の時間周波数リソースは、データ再送中にUEセットによって使用される時間周波数リソースの一部であってもよい。
【００２５】
場合によっては、データ再送中にUEセットによって使用される時間周波数リソース上で搬送されるデータは、リソースを解放するためのシグナリングによって示されたリソース位置の情報に対応する時間周波数リソース上でUEに送信されるようにあらかじめ決められたデータを含む。
【００２６】
本発明の実施形態の第2の態様は、
UEにより、基地局によって送信されたRRCシグナリングを受信するステップであって、RRCシグナリングが事前設定された時間長を搬送する、ステップ、またはUEにより、UEと基地局との間の通信プロトコルに従って事前設定された時間長を取得するステップと、基地局によって送信された、リソースを解放するためのシグナリングを受信するステップであって、リソースを解放するためのシグナリングが、リソース解放を実行するようにUEに指示するためにのみ使用され、リソース位置の関連情報を示さない、ステップと、UEにより、事前設定された時間長に基づいて、ネットワーク側によってUEにすでに割り当てられた割当てリソースの中の事前設定された時間長の対象時間期間を特定するステップと、対象時間期間を解放し、対象時間期間内にUEに割り当てられた各周波数を解放するステップと
を含む、リソース管理方法を提供する。UEは、基地局の指示に基づいて、割当てリソースのうちのいくつかを解放することができる。したがって、リソース占有重複によって引き起こされる干渉を効果的に低減することができる。さらに、リソースを解放するためのシグナリングが簡略化され、ネットワークシグナリングの負荷を低減することができる。
【００２７】
本発明の実施形態の第3の態様は、
基地局により、リソース位置の情報を示すリソースを解放するためのシグナリングを少なくとも1つのUEに送信するステップであって、リソースを解放するためのシグナリングが、リソース位置の情報に基づいて、ネットワーク側によって少なくとも1つのUEにすでに割り当てられた割当てリソースの中のリソース位置の情報に対応する時間周波数リソースを特定し、時間周波数リソースを解放するように少なくとも1つのUEに指示するために使用される、ステップ
を含む、リソース管理方法を提供する。すなわち、基地局は、リソーススケジューリング効率を改善し、リソース占有重複によって引き起こされる干渉を効果的に低減するために、リソース解放を実行するように1つまたは複数のUEに同時に指示することができる。
【００２８】
場合によっては、リソース位置の情報は、時間領域内の位置の情報、周波数領域内の位置の情報、キャリアインジケータ、ビームインジケータ、およびコードリソースインジケータのうちの少なくとも1つを含む。
【００２９】
場合によっては、リソースを解放するためのシグナリングの送信時点に対して複数の選択肢が存在する。送信時点は、リソースを解放するためのシグナリングによって示されたリソース位置の情報に対応する時間周波数リソースが位置する時間期間内に位置してもよく、割当てリソースが位置する時間期間内に位置してもよく、割当てリソースが位置する時間期間の後の指定された時間期間内に位置してもよい。
【００３０】
場合によっては、基地局は、リソースをスケジュールするための第2のシグナリングを少なくとも1つのUEに送信し、リソースをスケジュールするための第2のシグナリングは、データ再送中にUEセットによって使用される時間周波数リソースを示し、UEセットは少なくとも1つのUEを含み、その結果、少なくとも1つのUEは、リソースをスケジュールするための第2のシグナリング、時間周波数リソース、および割当てリソースに基づいて、データ再送中に少なくとも1つのUEによって使用される第2の時間周波数リソースを特定することができる。
【００３１】
基地局は、UEセットにデータを再送し、少なくとも1つのUEは、第2の時間周波数リソース上で搬送され、基地局によって再送されたデータ内にあるデータを受信する、すなわち、基地局は各UEにデータを再送することができる。
【００３２】
場合によっては、第2の時間周波数リソースは、データ再送中にUEセットによって使用される時間周波数リソースの少なくとも一部である。UEセットがただ1つのUEを含み、基地局が1つのUE向けにのみデータ再送を実行する場合、第2の時間周波数リソースは、データ再送中にUEセットによって使用される時間周波数リソースのすべてであってもよく、またはUEセットが複数のUEを含み、基地局が複数のUE向けのデータ再送を同時に実行する場合、第2の時間周波数リソースは、データ再送中にUEセットによって使用される時間周波数リソースの一部であってもよい。
【００３３】
場合によっては、データ再送中にUEセットによって使用される時間周波数リソース上で搬送されるデータは、リソースを解放するためのシグナリングによって示されたリソース位置の情報に対応する時間周波数リソース上で少なくとも1つのUEに送信されるようにあらかじめ決められたデータを含む。
【００３４】
本発明の実施形態の第4の態様は、
基地局により、少なくとも1つのUEにRRCシグナリングを送信するステップであって、RRCシグナリングが事前設定された時間長を搬送する、ステップと、
基地局により、少なくとも1つのUEにリソースを解放するためのシグナリングを送信するステップであって、リソースを解放するためのシグナリングが、事前設定された時間長に基づいて、ネットワーク側によって少なくとも1つのUEにすでに割り当てられた割当てリソースの中の事前設定された時間長の対象時間期間を特定し、対象時間期間内に少なくとも1つのUEに割り当てられた各周波数を対象周波数として特定し、対象時間期間および対象周波数を解放するように、少なくとも1つのUEに指示するために使用される、ステップと
を含む、リソース管理方法を提供する。
【００３５】
本発明の実施形態の第5の態様は、
基地局によって送信された、リソースを解放するためのシグナリングを受信するように構成されたトランシーバであって、リソースを解放するためのシグナリングがリソース位置の情報を示す、トランシーバと、
リソース位置の情報に基づいて、ネットワーク側によってUEにすでに割り当てられた割当てリソースの中のリソース位置の情報に対応する時間周波数リソースを特定し、時間周波数リソースを解放するように構成されたプロセッサと
を含む、UEを提供する。UEは、基地局の指示に基づいて、割当てリソースのうちのいくつかを解放することができる。したがって、リソース占有重複によって引き起こされる干渉を効果的に低減することができ、データ送信の信頼性を向上させることができる。
【００３６】
場合によっては、リソース位置の情報は、時間領域内の位置の情報、周波数領域内の位置の情報、キャリアインジケータ、ビームインジケータ、およびコードリソースインジケータのうちの少なくとも1つを含む。
【００３７】
場合によっては、リソース位置の情報が時間領域内の位置の情報および周波数領域内の位置の情報を含む場合、プロセッサにより、リソース位置の情報に基づいて、ネットワーク側によってUEにすでに割り当てられた割当てリソースの中のリソース位置の情報に対応する時間周波数リソースを特定し、時間周波数リソースを解放することは、
時間領域内の位置の情報および周波数領域内の位置の情報に基づいて、ネットワーク側によってUEにすでに割り当てられた割当てリソースの中の時間領域内の位置の情報に対応する対象時間期間および周波数領域内の位置の情報に対応する対象周波数を特定することと、
対象時間期間および対象周波数から構成される時間周波数リソースを解放することと
を含む。
【００３８】
場合によっては、ネットワーク側によってUEにすでに割り当てられた割当てリソースは時間および周波数を含み、リソース位置の情報が時間領域内の位置の情報を含む場合、プロセッサにより、リソース位置の情報に基づいて、ネットワーク側によってUEにすでに割り当てられた割当てリソースの中のリソース位置の情報に対応する時間周波数リソースを特定し、時間周波数リソースを解放することは、
時間領域内の位置の情報に基づいて、割当てリソースの中の時間領域内の位置の情報に対応する対象時間期間を特定し、対象時間期間内にUEに割り当てられた各周波数を対象周波数として特定することと、
対象時間期間および対象周波数から構成される時間周波数リソースを解放することと
を含む。
【００３９】
場合によっては、リソース位置の情報が周波数領域内の位置の情報を含む場合、
トランシーバは、基地局によって送信された、リソースを解放するためのシグナリングを受信する前に、基地局によって送信されたRRCシグナリングを受信するようにさらに構成され、RRCシグナリングは事前設定された時間長を搬送し、またはプロセッサは、UEと基地局との間の通信プロトコルに従って、事前設定された時間長を取得するようにさらに構成され、
プロセッサにより、リソース位置の情報に基づいて、ネットワーク側によってUEにすでに割り当てられた割当てリソースの中のリソース位置の情報に対応する時間周波数リソースを特定し、時間周波数リソースを解放することは、
事前設定された時間長および周波数領域内の位置の情報に基づいて、ネットワーク側によってUEにすでに割り当てられた割当てリソースの中の事前設定された時間長の対象時間期間および周波数領域内の位置の情報に対応する対象周波数を特定することと、
対象時間期間および対象周波数から構成される時間周波数リソースを解放することと
を含む。
【００４０】
場合によっては、時間領域内の位置の情報は、OFDMシンボルの数、TTIの数、およびTTIの長さのうちの少なくとも1つを含む。
【００４１】
場合によっては、ネットワーク側によってUEにすでに割り当てられた割当てリソースはK個のbundlingTTIを含み、K個のbundlingTTIは、同じデータブロックまたはK個のデータブロックのK個のRVを搬送するために使用され、対象周波数は、K個のbundlingTTI内の対象TTI内でUEに割り当てられた周波数の一部またはすべてであり、Kは1より大きい整数である。
【００４２】
場合によっては、プロセッサは、対象TTIの解放部分をパンクチャするようにさらに構成され、
トランシーバは、新しいレートマッチングパラメータを使用して対象TTIの非解放部分で、対象TTI内で搬送されるRVもしくはデータブロックを送受信するようにさらに構成されるか、または
トランシーバは、新しいTBSを使用して非解放部分で、対象TTI内で搬送されるデータブロックを送受信するようにさらに構成される。
【００４３】
場合によっては、トランシーバは、対象TTIの後の次に利用可能なTTI内で、対象TTI内で搬送されるRVまたはデータブロックを送受信するようにさらに構成される。
【００４４】
場合によっては、トランシーバは、K個のbundlingTTIの後の次に利用可能なTTI内で、K個のRVのうちの最後のRVまたはK個のデータブロックのうちの最後のデータブロックを送受信するようにさらに構成される。
【００４５】
場合によっては、ネットワーク側によってUEにすでに割り当てられた割当てリソースはSPSリソースを含み、対象周波数は、SPSリソースの中の対象TTI内でUEに割り当てられた周波数の一部またはすべてである。
【００４６】
場合によっては、プロセッサは、対象TTIの解放部分をパンクチャするようにさらに構成され、
トランシーバは、新しいレートマッチングパラメータを使用して対象TTIの非解放部分で、対象TTI内で搬送されるデータブロックを送受信するようにさらに構成されるか、または
トランシーバは、新しいTBSを使用して非解放部分で、対象TTI内で搬送されるデータブロックを送受信するようにさらに構成される。
【００４７】
場合によっては、プロセッサは、対象時間期間および対象周波数から構成される時間周波数リソースが第1の時間周波数リソースと重複するかどうかを判定するようにさらに構成され、対象時間期間および対象周波数から構成される時間周波数リソース内の少なくとも1つの時間周波数サブリソースが第1の時間周波数リソースと重複する場合、UEは、第1の時間周波数リソースと重複する少なくとも1つの時間周波数サブリソースを解放しないが、少なくとも1つの時間周波数サブリソース以外の、対象時間期間および対象周波数から構成される時間周波数リソース内の残りの時間周波数サブリソースを解放し、または対象時間期間および対象周波数から構成される時間周波数リソースが第1の時間周波数リソースと重複しない場合、UEは、対象時間期間および対象周波数から構成される時間周波数リソース内のすべての時間周波数サブリソースを解放し、第1の時間周波数リソースの時間周波数位置は、UEが位置するサービングセル内のすべてのUEによって一般に知られている。たとえば、第1の時間周波数リソースは、共通信号を送信するために使用される時間周波数リソースである。たとえば、第1の時間周波数リソースは、セル固有基準信号（Cell−specific Reference Signal、CRS）、同期信号（Synchronization Signal）、またはディスカバリ信号（Discovery signal）などの共通信号を送信するための時間周波数リソースであってもよい。あるいは、第1の時間周波数リソースは、物理ブロードキャストチャネル（Physical Broadcast Channel、PBCH）などの共通チャネルであってもよい。第1の時間周波数リソースは、アップリンク送信用の共通リソース、たとえば、物理ランダムアクセスチャネル（Physical Random Access Channel、PRACH）の時間周波数リソースであってもよい。第1の時間周波数リソースは、代替として、UEの復調基準信号（Demodulation RS、DMRS）およびサウンディング基準信号（Sounding RS、SRS）を送信するための時間周波数リソースであってもよい。
【００４８】
場合によっては、基地局が解放できる第1の時間周波数リソースは事前設定され、プロセッサは、割当てリソースが第1の時間周波数リソースと重複する（時間領域および／または周波数領域内の部分重複または完全重複を含む）かどうかに基づいて、リソースを解放するためのシグナリングを受信するべきかどうかを判定するようにさらに構成され、
トランシーバは、具体的に、割当てリソースが第1の時間周波数リソースと重複する場合、リソースを解放するためのシグナリングを受信し、または割当てリソースが第1の時間周波数リソースと重複しない場合、リソースを解放するためのシグナリングを受信することをスキップするように構成される。すなわち、基地局がUEに割り当てられたリソースを解放できないとき、トランシーバは、基地局によって送信された、リソースを解放するためのシグナリングを受信しなくてもよい。したがって、UEの電力消費を削減することができる。
【００４９】
場合によっては、リソースを解放するためのシグナリングの送信時点に対して複数の選択肢が存在する。送信時点は、リソースを解放するためのシグナリングによって示されたリソース位置の情報に対応する時間周波数リソースが位置する時間期間内に位置してもよく、割当てリソースが位置する時間期間内に位置してもよく、割当てリソースが位置する時間期間の後の指定された時間期間内に位置してもよい。
【００５０】
場合によっては、リソースを解放するためのシグナリングの送信時点が、具体的に時間周波数リソースが位置する時間期間内に位置する場合、リソースを解放するためのシグナリングをトランシーバが受信する時点は、基地局によって送信された、リソースをスケジュールするための第1のシグナリングをトランシーバが受信する時点の後に位置し、リソースを解放するためのシグナリングが受信される時点とリソースをスケジュールするための第1のシグナリングが受信される時点との間に第1の時間間隔が存在し、リソースをスケジュールするための第1のシグナリングは、ネットワーク側によってUEに割り当てられたリソースを示す。
【００５１】
場合によっては、リソースをスケジュールするための第1のシグナリングは、第1の時間間隔内で時間周波数リソースを解放するために使用されるリソース位置の情報をさらに示す。すなわち、リソースをスケジュールするための第1のシグナリングは、UEに割り当てられたリソースと、解放された時間周波数リソースのリソース位置の情報の両方を示すことができる。したがって、リソースを解放するためのシグナリングをUEが受信する回数を削減することができ、UEの電力消費を削減することができる。
【００５２】
場合によっては、トランシーバは、基地局によって送信された、リソースをスケジュールするための第2のシグナリングを受信するようにさらに構成され、リソースをスケジュールするための第2のシグナリングは、データ再送中にUEセットによって使用される時間周波数リソースを示し、UEセットは少なくともそのUEを含み、
プロセッサは、リソースをスケジュールするための第2のシグナリング、時間周波数リソース、および割当てリソースに基づいて、データ再送中にUEセットによって使用される第2の時間周波数リソースを特定するようにさらに構成される。
【００５３】
トランシーバは、第2の時間周波数リソース上で搬送され、基地局によって再送されるデータ内にあるデータを受信するようにさらに構成される。すなわち、UEは、基地局によって再送されたデータからそれぞれの再送データを取得することができる。
【００５４】
場合によっては、リソースを解放するためのシグナリングをトランシーバが受信する時点およびリソースをスケジュールするための第2のシグナリングをトランシーバが受信する時点は、同じ時間期間内にあるか、または
リソースをスケジュールするための第2のシグナリングをトランシーバが受信する時点は、リソースを解放するためのシグナリングをトランシーバが受信する時点の後の指定された時間期間内に位置する。
【００５５】
場合によっては、第2の時間周波数リソースは、データ再送中にUEセットによって使用される時間周波数リソースの少なくとも一部である。UEセットがそのUE（すなわち、1つのUE）のみを含み、基地局がそのUE向けにのみデータ再送を実行する場合、第2の時間周波数リソースは、データ再送中にUEセットによって使用される時間周波数リソースのすべてであってもよく、またはUEセットがそのUEを含む複数のUEを含み、基地局が複数のUE向けのデータ再送を同時に実行する場合、第2の時間周波数リソースは、データ再送中にUEセットによって使用される時間周波数リソースの一部であってもよい。
【００５６】
場合によっては、データ再送中にUEセットによって使用される時間周波数リソース上で搬送されるデータは、リソースを解放するためのシグナリングによって示されたリソース位置の情報に対応する時間周波数リソース上でUEに送信されるようにあらかじめ決められたデータを含む。
【００５７】
本発明の実施形態の第6の態様は、
事前設定された時間長を取得するように構成されたプロセッサと、
基地局によって送信された、リソースを解放するためのシグナリングを受信するように構成されたトランシーバであって、リソースを解放するためのシグナリングが、リソース解放を実行するようにUEに指示するために使用される、トランシーバと
を含む、UEを提供し、
プロセッサは、事前設定された時間長に基づいて、ネットワーク側によってUEにすでに割り当てられた割当てリソースの中の事前設定された時間長の対象時間期間を特定し、対象時間期間内にUEに割り当てられた各周波数を対象周波数として特定するようにさらに構成され、
プロセッサは、対象時間期間および対象周波数を解放するようにさらに構成される。UEは、基地局の指示に基づいて、割当てリソースのうちのいくつかを解放することができる。したがって、リソース占有重複によって引き起こされる干渉を効果的に低減することができ、データ送信の信頼性を向上させることができる。
【００５８】
場合によっては、プロセッサは、対象時間期間および対象周波数から構成される時間周波数リソースが第1の時間周波数リソースと重複するかどうかを判定するようにさらに構成され、対象時間期間および対象周波数から構成される時間周波数リソース内の少なくとも1つの時間周波数サブリソースが第1の時間周波数リソースと重複する場合、UEは、第1の時間周波数リソースと重複する少なくとも1つの時間周波数サブリソースを解放しないが、少なくとも1つの時間周波数サブリソース以外の、対象時間期間および対象周波数から構成される時間周波数リソース内の残りの時間周波数サブリソースを解放し、または対象時間期間および対象周波数から構成される時間周波数リソースが第1の時間周波数リソースと重複しない場合、UEは、対象時間期間および対象周波数から構成される時間周波数リソース内のすべての時間周波数サブリソースを解放し、第1の時間周波数リソースの時間周波数位置は、UEが位置するサービングセル内のすべてのUEによって一般に知られている。たとえば、第1の時間周波数リソースは、共通信号を送信するために使用される時間周波数リソースであってもよい。たとえば、第1の時間周波数リソースは、セル固有基準信号（Cell−specific Reference Signal、CRS）、同期信号（Synchronization Signal）、またはディスカバリ信号（Discovery signal）などの共通信号を送信するための時間周波数リソースであってもよい。あるいは、第1の時間周波数リソースは、物理ブロードキャストチャネル（Physical Broadcast Channel、PBCH）などの共通チャネルであってもよい。第1の時間周波数リソースは、アップリンク送信用の共通リソース、たとえば、物理ランダムアクセスチャネル（Physical Random Access Channel、PRACH）の時間周波数リソースであってもよい。第1の時間周波数リソースは、代替として、UEの復調基準信号（Demodulation RS、DMRS）、サウンディング基準信号（Sounding RS、SRS）などを送信するための時間周波数リソースであってもよい。
【００５９】
本発明の実施形態の第7の態様は、
リソース位置の情報を示すリソースを解放するためのシグナリングを少なくとも1つのUEに送信するように構成された送信機であって、リソースを解放するためのシグナリングが、リソース位置の情報に基づいて、ネットワーク側によって少なくとも1つのUEにすでに割り当てられた割当てリソースの中のリソース位置の情報に対応する時間周波数リソースを特定し、時間周波数リソースを解放するように少なくとも1つのUEに指示するために使用される、送信機
を含む、基地局を提供する。UEは、基地局の指示に基づいて、割当てリソースのうちのいくつかを解放することができる。したがって、リソース占有重複によって引き起こされる干渉を効果的に低減することができ、データ送信の信頼性を向上させることができる。
【００６０】
場合によっては、リソース位置の情報は、時間領域内の位置の情報、周波数領域内の位置の情報、キャリアインジケータ、ビームインジケータ、およびコードリソースインジケータのうちの少なくとも1つを含む。
【００６１】
場合によっては、リソースを解放するためのシグナリングの送信時点に対して複数の選択肢が存在する。送信時点は、リソースを解放するためのシグナリングによって示されたリソース位置の情報に対応する時間周波数リソースが位置する時間期間内に位置してもよく、割当てリソースが位置する時間期間内に位置してもよく、割当てリソースが位置する時間期間の後の指定された時間期間内に位置してもよい。
【００６２】
場合によっては、送信機は、リソースをスケジュールするための第2のシグナリングを少なくとも1つのUEに送信するようにさらに構成され、リソースをスケジュールするための第2のシグナリングは、データ再送中にUEセットによって使用される時間周波数リソースを示し、UEセットは少なくとも1つのUEを含み、その結果、少なくとも1つのUEは、リソースをスケジュールするための第2のシグナリング、時間周波数リソース、および割当てリソースに基づいて、第2の時間周波数リソースを特定し、
送信機は、UEセットにデータを再送するようにさらに構成され、少なくとも1つのUEは、第2の時間周波数リソース上で搬送され、送信機によって再送されたデータ内にあるデータを受信し、すなわち、基地局は各UEにデータを再送することができる。
【００６３】
場合によっては、第2の時間周波数リソースは、データ再送中にUEセットによって使用される時間周波数リソースの少なくとも一部である。UEセットがただ1つのUEを含み、基地局が1つのUE向けにのみデータ再送を実行する場合、第2の時間周波数リソースは、データ再送中にUEセットによって使用される時間周波数リソースのすべてであってもよく、またはUEセットが複数のUEを含み、基地局が複数のUE向けのデータ再送を同時に実行する場合、第2の時間周波数リソースは、データ再送中にUEセットによって使用される時間周波数リソースの一部であってもよい。
【００６４】
場合によっては、データ再送中にUEセットによって使用される時間周波数リソース上で搬送されるデータは、リソースを解放するためのシグナリングによって示されたリソース位置の情報に対応する時間周波数リソース上で少なくとも1つのUEに送信されるようにあらかじめ決められたデータを含む。
【００６５】
本発明の実施形態の第8の態様は、
少なくとも1つのUEにRRCシグナリングを送信するように構成された送信機であって、RRCシグナリングが事前設定された時間長を搬送する、送信機
を含む、基地局を提供し、
送信機は、少なくとも1つのUEにリソースを解放するためのシグナリングを送信するようにさらに構成され、リソースを解放するためのシグナリングは、事前設定された時間長に基づいて、ネットワーク側によって少なくとも1つのUEにすでに割り当てられた割当てリソースの中の事前設定された時間長の対象時間期間を特定し、対象時間期間内に少なくとも1つのUEに割り当てられた各周波数を対象周波数として特定し、対象時間期間および対象周波数を解放するように、少なくとも1つのUEに指示するために使用される。UEは、基地局の指示に基づいて、割当てリソースのうちのいくつかを解放することができる。したがって、リソース占有重複によって引き起こされる干渉を効果的に低減することができ、データ送信の信頼性を向上させることができる。リソースを解放するためのシグナリングも簡略化され、ネットワークシグナリングの負荷を低減することができる。
【００６６】
本発明の実施形態では、UEは、基地局によって送信された、リソースを解放するためのシグナリングを受信することであって、リソースを解放するためのシグナリングがリソース位置の情報を示す、受信することと、リソース位置の情報に基づいて、ネットワーク側によってUEにすでに割り当てられた割当てリソースの中のリソース位置の情報に対応する時間周波数リソースを特定し、次いで、時間周波数リソースを解放することとを行う。UEは、基地局の指示に基づいて、割当てリソースのうちのいくつかを解放することができる。したがって、リソース占有重複によって引き起こされる干渉を効果的に低減することができ、データ送信の信頼性を向上させることができる。
【００６７】
本発明における技術的解決策をより明確に説明するために、以下で、実施形態を説明するために必要とされる添付図面を簡単に説明する。明らかに、以下の説明における添付図面は本発明のいくつかの実施形態を示すにすぎず、当業者は、創造的な努力なしに、これらの添付図面から他の図面をさらに導出することができる。
【図面の簡単な説明】
【００６８】
【図１】本発明の一実施形態による、リソース管理方法の第1の実施形態の概略フローチャートである。
【図２】本発明の一実施形態による、リソース管理方法の第2の実施形態の概略フローチャートである。
【図３】本発明の一実施形態による、リソース管理方法の第3の実施形態の概略フローチャートである。
【図４】本発明の一実施形態による、リソース管理方法の第4の実施形態の概略フローチャートである。
【図５】本発明の一実施形態による、リソース管理方法の第5の実施形態の概略フローチャートである。
【図６】本発明の一実施形態による、リソース管理方法の第6の実施形態の概略フローチャートである。
【図７】本発明の一実施形態による、UEの概略構造図である。
【図８】本発明の一実施形態による、基地局の概略構造図である。
【発明を実施するための形態】
【００６９】
図1を参照すると、図1は、本発明の一実施形態による、リソース管理方法の第1の実施形態の概略フローチャートである。この実施形態に記載されるリソース管理方法は、主にUEの側から記載され、以下のステップを含む。
【００７０】
S101．UEが、基地局によって送信された、リソースを解放するためのシグナリングを受信し、リソースを解放するためのシグナリングはリソース位置の情報を示す。
【００７１】
具体的には、リソースを解放するようにUEに指示するために使用されるリソースを解放するためのシグナリングが本発明のこの実施形態に導入され、リソースを解放するためのシグナリングは、データ送信をスケジュールするために使用される（DCIなどの）スケジューリングシグナリングに比べて簡略化され、リソース位置の情報を含むだけでよい。基地局は、具体的に、複数のUE間のリソース占有が重複すると判定された場合、リソースを解放するためのシグナリングを1つまたは複数のUEに送信することができる。たとえば、第1のUEは、ネットワーク側によって割り当てられたリソースを使用してデータ送信を実行し、第2のUEは、散発的であること、高いサービス優先度、高い遅延要件などの少なくとも1つを満たすサービスのデータを送信する必要がある。この場合、ネットワーク側によって第2のUEに割り当てられたリソースは、第1のUEによって現在占有されているリソースと重複する可能性があり、したがって、基地局はリソースを解放するためのシグナリングを第1のUEに送信することができる。
【００７２】
リソース位置の情報は、時間領域内の位置の情報、周波数領域内の位置の情報、キャリアインジケータ、ビームインジケータ、およびコードリソースインジケータのうちの少なくとも1つを含んでもよい。時間領域内の位置の情報はリソースの時間領域サイズを示し、周波数領域内の位置の情報はリソースの周波数領域サイズを示す。リソースを解放するためのシグナリングの有効時間は、スケジューリングシグナリングの有効時間と同じであってもよく、制御とデータ送信との間の既存の時間シーケンス関係は、変更されないままであってもよい。
【００７３】
いくつかの実現可能な実装形態では、ネットワーク側は、リソースを基地局が解放できるリソースと基地局が解放できないリソースに分割することができ、基地局が解放できるリソースは、事前設定された第1の時間周波数リソースとして表記される。UEにリソースを割り当てる前に、ネットワーク側は、ブロードキャストシグナリング、RRCシグナリングなどを使用して、UEに割り当てられるべきリソースが、基地局が解放できるリソースか、基地局が解放できないリソースかをUEに通知することができる。ステップS101を実行する前に、UEは、最初に、ネットワーク側によってUEにすでに割り当てられた割当てリソースと第1の時間周波数リソースとの間の重複状況を取得し、次いで重複状況に基づいて、基地局から送信された、リソースを解放するためのシグナリングを受信するべきかどうかを判定する。これは、具体的には、割当てリソースが第1の時間周波数リソースと重複する場合、本明細書における重複は時間領域および／もしくは周波数領域内の部分重複または完全重複を含むが、UEはステップS101を実行する、すなわち、基地局によって送信された、リソースを解放するためのシグナリングを受信することができること、または割当てリソースが第1の時間周波数リソースと重複しない場合、UEはステップS101を実行しない、すなわち、基地局によって送信された、リソースを解放するためのシグナリングを受信することも、後続のステップS102およびS103を実行することも行わなくてもよいことを含む。すなわち、基地局がUEに割り当てられたリソースを解放できない場合、UEはリソースを解放するためのシグナリングを受信せず、UEはリソースを解放するためのシグナリングに従うことができなくてもよく、それにより、UEの電力消費が削減される。
【００７４】
S102．リソース位置の情報は、時間領域内の位置の情報および周波数領域内の位置の情報を含み、UEが、時間領域内の位置の情報および周波数領域内の位置の情報に基づいて、ネットワーク側によってUEにすでに割り当てられた割当てリソースの中の時間領域内の位置の情報に対応する対象時間期間および周波数領域内の位置の情報に対応する対象周波数を特定する。
【００７５】
S103．UEが、対象時間期間および対象周波数から構成される時間周波数リソースを解放する。
【００７６】
具体的には、リソース位置の情報は、時間領域内の位置の情報および周波数領域内の位置の情報を含んでもよく、すなわち、基地局は、別のUEによって必要とされるリソースの数に基づいて、UEが解放する必要があるリソースの時間領域サイズおよび周波数領域サイズを示すことができ、UEは、割当てリソースの中で、時間領域内の位置の情報および周波数領域内の位置の情報に対応する時間周波数リソース（すなわち、解放される必要があるリソース）を特定し、UEは必要に応じてリソースを解放する。したがって、リソースの利用率が向上する可能性がある。
【００７７】
いくつかの実現可能な実装形態では、リソース位置の情報は時間領域内の位置の情報のみを含んでもよく、ネットワーク側によってUEにすでに割り当てられた割当てリソースは時間および周波数を含み、UEは、時間領域内の位置の情報に基づいて、割当てリソースの中の時間領域内の位置の情報に対応する対象時間期間を特定し、対象時間期間内にUEに割り当てられた各周波数を対象周波数として特定し、対象時間期間および対象周波数から構成される時間周波数リソースを解放する。
【００７８】
具体的には、基地局によって送信された、リソースを解放するためのシグナリングは、解放される必要があるリソースの時間領域サイズのみを示す。この場合、UEは、時間領域内の位置の情報に対応する時間領域リソースを解放し、時間領域リソース上でUEに割り当てられたすべての周波数領域リソースを解放することができ、リソースを解放するためのシグナリングのさらなる簡略化により、ネットワークのシグナリング負荷が効果的に低減される。
【００７９】
いくつかの実現可能な実装形態では、リソース解放粒度単位は、毎回解放される2つのOFDMシンボルであり、割当てリソースは、1、2、3、4、5、6、7、8、9、および10の番号が付けられた10個のOFDMシンボルであると仮定する。リソースを解放するためのシグナリングの送信時点に対して、以下を含む複数の選択肢が存在してもよい。リソースを解放するためのシグナリングの送信時点は、リソースを解放するためのシグナリングによって示されたリソース位置の情報に対応する時間周波数リソースが位置する時間期間内に位置し、時間周波数リソースが3および4の番号が付けられたOFDMシンボルなどの1つのリソース解放粒度単位である場合、リソースを解放するためのシグナリングの送信時点は、3および4の番号が付けられたOFDMシンボルが位置する時間期間内に位置し、または時間周波数リソースが複数のリソース解放粒度単位である、たとえば、具体的に2つのリソース解放粒度単位（3および4の番号が付けられたOFDMシンボルならびに7および8の番号が付けられたOFDMシンボル）である場合、リソースを解放するためのシグナリングは2回送信される必要があり、送信時点は、それぞれ、3および4の番号が付けられたOFDMシンボルが位置する時間期間、ならびに7および8の番号が付けられたOFDMシンボルが位置する時間期間である。すなわち、UEは、基地局によって送信された、リソースを解放するためのシグナリングを複数回受信する必要があり、割当てリソースのうちのどのリソースが時間周波数リソースであるかを迅速に判定することができる。
【００８０】
あるいは、リソースを解放するためのシグナリングの送信時点は、割当てリソースが位置する時間期間内に位置し、リソースを解放するためのシグナリングが2つのOFDMシンボルを占有する場合、リソースを解放するためのシグナリングの送信時点は、9および10の番号が付けられたOFDMシンボルが位置する時間期間内に位置してもよい。すなわち、UEは、割当てリソースが位置する時間期間の終了時に、リソースを解放するためのシグナリングを一度だけ受信し、この場合、時間周波数リソースは、1つまたは複数のリソース解放粒度単位であってもよい。たとえば、時間周波数リソースが具体的に2つのリソース解放粒度単位（3および4の番号が付けられたOFDMシンボルならびに7および8の番号が付けられたOFDMシンボル）である場合、UEは、割当てリソースが位置する時間期間の終了時にリソースを解放するためのシグナリングを受信したときのみ、3および4の番号が付けられたOFDMシンボルならびに7および8の番号が付けられたOFDMシンボルとして、時間周波数リソースを特定することができる。
【００８１】
あるいは、リソースを解放するためのシグナリングの送信時点は、割当てリソースが位置する時間期間の後に位置し、たとえば、具体的に割当てリソースの中の最後のOFDMシンボルの後の2つの隣接するOFDMシンボル内にあってもよく、具体的に割当てリソースの中の最後のOFDMシンボルから時間間隔を開けた2つのOFDMシンボル内にあってもよい。この場合、UEはまた、割当てリソースが位置する時間期間の後のリソースを解放するためのシグナリングを受信したときのみ、時間周波数リソースを特定することができ、現在の10個のOFDMシンボル1〜10の場合、UEは一度だけリソースを解放するためのシグナリングを受信する必要がある。
【００８２】
本発明のこの実施形態では、リソース解放粒度単位が毎回解放される2つのOFDMシンボルである例が使用され、割当てリソースが10個のOFDMシンボルである例が使用されることに留意されたい。実際の適用シナリオ要件に応じて、リソース解放粒度単位は、代替として、毎回解放される（1または3などの）別の数のOFDMシンボルであってもよく、割当てリソースは、代替として、（5または20などの）別の数のOFDMシンボルであってもよい。確かに、リソース解放粒度単位および割当てリソースはさらに、TTIまたはタイムスロット形式で示されてもよい。
【００８３】
いくつかの実現可能な実装形態では、リソースを解放するためのシグナリングの送信時点が、時間周波数リソースが位置する時間期間内に位置する場合、リソースを解放するためのシグナリングをUEが受信する時点は、基地局によって送信された、リソースをスケジュールするための第1のシグナリングをUEが受信する時点の後に位置してもよく、リソースをスケジュールするための第1のシグナリングは、UEにリソースを割り当てるために使用され、ネットワーク側によってUEに割り当てられたリソースを示す。
【００８４】
さらに、リソースを解放するためのシグナリングが受信される時点と、リソースをスケジュールするための第1のシグナリングが受信される時点との間の時間間隔が第1の時間間隔として表記された場合、リソースをスケジュールするための第1のシグナリングは、第1の時間間隔内で時間周波数リソースを解放するために使用され、すなわち、リソースをスケジュールするための第1のシグナリングは、割当てリソースと第1の時間間隔内で解放された時間周波数リソースの両方を示す。たとえば、現在の10個のOFDMシンボル1〜10の場合、全体で解放される時間周波数リソースは、2つのリソース解放粒度単位（1および2の番号が付けられたOFDMシンボルならびに5および6の番号が付けられたOFDMシンボル）である。この場合、第1の時間間隔は1〜4の番号が付けられた4つのOFDMシンボルであり、現在の10個のOFDMシンボル1〜10がUEに割り当てられていることを示しながら、リソースをスケジュールするための第1のシグナリングは、第1の時間間隔内で解放された時間周波数リソースが、1および2の番号が付けられたOFDMシンボルであることをさらに示す。第1の時間間隔の後、UEは、5および6の番号が付けられたOFDMシンボルが位置する時間期間内に送信時点が位置するリソースを解放するためのシグナリングを一度受信し、リソースをスケジュールするための第1のシグナリングおよびリソースを解放するためのシグナリングに基づいて、全体で解放される時間周波数リソースを特定することができ、リソースをスケジュールするための第1のシグナリングは、第1の時間間隔内の時間周波数リソースのリソース位置の情報を示すために使用され、UEは、リソースを解放するためのシグナリングを受信する回数を削減することができる。
【００８５】
いくつかの実現可能な実装形態では、リソース位置の情報は周波数領域内の位置の情報のみを含んでもよく、UEは、事前設定された時間長および周波数領域内の位置の情報に基づいて、ネットワーク側によってUEにすでに割り当てられた割当てリソースの中の事前設定された時間長の対象時間期間および周波数領域内の位置の情報に対応する対象周波数を特定し、対象時間期間および対象周波数から構成される時間周波数リソースを解放する。
【００８６】
具体的には、UEがデータ送信を実行するとき、基地局がリソースを解放するためのシグナリングをUEに送信する前に、基地局は、UEに（RRCシグナリングなどの）上位レイヤシグナリングをUEに送信し、上位レイヤシグナリングを使用してUEに事前設定された時間長を通知することができるか、または事前設定された時間長は、UEと基地局との間の通信プロトコル内に設定されてもよく、UEは、通信プロトコルに従って事前設定された時間長を直接取得することができ、基地局から事前設定された時間長を取得する必要はない。
【００８７】
基地局によって送信された、リソースを解放するためのシグナリングは、解放される必要があるリソースの周波数領域サイズのみを示し、時間領域サイズを決定するための事前設定された時間長は、あらかじめ基地局によってUEに通知されるか、またはUEと基地局との間の通信プロトコルから直接UEによって取得されることが分かる。リソースを解放するためのシグナリングのさらなる簡略化により、ネットワークシグナリングの負荷を効果的に低減することができる。
【００８８】
いくつかの実現可能な実装形態では、リソースを解放するためのシグナリングは、リソース位置の情報を含まない場合があり、すなわち、解放される必要があるリソースの時間領域サイズおよび周波数領域サイズを示さない場合があり、リソースを解放するためのシグナリングはさらに簡略化され、たとえば、1ビット（bit）を含むだけでもよい。ビットが1に設定されると、それは、UEがリソース解放を実行する必要があることを示す。
【００８９】
具体的には、UEがデータ送信を実行するとき、基地局がリソースを解放するためのシグナリングをUEに送信する前に、基地局は、（RRCシグナリングなどの）上位レイヤシグナリングをUEに送信し、上位レイヤシグナリングを使用して、解放される必要があるリソースの時間領域サイズを決定するために使用される事前設定された時間長をUEに通知することができるか、または事前設定された時間長は、UEと基地局との間の通信プロトコル内に設定されてもよく、時間領域の時間領域リソース上でUEに割り当てられたすべての周波数領域リソースが解放される。
【００９０】
いくつかの実現可能な実装形態では、時間領域内の位置の情報および事前設定された時間長は、具体的に、OFDMシンボルの数、TTIの数、およびTTIの長さのうちの少なくとも1つを含んでもよい。すなわち、基地局は、OFDMシンボルの数、TTIの数、およびTTIの長さなどのパラメータを使用して、UEが解放する必要があるリソースの時間領域サイズを具体的に示すことができる。周波数領域内の位置の情報は、具体的にサブキャリアの数を含んでもよく、UEが解放する必要があるリソースの周波数領域サイズを示すために使用される。
【００９１】
いくつかの実現可能な実装形態では、リソース位置の情報は、キャリアインジケータをさらに含んでもよく、UEが複数のキャリアを同時に使用してUEと基地局との間でデータ送信を実行する場合、UEは、キャリアインジケータによって示されたキャリア上のみの時間周波数リソースを解放する。
【００９２】
いくつかの実現可能な実装形態では、リソース位置の情報は、ビームインジケータをさらに含んでもよく、UEが複数のビームを同時に使用してUEと基地局との間でデータ送信を実行する場合、UEは、ビームインジケータによって示されたビーム上のみの時間周波数リソースを解放する。
【００９３】
いくつかの実現可能な実装形態では、リソース位置の情報は、コードリソースインジケータをさらに含んでもよく、UEが複数のコードチャネルを同時に使用してUEと基地局との間でデータ送信を実行する場合、UEは、コードリソースインジケータによって示されたコードチャネル上のみの時間周波数リソースを解放する。
【００９４】
いくつかの実現可能な実装形態では、リソース位置の情報は、キャリアインジケータ、ビームインジケータ、およびコードリソースインジケータのうちの少なくとも2つのパラメータをさらに含んでもよく、したがって、UEは、少なくとも2つのパラメータによって一緒に特定されたリソース上のみの時間周波数リソースを解放する。
【００９５】
いくつかの実現可能な実装形態では、UEが時間周波数リソースを解放した後、時間周波数リソース上でUEに送信されるようにあらかじめ決められたデータは、UEに送信されない。この場合、基地局はデータを再送することができ、再送は、UEにデータを再送すること、または複数のUEにデータを同時に再送することを含む。
【００９６】
具体的な実装中、UEは、基地局によって送信された、リソースをスケジュールするための第2のシグナリングを受信し、リソースをスケジュールするための第2のシグナリングは、データ再送中にUEセットによって使用される時間周波数リソースを示し、すなわち、時間周波数リソースは、基地局がUEセットに含まれるUEに対してデータ再送を実行するときに使用されるリソースであり、UEセットは少なくともそのUEを含む。UEは、データ再送中にUEセットによって使用される時間周波数リソースを特定し、データ再送中にUEセットによって使用される時間周波数リソース、時間周波数リソース、および割当てリソースに基づいて、データ再送中にUEセットによって使用される第2の時間周波数リソースを特定し、次いで、第2の時間周波数リソース上で搬送され、基地局によって再送されたデータ内にあるデータを受信し、その結果、UEセットに含まれるUEは、基地局によって再送されたデータから、それぞれの再送データを取得することができる。
【００９７】
データ再送中にUEセットによって使用される時間周波数リソース上で搬送されるデータは、時間周波数リソース上でUEに送信されるようにあらかじめ決められたデータを含む。
【００９８】
いくつかの実現可能な実装形態では、時間周波数リソース上でUEに送信されるようにあらかじめ決められたデータの場合、基地局は、一度にすべてのデータをUEに再送してもよく、バッチで複数回にわたってUEにデータを再送してもよい。リソース解放粒度単位が毎回解放される2つのOFDMシンボルである場合、割当てリソースは、1、2、3、4、5、6、7、8、9、および10の番号が付けられた10個のOFDMシンボルであり、UEによって解放される時間周波数リソースは、3、4、7、および8の番号が付けられた4つのOFDMシンボルであり、4つのOFDMシンボル上でUEに送信されるようにあらかじめ決められたデータを再送するとき、基地局は、4つのOFDMシンボルを使用してデータ再送を直ちに実行することができる。確かに、4つのOFDMシンボル上でUEに送信されるようにあらかじめ決められたデータに対して圧縮処理が実行された後、基地局は、4つ未満のOFDMシンボルを使用して一度にデータを再送することができる。あるいは、データは、2つのOFDMシンボルまたは2つ未満OFDMシンボルをそれぞれ使用することにより、連続的にバッチで複数回にわたって再送されてもよい。たとえば、3および4の番号が付けられた2つのOFDMシンボル上でUEに送信されるようにあらかじめ決められたデータは、2つのOFDMシンボルまたは2つ未満のOFDMシンボルを使用することによって最初に再送され、次いで、7および8の番号が付けられた2つのOFDMシンボル上でUEに送信されるようにあらかじめ決められたデータは、2つのOFDMシンボルまたは2つ未満のOFDMシンボルを使用することによって再送され、その結果、UEは、4つのOFDMシンボル上でUEに送信されるようにあらかじめ決められ、基地局によって再送されたデータを取得する。
【００９９】
別の例を挙げると、UEセットは、2つのUE：UE1およびUE2を含む。UE1がUEであり、UE1は、3および4の番号が付けられた2つのOFDMシンボル上の5MHzの帯域幅リソースを解放し、UE2は、5および6の番号が付けられた2つのOFDMシンボル上の5MHzの帯域幅リソースを解放すると仮定する。この場合、基地局は、2つのUE：UE1およびUE2にデータを再送する必要があり、データ再送中にUEセットによって使用される時間周波数リソースが、4つのOFDMシンボル上の5MHzの帯域リソースである場合、UE1およびUE2は、それぞれのリソース解放時点に基づいて、対応する第2の時間周波数リソースをそれぞれ取得することができる。UE1の第2の時間周波数リソースは、4つのOFDMシンボル上の5MHzの帯域幅リソースの最初の2つのOFDMシンボル上の5MHzの帯域幅リソースであってもよく、UE2の第2の時間周波数リソースは、4つのOFDMシンボル上の5MHzの帯域幅リソースの最後の2つのOFDMシンボル上の5MHzの帯域幅リソースであってもよく、その結果、UE1は、最初の2つのOFDMシンボル上の5MHzの帯域幅リソース上で搬送されるデータを受信し、UE2は、最後の2つのOFDMシンボル上の5MHzの帯域幅リソース上で搬送されるデータを受信する。確かに、再送データに対して圧縮処理が実行された後、基地局は、OFDMシンボル数および／または帯域幅が削減された後に取得される時間周波数リソースを使用してデータを再送することができる。この場合、UE1およびUE2に対応するそれぞれの第2の時間周波数リソースも、等しい割合で削減される。
【０１００】
別の例を挙げると、UE1は、3および4の番号が付けられた2つのOFDMシンボル上の5MHzの帯域幅リソースを解放し、UE2も、3および4の番号が付けられた2つのOFDMシンボル上の5MHzの帯域幅リソースを解放し、UE1によって解放された5MHzの帯域幅リソースおよびUE2によって解放された5MHzの帯域幅リソースは、3および4の番号が付けられた2つのOFDMシンボル上の異なる周波数帯域位置をそれぞれ占有する。UE1によって解放された5MHzの帯域幅リソースは、3および4の番号が付けられた2つのOFDMシンボル上の第1の周波数帯域位置に対応し、UE2によって解放された5MHzの帯域幅リソースは、3および4の番号が付けられた2つのOFDMシンボル上の第2の周波数帯域位置に対応すると仮定する。この場合、基地局は、2つのUE、UE1およびUE2にデータを再送する必要があり、データ再送中にUEセットによって使用される時間周波数リソースが、2つのOFDMシンボル上の10MHzの帯域リソースである場合、UE1およびUE2は、それぞれの対応する周波数帯域位置に基づいて、対応する第2の時間周波数リソースをそれぞれ取得することができる。UE1の第2の時間周波数リソースは、2つのOFDMシンボル上の第1の周波数帯域位置に対応する5MHzの帯域幅リソースであってもよく、UE2の第2の時間周波数リソースは、2つのOFDMシンボル上の第2の周波数帯域位置に対応する5MHzの帯域幅リソースであってもよく、その結果、UE1は、2つのOFDMシンボル上の第1の周波数帯域位置に対応する5MHzの帯域幅リソースによって搬送されるデータを受信し、UE2は、2つのOFDMシンボル上の第2の周波数帯域位置に対応する5MHzの帯域幅リソースによって搬送されるデータを受信する。確かに、再送データに対して圧縮処理が実行された後、基地局は、OFDMシンボル数および／または帯域幅が削減された後に取得される時間周波数リソースを使用してデータを再送することができる。この場合、UE1およびUE2に対応するそれぞれの第2の時間周波数リソースも、等しい割合で削減される。
【０１０１】
いくつかの実現可能な実装形態では、リソースを解放するためのシグナリングをUEが受信する時点およびリソースをスケジュールするための第2のシグナリングをUEが受信する時点は、いくつかの同じOFDMシンボル上などの同じ時間期間内にあってもよく、またはリソースをスケジュールするための第2のシグナリングをUEが受信する時点は、リソースを解放するためのシグナリングをUEが受信する時点の後の指定された時間期間内に位置してもよい。たとえば、指定された時間期間は、具体的に、リソースを解放するためのシグナリングが受信される時点に対応するOFDMシンボルの後のいくつかの隣接するOFDMシンボルであってもよく、具体的に、リソースを解放するためのシグナリングが受信される時点に対応するOFDMシンボルから時間間隔を開けたいくつかのOFDMシンボルであってもよい。
【０１０２】
いくつかの実現可能な実装形態では、第2の時間周波数リソースは、データ再送中にUEセットによって使用される時間周波数リソースの少なくとも一部である。UEセットがそのUE（すなわち、1つのUE）のみを含み、基地局がそのUE向けにのみデータ再送を実行する場合、第2の時間周波数リソースは、データ再送中にUEセットによって使用される時間周波数リソースのすべてであってもよく、またはUEセットがそのUEを含む複数のUEを含み、基地局が複数のUE向けのデータ再送を同時に実行する場合、第2の時間周波数リソースは、データ再送中にUEセットによって使用される時間周波数リソースの一部であってもよい。
【０１０３】
いくつかの実現可能な実装形態では、データ再送中にUEセットによって使用される時間周波数リソース上で搬送されるデータは、リソースを解放するためのシグナリングによって示されたリソース位置の情報に対応する時間周波数リソース上でUEに送信されるようにあらかじめ決められたデータを含む。
【０１０４】
本発明のこの実施形態では、UEは、基地局によって送信された、リソースを解放するためのシグナリングを受信することであって、リソースを解放するためのシグナリングがリソース位置の情報を示す、受信することと、リソース位置の情報に基づいて、ネットワーク側によってUEにすでに割り当てられた割当てリソースの中のリソース位置の情報に対応する時間周波数リソースを特定し、次いで、時間周波数リソースを解放することとを行う。UEは、基地局の指示に基づいて、割当てリソースのうちのいくつかを解放することができる。したがって、リソース占有重複によって引き起こされる干渉を効果的に低減することができ、データ送信の信頼性を向上させることができる。
【０１０５】
図2を参照すると、図2は、本発明の一実施形態による、リソース管理方法の第2の実施形態の概略フローチャートである。この実施形態に記載されるリソース管理方法は、主にUEの側から記載され、以下のステップを含む。
【０１０６】
S201．UEが、基地局によって送信された、リソースを解放するためのシグナリングを受信し、リソースを解放するためのシグナリングはリソース位置の情報を示す。
【０１０７】
S202．ネットワーク側によってUEにすでに割り当てられた割当てリソースは第1のTTIを含み、UEが、第1のTTI内で、リソース位置の情報に含まれる時間領域内の位置の情報に対応する対象時間期間を特定するか、またはUEが、第1のTTI内で、事前設定された時間長の対象時間期間を特定する。
【０１０８】
第1のTTIは、従来のLTEシステムにおいて規定されるロングTTIであってもよい。基地局は、具体的に、複数のUE間のリソース占有が重複すると判定された場合、リソースを解放するためのシグナリングを1つまたは複数のUEに送信することができる。たとえば、第1のUEは、ネットワーク側によって割り当てられた（ロングTTIなどの）リソースを使用してデータ送信を実行し、第2のUEは、ショートTTIを使用して、散発的であること、高いサービス優先度、高い遅延要件などの少なくとも1つを満たすサービスのデータを送信する必要がある。この場合、ネットワーク側によって第2のUEに割り当てられたショートTTIは、第1のUEによって現在占有されているロングTTIと重複する可能性があり、したがって、基地局は、リソース位置の情報を示すリソースを解放するためのシグナリングを第1のUEに送信してもよい。事前設定された時間長およびリソース位置の情報に含まれる時間領域内の位置の情報は、OFDMシンボル数またはショートTTIに対応するTTI長を含んでもよい。
【０１０９】
具体的には、UEは、時間領域内の位置の情報または事前設定された時間長に基づいて、第1のTTI内で、対応する数のOFDMシンボルまたは対応する長さのTTIを解放する。
【０１１０】
S203．UEが、対象時間期間内にUEに割り当てられた周波数内で、リソース位置の情報に含まれる周波数領域内の位置の情報に対応する対象周波数を特定するか、またはUEが、対象時間期間内にUEに割り当てられた各周波数を対象周波数として特定する。
【０１１１】
S204．UEが対象時間期間および対象周波数を解放する。
【０１１２】
本発明のこの実施形態では、UEは、基地局によって送信された、リソースを解放するためのシグナリングを受信し、リソースを解放するためのシグナリングはリソース位置の情報を示し、ネットワーク側によってUEにすでに割り当てられた割当てリソースはロングTTIを含む。UEは、ロングTTI内で、リソース位置の情報に含まれる時間領域内の位置の情報または事前設定された時間長によって示された、対応する数のOFDMシンボルまたは対応する長さのTTIを解放し、リソース位置の情報に含まれる周波数領域内の位置の情報に対応する周波数、またはロングTTI内でUEに割り当てられた各周波数を解放することができる。UEは、基地局の指示に基づいて、割当てリソースのうちのいくつかを解放することができる。したがって、リソース占有重複によって引き起こされる干渉を効果的に低減することができ、データ送信の信頼性を向上させることができる。
【０１１３】
図3を参照すると、図3は、本発明の一実施形態による、リソース管理方法の第3の実施形態の概略フローチャートである。この実施形態に記載されるリソース管理方法は、主にUEの側から記載され、以下のステップを含む。
【０１１４】
ステップS301〜ステップS303については、上記実施形態におけるステップS101〜ステップS103を参照されたい。詳細は本明細書では再び記載されない。
【０１１５】
S304．ネットワーク側によってUEにすでに割り当てられた割当てリソースは、K個のbundlingTTIを含み、対象周波数は、K個のbundlingTTI内の対象TTI内でUEに割り当てられた周波数の一部またはすべてであり、UEが、対象TTIの解放部分をパンクチャし、新しいレートマッチングパラメータを使用して対象TTIの非解放部分で、対象TTI内で搬送されるRVもしくはデータブロックを送受信するか、または新しいトランスポートブロックサイズTBSを使用して非解放部分で、対象TTI内で搬送されるデータブロックを送受信する。
【０１１６】
Kは1より大きい整数であり、TTIbundlingは、1つのUEに対するデータ送信スケジューリングを実行するために複数のTTIを結合することであり、複数のTTIは、1つのスケジューリングシグナリングを使用して一度スケジューリングされてもよく、K個のbundlingTTIは、同じデータブロックまたはK個のデータブロックのK個の冗長バージョン（Redundancy Version、RV）を搬送するために使用され、bundlingを実行するためのTTIは時間的に連続であっても時間的に不連続であってもよく、対象TTIは1つまたは複数のTTIであってもよい。
【０１１７】
具体的には、bundlingTTIと単一TTIが共存し、UEによって解放される対象時間期間が対象TTIであり、対象周波数は対象TTI内でUEに割り当てられた周波数の一部またはすべてである。UEは、対象TTIの解放部分をパンクチャする。すなわち、解放部分で、アップリンクデータの送信電力は0であり、ダウンリンクデータは受信されない。あるいは、UEは、対象TTIの非解放部分および対象TTI内で搬送されるRVまたはデータブロックに基づいてレートマッチングパラメータをリセットし、新しいレートマッチングパラメータを使用して非解放部分で、対象TTI内で搬送されるRVまたはデータブロックを送受信する。あるいは、UEは、非解放部分に基づいて、対象TTI内で搬送されるデータブロックを再区分化し、新しいトランスポートブロックサイズ（Transport Block Size、TBS）を使用して、対象TTI内で搬送されるデータブロックを送受信する。
【０１１８】
対象TTI内でUEに割り当てられた各周波数が解放された場合、UEは、対象TTI上でデータを送信することもデータを受信することも行わないことに留意されたい。
【０１１９】
S305．UEが、対象TTIの後の次に利用可能なTTI内で、対象TTI内で搬送されるRVまたはデータブロックを送受信する。
【０１２０】
具体的には、対象TTIが、同じデータブロックの複数のRVのうちの（RV0などの）最も重要なRVを搬送する場合、UEは、対象TTIの後の次に利用可能なTTI内で、対象TTI内で搬送されるRVを再び送受信して、最も重要なRVが一度完全に送信されたことを保証することができる。したがって、データ送信の信頼性を向上させることができる。
【０１２１】
対象TTIがデータブロックを搬送する場合、対象TTI内で搬送されるデータブロックに対して、UEは、対象TTIの後の次に利用可能なTTI内でデータブロックを送受信することを選択することができる。
【０１２２】
いくつかの実現可能な実装形態では、対象TTI内で搬送されるデータブロックに対して、UEは、対象TTIの後の次に利用可能なTTI内でデータブロックを送信しないまたは受信しないことを選択することができる。
【０１２３】
S306．UEが、K個のbundlingTTIの後の次に利用可能なTTI内で、K個のRVのうちの最後のRVまたはK個のデータブロックのうちの最後のデータブロックを送受信する。
【０１２４】
具体的には、UEは、ネットワーク側によって割り当てられたリソース内のK個のbundlingTTIの後の次に利用可能なTTIを別々に使用して、最後のRVまたは最後のデータブロックを送信することができる。したがって、データ送信の信頼性をさらに向上させることができる。
【０１２５】
本発明のこの実施形態では、UEは、基地局によって送信された、リソースを解放するためのシグナリングを受信することであって、リソースを解放するためのシグナリングがリソース位置の情報を示す、受信することと、リソース位置の情報に基づいて、ネットワーク側によってUEにすでに割り当てられた割当てリソースの中のリソース位置の情報に対応する時間周波数リソースを特定し、次いで、時間周波数リソースを解放することとを行う。TTIbundlingシナリオでは、UEは、複数のbundlingTTIのうちの対象TTIの解放部分をパンクチャし、新しいレートマッチングパラメータを使用して非解放部分で、対象TTI内で搬送されるRVもしくはデータブロックを送受信するか、または新しいTBSを使用して非解放部分で、対象TTI内で搬送されるデータブロックを送受信する。重要なRVまたはデータブロックの場合、UEは、複数のbundlingTTIのうちの次に利用可能なTTI内で重要なRVまたはデータブロックを再び送受信することができ、複数のbundlingの後の次に利用可能なTTI内で、K個のRVのうちの最後のRVまたはK個のデータブロックのうちの最後のデータブロックをさらに送受信することができる。UEは、基地局の指示に基づいて割当てリソースのうちのいくつかを解放し、TTIbundlingシナリオで搬送されるRVまたはデータブロックのその後の送信を調整することができる。したがって、リソース占有重複によって引き起こされる干渉を効果的に低減することができ、データ送信の信頼性を向上させることができる。
【０１２６】
図4を参照すると、図4は、本発明の一実施形態による、リソース管理方法の第4の実施形態の概略フローチャートである。この実施形態に記載されるリソース管理方法は、主にUEの側から記載され、以下のステップを含む。
【０１２７】
ステップS401〜ステップS403については、上記実施形態におけるステップS101〜ステップS103を参照されたい。詳細は本明細書では再び記載されない。
【０１２８】
S404．ネットワーク側によってUEにすでに割り当てられた割当てリソースは、半永続的スケジューリングSPSリソースを含み、対象周波数は、SPSリソースの中の対象TTI内でUEに割り当てられた周波数の一部またはすべてであり、UEが、対象TTIの解放部分をパンクチャし、新しいレートマッチングパラメータを使用して対象TTIの非解放部分で、対象TTI内で搬送されるデータブロックを送受信するか、または新しいTBSを使用して非解放部分で、対象TTI内で搬送されるデータブロックを送受信する。
【０１２９】
半永続的スケジューリング（Semi−Persistent Scheduling、SPS）リソースは、（RRCシグナリングなどの）上位レイヤシグナリングを使用してUE向けに基地局によって構成された周期的なリソースであり、UEがSPSリソースを解放することを可能にするために基地局が非アクティブ化スケジューリングシグナリングを送達するまで、UEはSPSリソース上で送受信を永続的に実行することができる。
【０１３０】
具体的には、UEによって解放される対象時間期間は対象TTIであり、対象周波数は、対象TTI内でUEに割り当てられた周波数の一部またはすべてである。リソースを解放するためのシグナリングは、非アクティブ化シグナリングよりも簡略化され、UEは、基地局によって送信された、リソースを解放するためのシグナリングに基づいて、SPSリソースの中の対象TTIの一部またはすべてを解放することができ、対象TTIは、具体的に1つまたは複数のTTIを含んでもよい。
【０１３１】
本発明のこの実施形態では、場合によっては、UEは、対象時間期間および対象周波数から構成される時間周波数リソースが第1の時間周波数リソースと重複するかどうかをさらに判定することができ、対象時間期間および対象周波数から構成される時間周波数リソース内の少なくとも1つの時間周波数サブリソースが第1の時間周波数リソースと重複する場合、UEは、第1の時間周波数リソースと重複する少なくとも1つの時間周波数サブリソースを解放しないが、少なくとも1つの時間周波数サブリソース以外の、対象時間期間および対象周波数から構成される時間周波数リソース内の残りの時間周波数サブリソースを解放し、または対象時間期間および対象周波数から構成される時間周波数リソースが第1の時間周波数リソースと重複しない場合、UEは、対象時間期間および対象周波数から構成される時間周波数リソース内のすべての時間周波数サブリソースを解放し、第1の時間周波数リソースの時間周波数位置は、UEが位置するサービングセル内のすべてのUEによって一般に知られている。言い換えれば、第1の時間周波数リソースは、高優先度信号を送信するための時間周波数リソースであり、本明細書における高優先度信号は、通常、共通信号であるか、またはシステム要件に応じて、復調基準信号（Demodulation RS、DMRS）およびサウンディング基準信号（Sounding RS、SRS）などの高い優先度を有するように設定されたいくつかの信号である。たとえば、第1の時間周波数リソースは、共通信号を送信するために使用される時間周波数リソースである。たとえば、第1の時間周波数リソースは、セル固有基準信号（Cell−specific Reference Signal、CRS）、同期信号（Synchronization Signal）、またはディスカバリ信号（Discovery signal）などの高優先度共通信号を送信するための時間周波数リソースであってもよい。あるいは、第1の時間周波数リソースは、物理ブロードキャストチャネル（Physical Broadcast Channel、PBCH）などの共通チャネルであってもよい。第1の時間周波数リソースは、アップリンク送信用の共通リソース、たとえば、物理ランダムアクセスチャネル（Physical Random Access Channel、PRACH）の時間周波数リソースであってもよい。あるいは、第1の時間周波数リソースは、UEのDMRSおよびSRSを送信するための時間周波数リソースであってもよい。
【０１３２】
さらに、UEは対象TTIの解放部分をパンクチャする。すなわち、解放部分で、アップリンクデータの送信電力は0であり、ダウンリンクデータは受信されない。あるいは、UEは、対象TTIの非解放部分および対象TTI内で搬送されるデータブロックに基づいてレートマッチングパラメータをリセットし、新しいレートマッチングパラメータを使用して非解放部分で、対象TTI内で搬送されるデータブロックを送受信する。あるいは、UEは、非解放部分に基づいて、対象TTI内で搬送されるデータブロックを再区分化し、新しいTBSを使用して、対象TTI内で搬送されるデータブロックを送受信する。
【０１３３】
対象TTI内でUEに割り当てられた各周波数が解放された場合、UEは、対象TTI上でデータを送信することもデータを受信することも行わないことに留意されたい。
【０１３４】
本発明のこの実施形態では、UEは、基地局によって送信された、リソースを解放するためのシグナリングを受信することであって、リソースを解放するためのシグナリングがリソース位置の情報を示す、受信することと、リソース位置の情報に基づいて、ネットワーク側によってUEにすでに割り当てられた割当てリソースの中のリソース位置の情報に対応する時間周波数リソースを特定し、次いで、時間周波数リソースを解放することとを行う。SPSリソースがUEに割り当てられるシナリオでは、UEは、SPSリソースの中の対象TTIの解放部分をパンクチャし、新しいレートマッチングパラメータを使用して非解放部分で、対象TTI内で搬送されるデータブロックを送受信するか、または新しいTBSを使用して非解放部分で、対象TTI内で搬送されるデータブロックを送受信する。したがって、リソース占有重複によって引き起こされる干渉を効果的に低減することができ、データ送信の信頼性を向上させることができる。
【０１３５】
図5を参照すると、図5は、本発明の一実施形態による、リソース管理方法の第5の実施形態の概略フローチャートである。この実施形態に記載されるリソース管理方法は、主に基地局の側から記載され、以下のステップを含む。
【０１３６】
S501．基地局が、リソース位置の情報を示すリソースを解放するためのシグナリングを少なくとも1つのUEに送信し、リソースを解放するためのシグナリングは、リソース位置の情報に基づいて、ネットワーク側によってUEにすでに割り当てられた割当てリソースの中のリソース位置の情報に対応する時間周波数リソースを特定し、時間周波数リソースを解放するように少なくとも1つのUEに指示するために使用される。
【０１３７】
具体的には、基地局は、基地局によってカバーされるUEのサービス送信状況をリアルタイムに監視することであって、サービス送信状況が、サービスタイプ、サービス優先度、サービス遅延要件などを含む、監視することと、複数のUE間のリソース占有が重複すると判断された場合、サービス送信状況に基づいて、1つまたは複数のUEにリソースを解放するためのシグナリングを送信することとを行うことができる。たとえば、第1のUEは、ネットワーク側によって割り当てられたリソースを使用してデータ送信を実行し、第2のUEは、散発的であること、高いサービス優先度、高い遅延要件などの少なくとも1つを満たすサービスのデータを送信する必要がある。この場合、ネットワーク側によって第2のUEに割り当てられたリソースは、第1のUEによって現在占有されているリソースと重複する可能性があり、したがって、基地局はリソースを解放するためのシグナリングを第1のUEに送信することができる。
【０１３８】
いくつかの実現可能な実装形態では、リソース解放粒度単位は、毎回解放される2つのOFDMシンボルであり、割当てリソースは、1、2、3、4、5、6、7、8、9、および10の番号が付けられた10個のOFDMシンボルであると仮定する。リソースを解放するためのシグナリングの送信時点に対して、以下を含む複数の選択肢が存在してもよい。リソースを解放するためのシグナリングの送信時点は、リソースを解放するためのシグナリングによって示されたリソース位置の情報に対応する時間周波数リソースが位置する時間期間内に位置し、時間周波数リソースが3および4の番号が付けられたOFDMシンボルなどの1つのリソース解放粒度単位である場合、リソースを解放するためのシグナリングの送信時点は、3および4の番号が付けられたOFDMシンボルが位置する時間期間内に位置し、または時間周波数リソースが複数のリソース解放粒度単位である、たとえば、具体的に2つのリソース解放粒度単位（3および4の番号が付けられたOFDMシンボルならびに7および8の番号が付けられたOFDMシンボル）である場合、基地局は、リソースを解放するためのシグナリングを2回送信する必要があり、送信時点は、それぞれ、3および4の番号が付けられたOFDMシンボルが位置する時間期間、ならびに7および8の番号が付けられたOFDMシンボルが位置する時間期間である。すなわち、UEは、基地局によって送信された、リソースを解放するためのシグナリングを複数回受信する必要があり、割当てリソースのうちのどのリソースが時間周波数リソースであるかを迅速に判定することができる。
【０１３９】
あるいは、リソースを解放するためのシグナリングの送信時点は、割当てリソースが位置する時間期間内に位置し、リソースを解放するためのシグナリングが2つのOFDMシンボルを占有する場合、リソースを解放するためのシグナリングの送信時点は、9および10の番号が付けられたOFDMシンボルが位置する時間期間内に位置してもよい。すなわち、基地局は、割当てリソースが位置する時間期間の終了時に、一度だけUEにリソースを解放するためのシグナリングを送信し、この場合、時間周波数リソースは、1つまたは複数のリソース解放粒度単位であってもよい。たとえば、時間周波数リソースが具体的に2つのリソース解放粒度単位（3および4の番号が付けられたOFDMシンボルならびに7および8の番号が付けられたOFDMシンボル）である場合、UEは、割当てリソースが位置する時間期間の終了時にリソースを解放するためのシグナリングを受信したときのみ、3および4の番号が付けられたOFDMシンボルならびに7および8の番号が付けられたOFDMシンボルとして、時間周波数リソースを特定することができる。
【０１４０】
あるいは、リソースを解放するためのシグナリングの送信時点は、割当てリソースが位置する時間期間の後に位置し、たとえば、具体的に割当てリソースの中の最後のOFDMシンボルの後の2つの隣接するOFDMシンボル内にあってもよく、具体的に割当てリソースの中の最後のOFDMシンボルから時間間隔を開けた2つのOFDMシンボル内にあってもよい。この場合、UEはまた、割当てリソースが位置する時間期間の後のリソースを解放するためのシグナリングを受信したときのみ、時間周波数リソースを特定することができ、現在の10個のOFDMシンボル1〜10の場合、UEは一度だけリソースを解放するためのシグナリングを受信する必要がある。
【０１４１】
本発明のこの実施形態では、リソース解放粒度単位が毎回解放される2つのOFDMシンボルである例が使用され、割当てリソースが10個のOFDMシンボルである例が使用されることに留意されたい。実際の適用シナリオ要件に応じて、リソース解放粒度単位は、代替として、毎回解放される（1または3などの）別の数のOFDMシンボルであってもよく、割当てリソースは、代替として、（5または20などの）別の数のOFDMシンボルであってもよい。確かに、リソース解放粒度単位および割当てリソースはさらに、TTIまたはタイムスロット形式で示されてもよい。
【０１４２】
いくつかの実現可能な実装形態では、UEが時間周波数リソースを解放した後、時間周波数リソース上でUEに送信されるようにあらかじめ決められたデータは、UEに送信されない。この場合、基地局はデータを再送することができ、再送は、UEにデータを再送すること、または複数のUEにデータを同時に再送することを含む。
【０１４３】
具体的な実装中、基地局は、リソースをスケジュールするための第2のシグナリングを少なくとも1つのUEに送信し、リソースをスケジュールするための第2のシグナリングは、データ再送中にUEセットによって使用される時間周波数リソースを示し、すなわち、時間周波数リソースは、基地局がUEセットに含まれるUE向けのデータ再送を実行するときに使用され、UEセットは少なくとも1つのUEを含み、その結果、少なくとも1つのUEは、リソースをスケジュールするための第2のシグナリング、時間周波数リソース、および割当てリソースに基づいて、データ再送中に少なくとも1つのUEによって使用される第2の時間周波数リソースを特定する。基地局は、UEセットに含まれるUEにデータを再送し、その結果、少なくとも1つのUEは、第2の時間周波数リソース上で搬送され、基地局によって再送されたデータ内にあるデータを受信する、すなわち、基地局は各UEにデータを再送することができる。したがって、基地局は、UEセットに含まれるUEの再送データをUEに送信する。
【０１４４】
データ再送中にUEセットによって使用される時間周波数リソース上で搬送されるデータは、時間周波数リソース上で少なくとも1つのUEに送信されるようにあらかじめ決められたデータを含む。
【０１４５】
いくつかの実現可能な実装形態では、時間周波数リソース上でUEに送信されるようにあらかじめ決められたデータの場合、基地局は、一度にすべてのデータをUEに再送してもよく、バッチで複数回にわたってUEにデータを再送してもよい。リソース解放粒度単位が毎回解放される2つのOFDMシンボルである場合、割当てリソースは、1、2、3、4、5、6、7、8、9、および10の番号が付けられた10個のOFDMシンボルであり、UEによって解放される時間周波数リソースは、3、4、7、および8の番号が付けられた4つのOFDMシンボルであり、4つのOFDMシンボル上でUEに送信されるようにあらかじめ決められたデータを再送するとき、基地局は、4つのOFDMシンボルを使用してデータ再送を直ちに実行することができる。確かに、4つのOFDMシンボル上でUEに送信されるようにあらかじめ決められたデータに対して圧縮処理が実行された後、基地局は、4つ未満のOFDMシンボルを使用して一度にデータを再送することができる。あるいは、データは、2つのOFDMシンボルまたは2つ未満OFDMシンボルをそれぞれ使用することにより、連続的にバッチで複数回にわたって再送されてもよい。たとえば、3および4の番号が付けられた2つのOFDMシンボル上でUEに送信されるようにあらかじめ決められたデータは、2つのOFDMシンボルまたは2つ未満のOFDMシンボルを使用することによって最初に再送され、次いで、7および8の番号が付けられた2つのOFDMシンボル上でUEに送信されるようにあらかじめ決められたデータは、2つのOFDMシンボルまたは2つ未満のOFDMシンボルを使用することによって再送され、その結果、基地局は、4つのOFDMシンボル上でUEに送信されるようにあらかじめ決められたデータをUEに再送する。
【０１４６】
別の例を挙げると、UEセットは、2つのUE：UE1およびUE2を含む。UE1がUEであり、UE1は、3および4の番号が付けられた2つのOFDMシンボル上の5MHzの帯域幅リソースを解放し、UE2は、5および6の番号が付けられた2つのOFDMシンボル上の5MHzの帯域幅リソースを解放すると仮定する。この場合、基地局は、2つのUE：UE1およびUE2にデータを再送する必要があり、データ再送中にUEセットによって使用される時間周波数リソースが、4つのOFDMシンボル上の5MHzの帯域リソースである場合、UE1およびUE2は、それぞれのリソース解放時点に基づいて、対応する第2の時間周波数リソースをそれぞれ取得することができる。UE1の第2の時間周波数リソースは、4つのOFDMシンボル上の5MHzの帯域幅リソースの最初の2つのOFDMシンボル上の5MHzの帯域幅リソースであってもよく、UE2の第2の時間周波数リソースは、4つのOFDMシンボル上の5MHzの帯域幅リソースの最後の2つのOFDMシンボル上の5MHzの帯域幅リソースであってもよく、その結果、UE1は、最初の2つのOFDMシンボル上の5MHzの帯域幅リソース上で搬送されるデータを受信し、UE2は、最後の2つのOFDMシンボル上の5MHzの帯域幅リソース上で搬送されるデータを受信する。確かに、再送データに対して圧縮処理が実行された後、基地局は、OFDMシンボル数および／または帯域幅が削減された後に取得される時間周波数リソースを使用してデータを再送することができる。この場合、UE1およびUE2に対応するそれぞれの第2の時間周波数リソースも、等しい割合で削減される。
【０１４７】
別の例を挙げると、UE1は、3および4の番号が付けられた2つのOFDMシンボル上の5MHzの帯域幅リソースを解放し、UE2も、3および4の番号が付けられた2つのOFDMシンボル上の5MHzの帯域幅リソースを解放し、UE1によって解放された5MHzの帯域幅リソースおよびUE2によって解放された5MHzの帯域幅リソースは、3および4の番号が付けられた2つのOFDMシンボル上の異なる周波数帯域位置をそれぞれ占有する。UE1によって解放された5MHzの帯域幅リソースは、3および4の番号が付けられた2つのOFDMシンボル上の第1の周波数帯域位置に対応し、UE2によって解放された5MHzの帯域幅リソースは、3および4の番号が付けられた2つのOFDMシンボル上の第2の周波数帯域位置に対応すると仮定する。この場合、基地局は、2つのUE、UE1およびUE2にデータを再送する必要があり、データ再送中にUEセットによって使用される時間周波数リソースが、2つのOFDMシンボル上の10MHzの帯域リソースである場合、UE1およびUE2は、それぞれの対応する周波数帯域位置に基づいて、対応する第2の時間周波数リソースをそれぞれ取得することができる。UE1の第2の時間周波数リソースは、2つのOFDMシンボル上の第1の周波数帯域位置に対応する5MHzの帯域幅リソースであってもよく、UE2の第2の時間周波数リソースは、2つのOFDMシンボル上の第2の周波数帯域位置に対応する5MHzの帯域幅リソースであってもよく、その結果、UE1は、2つのOFDMシンボル上の第1の周波数帯域位置に対応する5MHzの帯域幅リソースによって搬送されるデータを受信し、UE2は、2つのOFDMシンボル上の第2の周波数帯域位置に対応する5MHzの帯域幅リソースによって搬送されるデータを受信する。確かに、再送データに対して圧縮処理が実行された後、基地局は、OFDMシンボル数および／または帯域幅が削減された後に取得される時間周波数リソースを使用してデータを再送することができる。この場合、UE1およびUE2に対応するそれぞれの第2の時間周波数リソースも、等しい割合で削減される。
【０１４８】
いくつかの実現可能な実装形態では、第2の時間周波数リソースは、データ再送中にUEセットによって使用される時間周波数リソースの少なくとも一部である。UEセットがそのUE（すなわち、1つのUE）のみを含み、基地局がそのUE向けにのみデータ再送を実行する場合、第2の時間周波数リソースは、データ再送中にUEセットによって使用される時間周波数リソースのすべてであってもよく、またはUEセットがそのUEを含む複数のUEを含み、基地局が複数のUE向けのデータ再送を同時に実行する場合、第2の時間周波数リソースは、データ再送中にUEセットによって使用される時間周波数リソースの一部であってもよい。
【０１４９】
いくつかの実現可能な実装形態では、データ再送中にUEセットによって使用される時間周波数リソース上で搬送されるデータは、リソースを解放するためのシグナリングによって示されたリソース位置の情報に対応する時間周波数リソース上でUEに送信されるようにあらかじめ決められたデータを含む。
【０１５０】
リソースを解放するためのシグナリングを送信するとき、基地局は、リソースを解放するためのシグナリングに対して巡回冗長コード（Cyclic Redundancy Code、CRC）チェックを実行し、無線ネットワーク一時識別子（Radio Network Temporary Identity、RNTI）を使用してリソースを解放するためのシグナリングをスクランブルし、リソースを解放するためのシグナリングの効果的な目標は、異なるRNTIを使用して変更されてもよいことに留意されたい。リソースを解放するためのシグナリングが1つのUEに送信される場合、リソースを解放するためのシグナリングは、そのUE専用のRNTIを使用してスクランブルされ、そのUEのみが、構文解析を介して、リソースを解放するためのシグナリングを取得することができ、またはリソースを解放するためのシグナリングがUEのグループに送信される場合、リソースを解放するためのシグナリングは、UEのグループによって共有されるRNTIを使用してスクランブルされ、したがって、UEのグループに含まれるすべてのUEは、構文解析を介して、リソースを解放するためのシグナリングを取得することができる
【０１５１】
本発明のこの実施形態では、基地局は、リソース位置の情報を示すリソースを解放するためのシグナリングを少なくとも1つのUEに送信し、その結果、少なくとも1つのUEは、リソース位置の情報に基づいて、ネットワーク側によってUEにすでに割り当てられた割当てリソースの中のリソース位置の情報に対応する時間周波数リソースを特定し、時間周波数リソースを解放することができる。1つまたは複数のUEは、基地局の指示に基づいて、割当てリソースのうちのいくつかを解放することができる。したがって、リソース占有重複によって引き起こされる干渉を効果的に低減することができ、データ送信の信頼性を向上させることができる。
【０１５２】
図6を参照すると、図6は、本発明の一実施形態による、リソース管理方法の第6の実施形態の概略フローチャートである。この実施形態に記載されるリソース管理方法は、主に基地局の側から記載され、以下のステップを含む。
【０１５３】
S601．基地局が、少なくとも1つのUEにRRCシグナリングを送信し、RRCシグナリングは事前設定された時間長を搬送する。
【０１５４】
S602．基地局が、少なくとも1つのUEにリソースを解放するためのシグナリングを送信し、リソースを解放するためのシグナリングは、事前設定された時間長に基づいて、ネットワーク側によって少なくとも1つのUEにすでに割り当てられた割当てリソースの中の事前設定された時間長の対象時間期間を特定し、対象時間期間内に少なくとも1つのUEに割り当てられた各周波数を対象周波数として特定し、対象時間期間および対象周波数を解放するように、少なくとも1つのUEに指示するために使用される。
【０１５５】
具体的には、リソースを解放するためのシグナリングは、リソース位置の情報を含まない場合があり、すなわち、解放される必要があるリソースの時間領域サイズおよび周波数領域サイズを示さない場合があり、リソースを解放するためのシグナリングはさらに簡略化され、たとえば、1ビット（bit）を含むだけでもよい。ビットが1にセットされると、それは、構文解析を介して、リソースを解放するためのシグナリングを取得するUEがリソース解放を実行する必要があることを示す。少なくとも1つのUEがデータ送信を実行するとき、基地局がリソースを解放するためのシグナリングを少なくとも1つのUEに送信する前に、基地局は、少なくとも1つのUEに（RRCシグナリングなどの）上位レイヤシグナリングを送信し、上位レイヤシグナリングを使用して、解放される必要があるリソースの時間領域サイズを決定するために使用される事前設定された時間長を少なくとも1つのUEに通知することができるか、または少なくとも1つのUEは、少なくとも1つのUEと基地局との間の通信プロトコルに従って、事前設定された時間長を取得し、時間領域サイズの時間領域リソース上で少なくとも1つのUEに割り当てられたすべての周波数領域リソースが解放される。
【０１５６】
本発明のこの実施形態では、基地局は、少なくとも1つのUEにRRCシグナリングを送信し、少なくとも1つのUEに事前設定された時間長を通知するか、または事前設定された時間長は、少なくとも1つのUEと基地局との間の通信プロトコルに従って少なくとも1つのUEによって取得され、基地局は、少なくとも1つのUEにリソースを解放するためのシグナリングを送信し、リソースを解放するためのシグナリングは、事前設定された時間長に基づいて、ネットワーク側によって少なくとも1つのUEにすでに割り当てられた割当てリソースの中の事前設定された時間長の対象時間期間を特定し、対象時間期間内に少なくとも1つのUEに割り当てられた各周波数を対象周波数として特定し、対象時間期間および対象周波数を解放するように、少なくとも1つのUEに指示するために使用される。1つまたは複数のUEは、基地局の指示に基づいて、割当てリソースのうちのいくつかを解放することができ、リソースを解放するためのシグナリングが簡略化される。したがって、リソース占有重複によって引き起こされる干渉を効果的に低減することができ、データ送信の信頼性を向上させることができ、ネットワークシグナリングの負荷を低減することができる。
【０１５７】
図7を参照すると、図7は、本発明の一実施形態による、UEの概略構造図である。この実施形態に記載されたUE700は、トランシーバ701と、プロセッサ702と、メモリ703と、入出力デバイス704とを備える。プロセッサ702は、バスを使用して、トランシーバ（Transceiver）701、メモリ703、および入出力デバイス704に接続される。
【０１５８】
トランシーバ701は、具体的に、アンテナ705を使用することにより、UEと基地局との間で信号706を受信／送信するように構成された無線周波数受信機または無線周波数チップであってもよい。具体的には、トランシーバ701は、一体化された送信機（Transmitter、TX）および受信機（Receiver、RX）を含んでもよい。プロセッサ702は、具体的に、ベースバンドプロセッサ、ベースバンドチップ、デジタル信号プロセッサ（Digital Signal Processor、DSP）、ベースバンドプロセッサおよびアプリケーションプロセッサを含むシステムオンチップ（SOC）などであってもよい。
【０１５９】
メモリ703は、プログラムコードのセットを記憶するように構成され、プロセッサ702は、メモリ703に記憶されたプログラムコードを呼び出して、以下の動作を実行するように構成される。
【０１６０】
トランシーバ701は、基地局によって送信された、リソースを解放するためのシグナリングを受信するように構成され、リソースを解放するためのシグナリングはリソース位置の情報を示す。
【０１６１】
プロセッサ702は、リソース位置の情報に基づいて、ネットワーク側によってUEにすでに割り当てられた割当てリソースの中のリソース位置の情報に対応する時間周波数リソースを特定し、時間周波数リソースを解放するように構成される。
【０１６２】
いくつかの実現可能な実装形態では、リソース位置の情報が時間領域内の位置の情報および周波数領域内の位置の情報を含む場合、プロセッサ702により、リソース位置の情報に基づいて、ネットワーク側によってUEにすでに割り当てられた割当てリソースの中のリソース位置の情報に対応する時間周波数リソースを特定し、時間周波数リソースを解放することは、
時間領域内の位置の情報および周波数領域内の位置の情報に基づいて、ネットワーク側によってUEにすでに割り当てられた割当てリソースの中の時間領域内の位置の情報に対応する対象時間期間および周波数領域内の位置の情報に対応する対象周波数を特定することと、
対象時間期間および対象周波数から構成される時間周波数リソースを解放することと
を含む。
【０１６３】
いくつかの実現可能な実装形態では、ネットワーク側によってUEにすでに割り当てられた割当てリソースは時間および周波数を含み、リソース位置の情報は時間領域内の位置の情報を含み、プロセッサ702により、リソース位置の情報に基づいて、ネットワーク側によってUEにすでに割り当てられた割当てリソースの中のリソース位置の情報に対応する時間周波数リソースを特定し、時間周波数リソースを解放することは、
時間領域内の位置の情報に基づいて、割当てリソースの中の時間領域内の位置の情報に対応する対象時間期間を特定し、対象時間期間内にUEに割り当てられた各周波数を対象周波数として特定することと、
対象時間期間および対象周波数から構成される時間周波数リソースを解放することと
を含む。
【０１６４】
いくつかの実現可能な実装形態では、リソース位置の情報は周波数領域内の位置の情報を含み、
トランシーバ701は、基地局によって送信された、リソースを解放するためのシグナリングを受信する前に、基地局によって送信されたRRCシグナリングを受信するようにさらに構成され、RRCシグナリングは事前設定された時間長を搬送し、またはプロセッサ702は、UEと基地局との間の通信プロトコルに従って、事前設定された時間長を取得するようにさらに構成され、
プロセッサ702により、リソース位置の情報に基づいて、ネットワーク側によってUEにすでに割り当てられた割当てリソースの中のリソース位置の情報に対応する時間周波数リソースを特定し、時間周波数リソースを解放することは、
事前設定された時間長および周波数領域内の位置の情報に基づいて、ネットワーク側によってUEにすでに割り当てられた割当てリソースの中の事前設定された時間長の対象時間期間および周波数領域内の位置の情報に対応する対象周波数を特定することと、
対象時間期間および対象周波数から構成される時間周波数リソースを解放することと
を含む。
【０１６５】
いくつかの実現可能な実装形態では、ネットワーク側によってUEにすでに割り当てられた割当てリソースはK個のbundlingTTIを含み、K個のbundlingTTIは、同じデータブロックまたはK個のデータブロックのK個のRVを搬送するために使用され、対象周波数は、K個のbundlingTTI内の対象TTI内でUEに割り当てられた周波数の一部またはすべてである。
【０１６６】
プロセッサ702は、対象TTIの解放部分をパンクチャするようにさらに構成され、
トランシーバ701は、新しいレートマッチングパラメータを使用して対象TTIの非解放部分で、対象TTI内で搬送されるRVもしくはデータブロックを送受信するようにさらに構成されるか、または
トランシーバ701は、新しいTBSを使用して非解放部分で、対象TTI内で搬送されるデータブロックを送受信するようにさらに構成される。
【０１６７】
いくつかの実現可能な実装形態では、トランシーバ701は、対象TTIの後の次に利用可能なTTI内で、対象TTI内で搬送されるRVまたはデータブロックを送受信するようにさらに構成される。
【０１６８】
いくつかの実現可能な実装形態では、トランシーバ701は、K個のbundlingTTIの後の次に利用可能なTTI内で、K個のRVのうちの最後のRVまたはK個のデータブロックのうちの最後のデータブロックを送受信するようにさらに構成される。
【０１６９】
いくつかの実現可能な実装形態では、ネットワーク側によってUEにすでに割り当てられた割当てリソースはSPSリソースを含み、対象周波数は、SPSリソースの中の対象TTI内でUEに割り当てられた周波数の一部またはすべてである。
【０１７０】
プロセッサ702は、対象TTIの解放部分をパンクチャするようにさらに構成され、
トランシーバ701は、新しいレートマッチングパラメータを使用して対象TTIの非解放部分で、対象TTI内で搬送されるデータブロックを送受信するようにさらに構成されるか、または
トランシーバ701は、新しいTBSを使用して非解放部分で、対象TTI内で搬送されるデータブロックを送受信するようにさらに構成される。
【０１７１】
いくつかの実現可能な実装形態では、プロセッサ702は、割当てリソースが事前設定された第1の時間周波数リソースと重複するかどうかに基づいて、リソースを解放するためのシグナリングを受信するべきかどうかを実行するようにさらに構成され、
トランシーバ701は、具体的に、割当てリソースが第1の時間周波数リソースと重複する場合、リソースを解放するためのシグナリングを受信し、または割当てリソースが第1の時間周波数リソースと重複しない場合、リソースを解放するためのシグナリングを受信することをスキップするようにさらに構成され、
第1の時間周波数リソースは、基地局が解放できるリソースである。
【０１７２】
いくつかの実現可能な実装形態では、リソースを解放するためのシグナリングの送信時点は、時間周波数リソースが位置する時間期間内に位置するか、
リソースを解放するためのシグナリングの送信時点は、割当てリソースが位置する時間期間内に位置するか、または
リソースを解放するためのシグナリングの送信時点は、割当てリソースが位置する時間期間の後に位置する。
【０１７３】
いくつかの実現可能な実装形態では、リソースを解放するためのシグナリングの送信時点は、時間周波数リソースが位置する時間期間内に位置し、リソースを解放するためのシグナリングをトランシーバ701が受信する時点は、基地局によって送信された、リソースをスケジュールするための第1のシグナリングをトランシーバ701が受信する時点の後に位置し、リソースを解放するためのシグナリングが受信される時点とリソースをスケジュールするための第1のシグナリングが受信される時点との間に第1の時間間隔が存在し、リソースをスケジュールするための第1のシグナリングは、ネットワーク側によってすでに割り当てられた割当てリソースを示す。
【０１７４】
いくつかの実現可能な実装形態では、リソースをスケジュールするための第1のシグナリングは、第1の時間間隔内で時間周波数リソースを解放するために使用されるリソース位置の情報をさらに示す。
【０１７５】
いくつかの実現可能な実装形態では、トランシーバ701は、基地局によって送信された、リソースをスケジュールするための第2のシグナリングを受信するようにさらに構成され、リソースをスケジュールするための第2のシグナリングは、データ再送中にUEセットによって使用される時間周波数リソースを示し、UEセットは少なくともそのUEを含み、
プロセッサ702は、リソースをスケジュールするための第2のシグナリング、時間周波数リソース、および割当てリソースに基づいて、第2の時間周波数リソースを特定するようにさらに構成され、
トランシーバ701は、第2の時間周波数リソース上で搬送され、基地局によって再送されたデータ内にあるデータを受信するようにさらに構成される。
【０１７６】
いくつかの実現可能な実装形態では、リソースを解放するためのシグナリングをトランシーバ701が受信する時点およびリソースをスケジュールするための第2のシグナリングをトランシーバ701が受信する時点は、同じ時間期間内にあるか、または
リソースをスケジュールするための第2のシグナリングをトランシーバ701が受信する時点は、リソースを解放するためのシグナリングをトランシーバ701が受信する時点の後に位置する。
【０１７７】
いくつかの実現可能な実装形態では、第2の時間周波数リソースは、データ再送中にUEセットによって使用される時間周波数リソースの少なくとも一部である。
【０１７８】
いくつかの実現可能な実装形態では、データ再送中にUEセットによって使用される時間周波数リソース上で搬送されるデータは、時間周波数リソース上でUEに送信されるようにあらかじめ決められたデータを含む。
【０１７９】
いくつかの実現可能な実装形態では、トランシーバ701は、基地局によって送信されたRRCシグナリングを受信するように構成され、RRCシグナリングは事前設定された時間長を搬送するか、またはプロセッサ702は、UEと基地局との間の通信プロトコルに従って、事前設定された時間長を取得するように構成される。
【０１８０】
トランシーバ701は、基地局によって送信された、リソースを解放するためのシグナリングを受信するようにさらに構成され、リソースを解放するためのシグナリングは、リソース解放を実行するようにUEに指示するために使用される。
【０１８１】
プロセッサ702は、事前設定された時間長に基づいて、ネットワーク側によってUEにすでに割り当てられた割当てリソースの中の事前設定された時間長の対象時間期間を特定し、対象時間期間内にUEに割り当てられた各周波数を対象周波数として特定するようにさらに構成される。
【０１８２】
プロセッサ702は、対象時間期間および対象周波数を解放するようにさらに構成される。
【０１８３】
本発明のこの実施形態では、UEは、基地局によって送信された、リソースを解放するためのシグナリングを受信することであって、リソースを解放するためのシグナリングがリソース位置の情報を示す、受信することと、リソース位置の情報に基づいて、ネットワーク側によってUEにすでに割り当てられた割当てリソースの中のリソース位置の情報に対応する時間周波数リソースを特定し、次いで、時間周波数リソースを解放することとを行う。UEは、基地局の指示に基づいて、割当てリソースのうちのいくつかを解放することができる。したがって、リソース占有重複によって引き起こされる干渉を効果的に低減することができ、データ送信の信頼性を向上させることができる。
【０１８４】
場合によっては、プロセッサ702は、対象時間期間および対象周波数が第1の時間周波数リソースと重複するかどうかを判定するようにさらに構成され、対象時間期間および対象周波数の中の少なくとも1つの時間周波数サブリソースが第1の時間周波数リソースと重複する場合、プロセッサ702は、時間周波数サブリソースを解放しないが、少なくとも1つの時間周波数サブリソース以外の、対象時間期間および対象周波数の中にあるサブリソースを解放する。対象時間期間および対象周波数は1つの時間周波数リソースと見なされてもよく、第1の時間周波数リソースの時間周波数位置は、通常、UEが位置するサービングセル内のすべてのUEによって一般に知られていることに留意されたい。たとえば、第1の時間周波数リソースは、共通信号を送信するために使用される時間周波数リソースであってもよい。たとえば、第1の時間周波数リソースは、セル固有基準信号（Cell−specific Reference Signal、CRS）、同期信号（Synchronization Signal）、またはディスカバリ信号（Discovery signal）などの共通信号を送信するための時間周波数リソースであってもよい。あるいは、第1の時間周波数リソースは、物理ブロードキャストチャネル（Physical Broadcast Channel、PBCH）などの共通チャネルであってもよい。第1の時間周波数リソースは、アップリンク送信用の共通リソース、たとえば、物理ランダムアクセスチャネル（Physical Random Access Channel、PRACH）の時間周波数リソースであってもよい。第1の時間周波数リソースは、代替として、UEの復調基準信号（Demodulation RS、DMRS）およびサウンディング基準信号（Sounding RS、SRS）を送信するための時間周波数リソースであってもよい。
【０１８５】
図8を参照すると、図8は、本発明の一実施形態による、基地局の概略構造図である。この実施形態に記載された基地局800は、送信機801と、プロセッサ802と、メモリ803とを含む。プロセッサ802は、バスを使用して送信機801およびメモリ803に接続される。
【０１８６】
送信機801は、具体的に、アンテナ804を使用してUEに信号805を送信するように構成された、送信機を含む無線周波数チップであってもよい。プロセッサ802は、具体的に、ベースバンドプロセッサ、ベースバンドチップ、DSP、ベースバンドプロセッサおよびアプリケーションプロセッサを含むSOCなどであってもよい。
【０１８７】
メモリ803は、プログラムコードのセットを記憶するように構成され、プロセッサ802は、メモリ803に記憶されたプログラムコードを呼び出して、以下の動作を実行するように送信機801を制御するように構成される。
【０１８８】
送信機801は、リソース位置の情報を示すリソースを解放するためのシグナリングを少なくとも1つのUEに送信するように構成され、リソースを解放するためのシグナリングは、リソース位置の情報に基づいて、ネットワーク側によってUEにすでに割り当てられた割当てリソースの中のリソース位置の情報に対応する時間周波数リソースを特定し、時間周波数リソースを解放するように少なくとも1つのUEに指示するために使用される。
【０１８９】
いくつかの実現可能な実装形態では、リソースを解放するためのシグナリングの送信時点は、時間周波数リソースが位置する時間期間内に位置するか、
リソースを解放するためのシグナリングの送信時点は、割当てリソースが位置する時間期間内に位置するか、または
リソースを解放するためのシグナリングの送信時点は、割当てリソースが位置する時間期間の後に位置する。
【０１９０】
いくつかの実現可能な実装形態では、送信機801は、リソースをスケジュールするための第2のシグナリングを少なくとも1つのUEに送信することであって、リソースをスケジュールするための第2のシグナリングが、データ再送中にUEセットによって使用される時間周波数リソースを示し、UEセットが少なくとも1つのUEを含み、リソースをスケジュールするための第2のシグナリング、時間周波数リソース、および割当てリソースに基づいて、第2の時間周波数リソースを特定するように少なくとも1つのUEに指示する、送信することを行うようにさらに構成され
送信機801は、UEセットにデータを再送するようにさらに構成され、その結果、少なくとも1つのUEは、第2の時間周波数リソース上で搬送され、送信機801によって再送されたデータ内にあるデータを受信する。
【０１９１】
いくつかの実現可能な実装形態では、第2の時間周波数リソースは、データ再送中にUEセットによって使用される時間周波数リソースの少なくとも一部である。
【０１９２】
いくつかの実現可能な実装形態では、データ再送中にUEセットによって使用される時間周波数リソース上で搬送されるデータは、時間周波数リソース上で少なくとも1つのUEに送信されるようにあらかじめ決められたデータを含む。
【０１９３】
いくつかの実現可能な実装形態では、送信機801は、少なくとも1つのUEにRRCシグナリングを送信するように構成され、RRCシグナリングは事前設定された時間長を搬送する。
【０１９４】
送信機801は、少なくとも1つのUEにリソースを解放するためのシグナリングを送信するようにさらに構成され、リソースを解放するためのシグナリングは、事前設定された時間長に基づいて、ネットワーク側によって少なくとも1つのUEにすでに割り当てられた割当てリソースの中の事前設定された時間長の対象時間期間を特定し、対象時間期間内に少なくとも1つのUEに割り当てられた各周波数を対象周波数として特定し、対象時間期間および対象周波数を解放するように、少なくとも1つのUEに指示するために使用される。
【０１９５】
本発明のこの実施形態では、基地局は、リソース位置の情報を示すリソースを解放するためのシグナリングを少なくとも1つのUEに送信し、その結果、少なくとも1つのUEは、リソース位置の情報に基づいて、ネットワーク側によってUEにすでに割り当てられた割当てリソースの中のリソース位置の情報に対応する時間周波数リソースを特定し、時間周波数リソースを解放することができる。1つまたは複数のUEは、基地局の指示に基づいて、割当てリソースのうちのいくつかを解放することができる。したがって、リソース占有重複によって引き起こされる干渉を効果的に低減することができ、データ送信の信頼性を向上させることができる。
【０１９６】
当業者は、実施形態における方法のプロセスのうちのすべてまたは一部が、関連するハードウェアに命令するコンピュータプログラムによって実装されてもよいことを理解することができる。プログラムはコンピュータ可読記憶媒体に記憶されてもよい。プログラムが実行されると、実施形態における方法のプロセスが実施される。前述の記憶媒体は、磁気ディスク、光ディスク、読取り専用メモリ（Read−Only Memory、ROM）、ランダムアクセスメモリ（Random Access Memory、略してRAM）などであってもよい。
【０１９７】
本発明の実施形態において提供されるリソース管理方法および関連デバイスが、上記で詳細に記載された。この明細書では、本発明の原理および実装形態を記載するために具体例が使用され、実施形態の説明は、本発明の方法および核となる概念の理解を助けるものであるにすぎない。一方、当業者は、本発明の概念に基づいて、具体的な実装形態および適用範囲に対して修正を行うことができる。したがって、この明細書の内容は、本発明に対する制限として解釈されるべきではない。
【符号の説明】
【０１９８】
700  UE
701  トランシーバ
702  プロセッサ
703  メモリ
704  入出力デバイス
705  アンテナ
706  信号
800  基地局
801  送信機
802  プロセッサ
803  メモリ
804  アンテナ
805  信号
【図１】
2019510431.tif 000003
【図２】
2019510431.tif 000004
【図３】
2019510431.tif 000005
【図４】
2019510431.tif 000006
【図５】
2019510431.tif 000007
【図６】
2019510431.tif 000008
【図７】
2019510431.tif 000009
【図８】
2019510431.tif 000010
【手続補正書】
【提出日】平成30年11月8日(2018.11.8)
【手続補正１】
【補正対象書類名】明細書
【補正対象項目名】全文
【補正方法】変更
【補正の内容】
【発明の詳細な説明】
【技術分野】
【０００１】
本発明は、通信技術の分野に関し、詳細には、リソース管理方法および関連デバイスに関する。
【背景技術】
【０００２】
ロングタームエボリューション（Long Term Evolution、LTE）システムでは、基地局は、物理ダウンリンク制御チャネル（Physical Downlink Control Channel、PDCCH）を使用してユーザ機器（User Equipment、UE）にダウンリンク制御情報（Downlink Control Information、DCI）などのスケジューリングシグナリングを送信し、UEに時間周波数リソースなどのリソースを割り当て、UEのデータ送信をスケジュールする。LTEシステムの従来のフレーム構造は、1つの送信時間間隔（Transmission Time Interval、TTI）が1つのサブフレームの長さと等しく、1つのサブフレームが14個の直交周波数分割多重（Orthogonal Frequency Division Multiplexing、OFDM）シンボルを含む。
【０００３】
散発的であり、遅延に対する要件がかなり高いサービスを送信する要件を満たすために、ショートTTIの概念が導入され、ショートTTIの長さは、1／2／3／4／7つのOFDMシンボルであると提案され、さらに、ショートTTIのUEは、従来の長さのTTIをサポートする必要もある。ショートTTIのUEにとって、これは、異なる長さのTTIの間の切替えに関連する。柔軟な動的切替えを実行するために物理レイヤシグナリングが使用される場合、異なる長さのTTIは、同じ時点で互いに重複する可能性がある。たとえば、搬送されるデータがロングTTI内で送信される場合、散発的なショートTTIとロングTTIが互いに重複するか、または異なる長さのTTI内で搬送されるデータの再送が同じ時点で発生し、その結果、ロングTTIおよびショートTTIが互いに重複する。異なるUEの場合、第1のUEは、基地局によって割り当てられたリソースを使用してデータを送信し、第2のUEが散発的であり、遅延に対する要件がかなり高いサービスを送信するときに必要とされるショートTTI、および第1のUEによって占有されるロングTTIは、互いに重複する可能性があり、第1のUEと第2のUEは互いに干渉する。
【０００４】
UEがアップリンクデータ送信を実行するときに異なる長さのTTIが互いに重複する場合、ショートTTI内で搬送されるデータを送信するためにロングTTIが部分的に解放されることが、第3世代パートナーシッププロジェクト（3rd Generation Partnership Project、3GPP）のR1−160906においてクアルコム（Qualcomm）によって述べられている。しかしながら、上記の解決策は、同じUEの異なる長さのTTIが互いに重複する場合にのみ適用可能である。異なるUE間の異なる長さのTTIが互いに重複する場合、UE間で重複は知らされず、UEは互いに干渉する。その結果、データ送信の信頼性が低下する。
【発明の概要】
【課題を解決するための手段】
【０００５】
本発明の実施形態は、リソース管理方法および関連デバイスを提供して、リソース占有重複によって引き起こされる干渉を効果的に低減し、データ送信の信頼性を向上させる。
【０００６】
本発明の実施形態の第1の態様は、
基地局によって送信された、リソースを解放するためのシグナリングを受信するステップであって、リソースを解放するためのシグナリングがリソース位置の情報を示す、ステップと、リソース位置の情報に基づいて、ネットワーク側によってUEにすでに割り当てられた割当てリソースの中のリソース位置の情報に対応する時間周波数リソースを特定し、次いで、時間周波数リソースを解放するステップと
を含む、リソース管理方法を提供する。UEは、基地局の指示に基づいて、割当てリソースのうちのいくつかを解放することができる。したがって、リソース占有重複によって引き起こされる干渉を効果的に低減することができ、データ送信の信頼性を向上させることができる。
【０００７】
場合によっては、リソース位置の情報は、時間領域内の位置の情報、周波数領域内の位置の情報、キャリアインジケータ、ビームインジケータ、およびコードリソースインジケータのうちの少なくとも1つを含む。すなわち、UEは、時間領域内の位置の情報、周波数領域内の位置の情報、キャリアインジケータ、ビームインジケータ、およびコードリソースインジケータのうちの少なくとも1つに基づいて、割当てリソースの中で、リソース位置の情報に対応する時間周波数リソースを具体的に特定することができる。
【０００８】
場合によっては、リソース位置の情報は、時間領域内の位置の情報および周波数領域内の位置の情報を含み、UEは、時間領域内の位置の情報および周波数領域内の位置の情報に基づいて、ネットワーク側によってUEにすでに割り当てられた割当てリソースの中の時間領域内の位置の情報に対応する対象時間期間および周波数領域内の位置の情報に対応する対象周波数を特定し、対象時間期間および対象周波数から構成される時間周波数リソースを解放する。基地局は、解放される必要があるリソースの時間領域サイズおよび周波数領域サイズを指定し、UEは、リソースの利用率を向上させるために必要に応じてリソースを解放することができる。
【０００９】
場合によっては、ネットワーク側によってUEにすでに割り当てられた割当てリソースは時間および周波数を含み、リソース位置の情報は時間領域内の位置の情報を含み、UEは、時間領域内の位置の情報に基づいて、割当てリソースの中の時間領域内の位置の情報に対応する対象時間期間を特定し、対象時間期間内にUEに割り当てられた各周波数を対象周波数として特定し、対象時間期間および対象周波数から構成される時間周波数リソースを解放する。基地局は、解放される必要があるリソースの時間領域サイズのみを指定し、時間領域内でUEに割り当てられたすべての周波数領域リソースが解放される。したがって、リソースを解放するためのシグナリングを簡略化することができ、ネットワークシグナリングの負荷を低減することができる。
【００１０】
場合によっては、リソース位置の情報は、周波数領域内の位置の情報を含み、UEは、基地局によって送信された無線リソース制御RRCシグナリングを受信し、RRCシグナリングは事前設定された時間長を搬送するか、またはUEは、UEと基地局との間の通信プロトコルに従って、事前設定された時間長を取得することができ、
UEは、事前設定された時間長および周波数領域内の位置の情報に基づいて、ネットワーク側によってUEにすでに割り当てられた割当てリソースの中の事前設定された時間長の対象時間期間および周波数領域内の位置の情報に対応する対象周波数を特定し、対象時間期間および対象周波数から構成される時間周波数リソースを解放する。基地局は、解放される必要があるリソースの周波数領域サイズのみを指定し、時間領域サイズは、あらかじめ基地局によってUEに通知されるか、またはUEと基地局との間の通信プロトコルに従ってUEによって取得される。したがって、リソースを解放するためのシグナリングを簡略化することができ、ネットワークシグナリングの負荷を低減することができる。
【００１１】
場合によっては、時間領域内の位置の情報は、直交周波数分割多重OFDMシンボルの数、送信時間間隔TTIの数、およびTTIの長さのうちの少なくとも1つを含む。
【００１２】
場合によっては、ネットワーク側によってUEにすでに割り当てられた割当てリソースはK個のbundlingTTIを含み、K個のbundlingTTIは、同じデータブロックまたはK個のデータブロックのK個の冗長バージョンRVを搬送するために使用され、対象周波数は、K個のbundlingTTI内の対象TTI内でUEに割り当てられた周波数の一部またはすべてであり、Kは1より大きい整数である。対象TTIは1つまたは複数のTTIであってもよく、すなわち、UEは、TTIのグループ内の1つまたは複数のTTI内で割り当てられた時間周波数リソースの一部またはすべてを解放することができる。
【００１３】
場合によっては、UEは、対象TTIの解放部分をパンクチャし、新しいレートマッチングパラメータを使用して対象TTIの非解放部分で、対象TTI内で搬送されるRVもしくはデータブロックを送受信するか、または新しいトランスポートブロックサイズTBSを使用して非解放部分で、対象TTI内で搬送されるデータブロックを送受信する。UEは、対象TTIの解放部分によって搬送されるRVまたはデータブロックを廃棄し、対象TTIの非解放部分を使用して、対象TTI内で搬送されるRVまたはデータブロックの一部を送信し続ける、すなわち、RVまたはデータブロックを可能な限り多く送信することを選択することができるか、または対象TTI内で搬送されるデータブロックを再区分化し、新しいTBSを使用して、対象TTI内で搬送されるデータブロックを送受信することを選択することができる。
【００１４】
場合によっては、UEは、対象TTIの後の次に利用可能なTTI内で、対象TTI内で搬送されるRVまたはデータブロックを送受信することができ、UEは、データ送信の信頼性を保証するために、次に利用可能なTTI内で重要なRVまたはデータブロックを再び送信することを選択することができる。
【００１５】
場合によっては、UEは、K個のbundlingTTIの後の次に利用可能なTTI内で、K個のRVのうちの最後のRVまたはK個のデータブロックのうちの最後のデータブロックを送受信し、UEは、データ送信の信頼性を保証するために、利用可能なTTIを別々に使用して最後のRVまたはデータブロックを再び送受信することができる。
【００１６】
場合によっては、ネットワーク側によってUEにすでに割り当てられた割当てリソースは、半永続的スケジューリングSPSリソースを含み、対象周波数は、SPSリソースの中の対象TTI内でUEに割り当てられた周波数の一部またはすべてである。対象TTIは1つまたは複数のTTIであってもよく、すなわち、UEは、ネットワークによって周期的に割り当てられた1つまたは複数のTTI内の時間周波数リソースの一部またはすべてを解放することができる。
【００１７】
場合によっては、UEは、対象TTIの解放部分をパンクチャし、新しいレートマッチングパラメータを使用して対象TTIの非解放部分で、対象TTI内で搬送されるデータブロックを送受信するか、または新しいTBSを使用して非解放部分で、対象TTI内で搬送されるデータブロックを送受信する。UEは、対象TTIの解放部分によって搬送されるデータブロックを廃棄し、対象TTIの非解放部分を使用して、対象TTI内で搬送されるデータブロックの一部を送信し続ける、すなわち、RVまたはデータブロックを可能な限り多く送信することを選択することができるか、または対象TTI内で搬送されるデータブロックを再区分化し、新しいTBSを使用して、対象TTI内で搬送されるデータブロックを送受信することを選択することができる。
【００１８】
場合によっては、基地局が解放できる第1の時間周波数リソースが事前設定され、UEは、割当てリソースが第1の時間周波数リソースと重複するかどうか（時間領域内および／または周波数領域内の部分重複または完全重複を含む）に基づいて、リソースを解放するためのシグナリングを受信するべきかどうかを判定することができる。これは、具体的に、割当てリソースが第1の時間周波数リソースと重複する場合、UEにより、リソースを解放するためのシグナリングを受信することを含む。あるいは、UEは、割当てリソースが第1の時間周波数リソースと重複しない場合、リソースを解放するためのシグナリングを受信することをスキップする。すなわち、基地局がUEに割り当てられたリソースを解放できないとき、UEは、基地局によって送信された、リソースを解放するためのシグナリングを受信しなくてもよい。したがって、UEの電力消費を削減することができる。
【００１９】
場合によっては、リソースを解放するためのシグナリングの送信時点に対して複数の選択肢が存在する。送信時点は、リソースを解放するためのシグナリングによって示されたリソース位置の情報に対応する時間周波数リソースが位置する時間期間内に位置してもよく、割当てリソースが位置する時間期間内に位置してもよく、割当てリソースが位置する時間期間の後の指定された時間期間内に位置してもよい。
【００２０】
場合によっては、リソースを解放するためのシグナリングの送信時点が、具体的に時間周波数リソースが位置する時間期間内に位置する場合、リソースを解放するためのシグナリングをUEが受信する時点は、基地局によって送信された、リソースをスケジュールするための第1のシグナリングをUEが受信する時点の後に位置し、リソースを解放するためのシグナリングが受信される時点とリソースをスケジュールするための第1のシグナリングが受信される時点との間に第1の時間間隔が存在し、リソースをスケジュールするための第1のシグナリングは、ネットワーク側によってUEに割り当てられたリソースを示す。
【００２１】
場合によっては、リソースをスケジュールするための第1のシグナリングは、第1の時間間隔内で時間周波数リソースを解放するために使用されるリソース位置の情報をさらに示す。すなわち、リソースをスケジュールするための第1のシグナリングは、UEに割り当てられたリソースと、解放された時間周波数リソースのリソース位置の情報の両方を示すことができる。したがって、リソースを解放するためのシグナリングをUEが受信する回数を削減することができ、UEの電力消費を削減することができる。
【００２２】
場合によっては、UEは、基地局によって送信された、リソースをスケジュールするための第2のシグナリングを受信し、リソースをスケジュールするための第2のシグナリングは、データ再送中にUEセットによって使用される時間周波数リソースを示し、UEセットは少なくともそのUEを含み、
UEは、リソースをスケジュールするための第2のシグナリング、時間周波数リソース、および割当てリソースに基づいて、データ再送中にUEセットによって使用される第2の時間周波数リソースを特定し、第2の時間周波数リソース上で搬送され、基地局によって再送されたデータ内にあるデータを受信することができる。すなわち、UEは、基地局によって再送されたデータからそれぞれの再送データを取得することができる。
【００２３】
場合によっては、リソースを解放するためのシグナリングをUEが受信する時点およびリソースをスケジュールするための第2のシグナリングをUEが受信する時点は、同じ時間期間内にあってもよく、またはリソースをスケジュールするための第2のシグナリングをUEが受信する時点は、リソースを解放するためのシグナリングをUEが受信する時点の後の指定された時間期間内に位置してもよい。
【００２４】
場合によっては、第2の時間周波数リソースは、データ再送中にUEセットによって使用される時間周波数リソースの少なくとも一部である。UEセットがそのUE（すなわち、1つのUE）のみを含み、基地局がそのUE向けにのみデータ再送を実行する場合、第2の時間周波数リソースは、データ再送中にUEセットによって使用される時間周波数リソースのすべてであってもよく、またはUEセットがそのUEを含む複数のUEを含み、基地局が複数のUE向けのデータ再送を同時に実行する場合、第2の時間周波数リソースは、データ再送中にUEセットによって使用される時間周波数リソースの一部であってもよい。
【００２５】
場合によっては、データ再送中にUEセットによって使用される時間周波数リソース上で搬送されるデータは、リソースを解放するためのシグナリングによって示されたリソース位置の情報に対応する時間周波数リソース上でUEに送信されるようにあらかじめ決められたデータを含む。
【００２６】
本発明の実施形態の第2の態様は、
UEにより、基地局によって送信されたRRCシグナリングを受信するステップであって、RRCシグナリングが事前設定された時間長を搬送する、ステップ、またはUEにより、UEと基地局との間の通信プロトコルに従って事前設定された時間長を取得するステップと、基地局によって送信された、リソースを解放するためのシグナリングを受信するステップであって、リソースを解放するためのシグナリングが、リソース解放を実行するようにUEに指示するためにのみ使用され、リソース位置の関連情報を示さない、ステップと、UEにより、事前設定された時間長に基づいて、ネットワーク側によってUEにすでに割り当てられた割当てリソースの中の事前設定された時間長の対象時間期間を特定するステップと、対象時間期間を解放し、対象時間期間内にUEに割り当てられた各周波数を解放するステップと
を含む、リソース管理方法を提供する。UEは、基地局の指示に基づいて、割当てリソースのうちのいくつかを解放することができる。したがって、リソース占有重複によって引き起こされる干渉を効果的に低減することができる。さらに、リソースを解放するためのシグナリングが簡略化され、ネットワークシグナリングの負荷を低減することができる。
【００２７】
本発明の実施形態の第3の態様は、
基地局により、リソース位置の情報を示すリソースを解放するためのシグナリングを少なくとも1つのUEに送信するステップであって、リソースを解放するためのシグナリングが、リソース位置の情報に基づいて、ネットワーク側によって少なくとも1つのUEにすでに割り当てられた割当てリソースの中のリソース位置の情報に対応する時間周波数リソースを特定し、時間周波数リソースを解放するように少なくとも1つのUEに指示するために使用される、ステップ
を含む、リソース管理方法を提供する。すなわち、基地局は、リソーススケジューリング効率を改善し、リソース占有重複によって引き起こされる干渉を効果的に低減するために、リソース解放を実行するように1つまたは複数のUEに同時に指示することができる。
【００２８】
場合によっては、リソース位置の情報は、時間領域内の位置の情報、周波数領域内の位置の情報、キャリアインジケータ、ビームインジケータ、およびコードリソースインジケータのうちの少なくとも1つを含む。
【００２９】
場合によっては、リソースを解放するためのシグナリングの送信時点に対して複数の選択肢が存在する。送信時点は、リソースを解放するためのシグナリングによって示されたリソース位置の情報に対応する時間周波数リソースが位置する時間期間内に位置してもよく、割当てリソースが位置する時間期間内に位置してもよく、割当てリソースが位置する時間期間の後の指定された時間期間内に位置してもよい。
【００３０】
場合によっては、基地局は、リソースをスケジュールするための第2のシグナリングを少なくとも1つのUEに送信し、リソースをスケジュールするための第2のシグナリングは、データ再送中にUEセットによって使用される時間周波数リソースを示し、UEセットは少なくとも1つのUEを含み、その結果、少なくとも1つのUEは、リソースをスケジュールするための第2のシグナリング、時間周波数リソース、および割当てリソースに基づいて、データ再送中に少なくとも1つのUEによって使用される第2の時間周波数リソースを特定することができる。
【００３１】
基地局は、UEセットにデータを再送し、少なくとも1つのUEは、第2の時間周波数リソース上で搬送され、基地局によって再送されたデータ内にあるデータを受信する、すなわち、基地局は各UEにデータを再送することができる。
【００３２】
場合によっては、第2の時間周波数リソースは、データ再送中にUEセットによって使用される時間周波数リソースの少なくとも一部である。UEセットがただ1つのUEを含み、基地局が1つのUE向けにのみデータ再送を実行する場合、第2の時間周波数リソースは、データ再送中にUEセットによって使用される時間周波数リソースのすべてであってもよく、またはUEセットが複数のUEを含み、基地局が複数のUE向けのデータ再送を同時に実行する場合、第2の時間周波数リソースは、データ再送中にUEセットによって使用される時間周波数リソースの一部であってもよい。
【００３３】
場合によっては、データ再送中にUEセットによって使用される時間周波数リソース上で搬送されるデータは、リソースを解放するためのシグナリングによって示されたリソース位置の情報に対応する時間周波数リソース上で少なくとも1つのUEに送信されるようにあらかじめ決められたデータを含む。
【００３４】
本発明の実施形態の第4の態様は、
基地局により、少なくとも1つのUEにRRCシグナリングを送信するステップであって、RRCシグナリングが事前設定された時間長を搬送する、ステップと、
基地局により、少なくとも1つのUEにリソースを解放するためのシグナリングを送信するステップであって、リソースを解放するためのシグナリングが、事前設定された時間長に基づいて、ネットワーク側によって少なくとも1つのUEにすでに割り当てられた割当てリソースの中の事前設定された時間長の対象時間期間を特定し、対象時間期間内に少なくとも1つのUEに割り当てられた各周波数を対象周波数として特定し、対象時間期間および対象周波数を解放するように、少なくとも1つのUEに指示するために使用される、ステップと
を含む、リソース管理方法を提供する。
【００３５】
本発明の実施形態の第5の態様は、
基地局によって送信された、リソースを解放するためのシグナリングを受信するように構成されたトランシーバであって、リソースを解放するためのシグナリングがリソース位置の情報を示す、トランシーバと、
リソース位置の情報に基づいて、ネットワーク側によってUEにすでに割り当てられた割当てリソースの中のリソース位置の情報に対応する時間周波数リソースを特定し、時間周波数リソースを解放するように構成されたプロセッサと
を含む、UEを提供する。UEは、基地局の指示に基づいて、割当てリソースのうちのいくつかを解放することができる。したがって、リソース占有重複によって引き起こされる干渉を効果的に低減することができ、データ送信の信頼性を向上させることができる。
【００３６】
場合によっては、リソース位置の情報は、時間領域内の位置の情報、周波数領域内の位置の情報、キャリアインジケータ、ビームインジケータ、およびコードリソースインジケータのうちの少なくとも1つを含む。
【００３７】
場合によっては、リソース位置の情報が時間領域内の位置の情報および周波数領域内の位置の情報を含む場合、プロセッサにより、リソース位置の情報に基づいて、ネットワーク側によってUEにすでに割り当てられた割当てリソースの中のリソース位置の情報に対応する時間周波数リソースを特定し、時間周波数リソースを解放することは、
時間領域内の位置の情報および周波数領域内の位置の情報に基づいて、ネットワーク側によってUEにすでに割り当てられた割当てリソースの中の時間領域内の位置の情報に対応する対象時間期間および周波数領域内の位置の情報に対応する対象周波数を特定することと、
対象時間期間および対象周波数から構成される時間周波数リソースを解放することと
を含む。
【００３８】
場合によっては、ネットワーク側によってUEにすでに割り当てられた割当てリソースは時間および周波数を含み、リソース位置の情報が時間領域内の位置の情報を含む場合、プロセッサにより、リソース位置の情報に基づいて、ネットワーク側によってUEにすでに割り当てられた割当てリソースの中のリソース位置の情報に対応する時間周波数リソースを特定し、時間周波数リソースを解放することは、
時間領域内の位置の情報に基づいて、割当てリソースの中の時間領域内の位置の情報に対応する対象時間期間を特定し、対象時間期間内にUEに割り当てられた各周波数を対象周波数として特定することと、
対象時間期間および対象周波数から構成される時間周波数リソースを解放することと
を含む。
【００３９】
場合によっては、リソース位置の情報が周波数領域内の位置の情報を含む場合、
トランシーバは、基地局によって送信された、リソースを解放するためのシグナリングを受信する前に、基地局によって送信されたRRCシグナリングを受信するようにさらに構成され、RRCシグナリングは事前設定された時間長を搬送し、またはプロセッサは、UEと基地局との間の通信プロトコルに従って、事前設定された時間長を取得するようにさらに構成され、
プロセッサにより、リソース位置の情報に基づいて、ネットワーク側によってUEにすでに割り当てられた割当てリソースの中のリソース位置の情報に対応する時間周波数リソースを特定し、時間周波数リソースを解放することは、
事前設定された時間長および周波数領域内の位置の情報に基づいて、ネットワーク側によってUEにすでに割り当てられた割当てリソースの中の事前設定された時間長の対象時間期間および周波数領域内の位置の情報に対応する対象周波数を特定することと、
対象時間期間および対象周波数から構成される時間周波数リソースを解放することと
を含む。
【００４０】
場合によっては、時間領域内の位置の情報は、OFDMシンボルの数、TTIの数、およびTTIの長さのうちの少なくとも1つを含む。
【００４１】
場合によっては、ネットワーク側によってUEにすでに割り当てられた割当てリソースはK個のbundlingTTIを含み、K個のbundlingTTIは、同じデータブロックまたはK個のデータブロックのK個のRVを搬送するために使用され、対象周波数は、K個のbundlingTTI内の対象TTI内でUEに割り当てられた周波数の一部またはすべてであり、Kは1より大きい整数である。
【００４２】
場合によっては、プロセッサは、対象TTIの解放部分をパンクチャするようにさらに構成され、
トランシーバは、新しいレートマッチングパラメータを使用して対象TTIの非解放部分で、対象TTI内で搬送されるRVもしくはデータブロックを送受信するようにさらに構成されるか、または
トランシーバは、新しいTBSを使用して非解放部分で、対象TTI内で搬送されるデータブロックを送受信するようにさらに構成される。
【００４３】
場合によっては、トランシーバは、対象TTIの後の次に利用可能なTTI内で、対象TTI内で搬送されるRVまたはデータブロックを送受信するようにさらに構成される。
【００４４】
場合によっては、トランシーバは、K個のbundlingTTIの後の次に利用可能なTTI内で、K個のRVのうちの最後のRVまたはK個のデータブロックのうちの最後のデータブロックを送受信するようにさらに構成される。
【００４５】
場合によっては、ネットワーク側によってUEにすでに割り当てられた割当てリソースはSPSリソースを含み、対象周波数は、SPSリソースの中の対象TTI内でUEに割り当てられた周波数の一部またはすべてである。
【００４６】
場合によっては、プロセッサは、対象TTIの解放部分をパンクチャするようにさらに構成され、
トランシーバは、新しいレートマッチングパラメータを使用して対象TTIの非解放部分で、対象TTI内で搬送されるデータブロックを送受信するようにさらに構成されるか、または
トランシーバは、新しいTBSを使用して非解放部分で、対象TTI内で搬送されるデータブロックを送受信するようにさらに構成される。
【００４７】
場合によっては、プロセッサは、対象時間期間および対象周波数から構成される時間周波数リソースが第1の時間周波数リソースと重複するかどうかを判定するようにさらに構成され、対象時間期間および対象周波数から構成される時間周波数リソース内の少なくとも1つの時間周波数サブリソースが第1の時間周波数リソースと重複する場合、UEは、第1の時間周波数リソースと重複する少なくとも1つの時間周波数サブリソースを解放しないが、少なくとも1つの時間周波数サブリソース以外の、対象時間期間および対象周波数から構成される時間周波数リソース内の残りの時間周波数サブリソースを解放し、または対象時間期間および対象周波数から構成される時間周波数リソースが第1の時間周波数リソースと重複しない場合、UEは、対象時間期間および対象周波数から構成される時間周波数リソース内のすべての時間周波数サブリソースを解放し、第1の時間周波数リソースの時間周波数位置は、UEが位置するサービングセル内のすべてのUEによって一般に知られている。たとえば、第1の時間周波数リソースは、共通信号を送信するために使用される時間周波数リソースである。たとえば、第1の時間周波数リソースは、セル固有基準信号（Cell−specific Reference Signal、CRS）、同期信号（Synchronization Signal）、またはディスカバリ信号（Discovery signal）などの共通信号を送信するための時間周波数リソースであってもよい。あるいは、第1の時間周波数リソースは、物理ブロードキャストチャネル（Physical Broadcast Channel、PBCH）などの共通チャネルであってもよい。第1の時間周波数リソースは、アップリンク送信用の共通リソース、たとえば、物理ランダムアクセスチャネル（Physical Random Access Channel、PRACH）の時間周波数リソースであってもよい。第1の時間周波数リソースは、代替として、UEの復調基準信号（Demodulation RS、DMRS）およびサウンディング基準信号（Sounding RS、SRS）を送信するための時間周波数リソースであってもよい。
【００４８】
場合によっては、基地局が解放できる第1の時間周波数リソースは事前設定され、プロセッサは、割当てリソースが第1の時間周波数リソースと重複する（時間領域および／または周波数領域内の部分重複または完全重複を含む）かどうかに基づいて、リソースを解放するためのシグナリングを受信するべきかどうかを判定するようにさらに構成され、
トランシーバは、具体的に、割当てリソースが第1の時間周波数リソースと重複する場合、リソースを解放するためのシグナリングを受信し、または割当てリソースが第1の時間周波数リソースと重複しない場合、リソースを解放するためのシグナリングを受信することをスキップするように構成される。すなわち、基地局がUEに割り当てられたリソースを解放できないとき、トランシーバは、基地局によって送信された、リソースを解放するためのシグナリングを受信しなくてもよい。したがって、UEの電力消費を削減することができる。
【００４９】
場合によっては、リソースを解放するためのシグナリングの送信時点に対して複数の選択肢が存在する。送信時点は、リソースを解放するためのシグナリングによって示されたリソース位置の情報に対応する時間周波数リソースが位置する時間期間内に位置してもよく、割当てリソースが位置する時間期間内に位置してもよく、割当てリソースが位置する時間期間の後の指定された時間期間内に位置してもよい。
【００５０】
場合によっては、リソースを解放するためのシグナリングの送信時点が、具体的に時間周波数リソースが位置する時間期間内に位置する場合、リソースを解放するためのシグナリングをトランシーバが受信する時点は、基地局によって送信された、リソースをスケジュールするための第1のシグナリングをトランシーバが受信する時点の後に位置し、リソースを解放するためのシグナリングが受信される時点とリソースをスケジュールするための第1のシグナリングが受信される時点との間に第1の時間間隔が存在し、リソースをスケジュールするための第1のシグナリングは、ネットワーク側によってUEに割り当てられたリソースを示す。
【００５１】
場合によっては、リソースをスケジュールするための第1のシグナリングは、第1の時間間隔内で時間周波数リソースを解放するために使用されるリソース位置の情報をさらに示す。すなわち、リソースをスケジュールするための第1のシグナリングは、UEに割り当てられたリソースと、解放された時間周波数リソースのリソース位置の情報の両方を示すことができる。したがって、リソースを解放するためのシグナリングをUEが受信する回数を削減することができ、UEの電力消費を削減することができる。
【００５２】
場合によっては、トランシーバは、基地局によって送信された、リソースをスケジュールするための第2のシグナリングを受信するようにさらに構成され、リソースをスケジュールするための第2のシグナリングは、データ再送中にUEセットによって使用される時間周波数リソースを示し、UEセットは少なくともそのUEを含み、
プロセッサは、リソースをスケジュールするための第2のシグナリング、時間周波数リソース、および割当てリソースに基づいて、データ再送中にUEセットによって使用される第2の時間周波数リソースを特定するようにさらに構成される。
【００５３】
トランシーバは、第2の時間周波数リソース上で搬送され、基地局によって再送されるデータ内にあるデータを受信するようにさらに構成される。すなわち、UEは、基地局によって再送されたデータからそれぞれの再送データを取得することができる。
【００５４】
場合によっては、リソースを解放するためのシグナリングをトランシーバが受信する時点およびリソースをスケジュールするための第2のシグナリングをトランシーバが受信する時点は、同じ時間期間内にあるか、または
リソースをスケジュールするための第2のシグナリングをトランシーバが受信する時点は、リソースを解放するためのシグナリングをトランシーバが受信する時点の後の指定された時間期間内に位置する。
【００５５】
場合によっては、第2の時間周波数リソースは、データ再送中にUEセットによって使用される時間周波数リソースの少なくとも一部である。UEセットがそのUE（すなわち、1つのUE）のみを含み、基地局がそのUE向けにのみデータ再送を実行する場合、第2の時間周波数リソースは、データ再送中にUEセットによって使用される時間周波数リソースのすべてであってもよく、またはUEセットがそのUEを含む複数のUEを含み、基地局が複数のUE向けのデータ再送を同時に実行する場合、第2の時間周波数リソースは、データ再送中にUEセットによって使用される時間周波数リソースの一部であってもよい。
【００５６】
場合によっては、データ再送中にUEセットによって使用される時間周波数リソース上で搬送されるデータは、リソースを解放するためのシグナリングによって示されたリソース位置の情報に対応する時間周波数リソース上でUEに送信されるようにあらかじめ決められたデータを含む。
【００５７】
本発明の実施形態の第6の態様は、
事前設定された時間長を取得するように構成されたプロセッサと、
基地局によって送信された、リソースを解放するためのシグナリングを受信するように構成されたトランシーバであって、リソースを解放するためのシグナリングが、リソース解放を実行するようにUEに指示するために使用される、トランシーバと
を含む、UEを提供し、
プロセッサは、事前設定された時間長に基づいて、ネットワーク側によってUEにすでに割り当てられた割当てリソースの中の事前設定された時間長の対象時間期間を特定し、対象時間期間内にUEに割り当てられた各周波数を対象周波数として特定するようにさらに構成され、
プロセッサは、対象時間期間および対象周波数を解放するようにさらに構成される。UEは、基地局の指示に基づいて、割当てリソースのうちのいくつかを解放することができる。したがって、リソース占有重複によって引き起こされる干渉を効果的に低減することができ、データ送信の信頼性を向上させることができる。
【００５８】
場合によっては、プロセッサは、対象時間期間および対象周波数から構成される時間周波数リソースが第1の時間周波数リソースと重複するかどうかを判定するようにさらに構成され、対象時間期間および対象周波数から構成される時間周波数リソース内の少なくとも1つの時間周波数サブリソースが第1の時間周波数リソースと重複する場合、UEは、第1の時間周波数リソースと重複する少なくとも1つの時間周波数サブリソースを解放しないが、少なくとも1つの時間周波数サブリソース以外の、対象時間期間および対象周波数から構成される時間周波数リソース内の残りの時間周波数サブリソースを解放し、または対象時間期間および対象周波数から構成される時間周波数リソースが第1の時間周波数リソースと重複しない場合、UEは、対象時間期間および対象周波数から構成される時間周波数リソース内のすべての時間周波数サブリソースを解放し、第1の時間周波数リソースの時間周波数位置は、UEが位置するサービングセル内のすべてのUEによって一般に知られている。たとえば、第1の時間周波数リソースは、共通信号を送信するために使用される時間周波数リソースであってもよい。たとえば、第1の時間周波数リソースは、セル固有基準信号（Cell−specific Reference Signal、CRS）、同期信号（Synchronization Signal）、またはディスカバリ信号（Discovery signal）などの共通信号を送信するための時間周波数リソースであってもよい。あるいは、第1の時間周波数リソースは、物理ブロードキャストチャネル（Physical Broadcast Channel、PBCH）などの共通チャネルであってもよい。第1の時間周波数リソースは、アップリンク送信用の共通リソース、たとえば、物理ランダムアクセスチャネル（Physical Random Access Channel、PRACH）の時間周波数リソースであってもよい。第1の時間周波数リソースは、代替として、UEの復調基準信号（Demodulation RS、DMRS）、サウンディング基準信号（Sounding RS、SRS）などを送信するための時間周波数リソースであってもよい。
【００５９】
本発明の実施形態の第7の態様は、
リソース位置の情報を示すリソースを解放するためのシグナリングを少なくとも1つのUEに送信するように構成された送信機であって、リソースを解放するためのシグナリングが、リソース位置の情報に基づいて、ネットワーク側によって少なくとも1つのUEにすでに割り当てられた割当てリソースの中のリソース位置の情報に対応する時間周波数リソースを特定し、時間周波数リソースを解放するように少なくとも1つのUEに指示するために使用される、送信機
を含む、基地局を提供する。UEは、基地局の指示に基づいて、割当てリソースのうちのいくつかを解放することができる。したがって、リソース占有重複によって引き起こされる干渉を効果的に低減することができ、データ送信の信頼性を向上させることができる。
【００６０】
場合によっては、リソース位置の情報は、時間領域内の位置の情報、周波数領域内の位置の情報、キャリアインジケータ、ビームインジケータ、およびコードリソースインジケータのうちの少なくとも1つを含む。
【００６１】
場合によっては、リソースを解放するためのシグナリングの送信時点に対して複数の選択肢が存在する。送信時点は、リソースを解放するためのシグナリングによって示されたリソース位置の情報に対応する時間周波数リソースが位置する時間期間内に位置してもよく、割当てリソースが位置する時間期間内に位置してもよく、割当てリソースが位置する時間期間の後の指定された時間期間内に位置してもよい。
【００６２】
場合によっては、送信機は、リソースをスケジュールするための第2のシグナリングを少なくとも1つのUEに送信するようにさらに構成され、リソースをスケジュールするための第2のシグナリングは、データ再送中にUEセットによって使用される時間周波数リソースを示し、UEセットは少なくとも1つのUEを含み、その結果、少なくとも1つのUEは、リソースをスケジュールするための第2のシグナリング、時間周波数リソース、および割当てリソースに基づいて、第2の時間周波数リソースを特定し、
送信機は、UEセットにデータを再送するようにさらに構成され、少なくとも1つのUEは、第2の時間周波数リソース上で搬送され、送信機によって再送されたデータ内にあるデータを受信し、すなわち、基地局は各UEにデータを再送することができる。
【００６３】
場合によっては、第2の時間周波数リソースは、データ再送中にUEセットによって使用される時間周波数リソースの少なくとも一部である。UEセットがただ1つのUEを含み、基地局が1つのUE向けにのみデータ再送を実行する場合、第2の時間周波数リソースは、データ再送中にUEセットによって使用される時間周波数リソースのすべてであってもよく、またはUEセットが複数のUEを含み、基地局が複数のUE向けのデータ再送を同時に実行する場合、第2の時間周波数リソースは、データ再送中にUEセットによって使用される時間周波数リソースの一部であってもよい。
【００６４】
場合によっては、データ再送中にUEセットによって使用される時間周波数リソース上で搬送されるデータは、リソースを解放するためのシグナリングによって示されたリソース位置の情報に対応する時間周波数リソース上で少なくとも1つのUEに送信されるようにあらかじめ決められたデータを含む。
【００６５】
本発明の実施形態の第8の態様は、
少なくとも1つのUEにRRCシグナリングを送信するように構成された送信機であって、RRCシグナリングが事前設定された時間長を搬送する、送信機
を含む、基地局を提供し、
送信機は、少なくとも1つのUEにリソースを解放するためのシグナリングを送信するようにさらに構成され、リソースを解放するためのシグナリングは、事前設定された時間長に基づいて、ネットワーク側によって少なくとも1つのUEにすでに割り当てられた割当てリソースの中の事前設定された時間長の対象時間期間を特定し、対象時間期間内に少なくとも1つのUEに割り当てられた各周波数を対象周波数として特定し、対象時間期間および対象周波数を解放するように、少なくとも1つのUEに指示するために使用される。UEは、基地局の指示に基づいて、割当てリソースのうちのいくつかを解放することができる。したがって、リソース占有重複によって引き起こされる干渉を効果的に低減することができ、データ送信の信頼性を向上させることができる。リソースを解放するためのシグナリングも簡略化され、ネットワークシグナリングの負荷を低減することができる。
【００６６】
本発明の実施形態では、UEは、基地局によって送信された、リソースを解放するためのシグナリングを受信することであって、リソースを解放するためのシグナリングがリソース位置の情報を示す、受信することと、リソース位置の情報に基づいて、ネットワーク側によってUEにすでに割り当てられた割当てリソースの中のリソース位置の情報に対応する時間周波数リソースを特定し、次いで、時間周波数リソースを解放することとを行う。UEは、基地局の指示に基づいて、割当てリソースのうちのいくつかを解放することができる。したがって、リソース占有重複によって引き起こされる干渉を効果的に低減することができ、データ送信の信頼性を向上させることができる。
【００６７】
本発明における技術的解決策をより明確に説明するために、以下で、実施形態を説明するために必要とされる添付図面を簡単に説明する。明らかに、以下の説明における添付図面は本発明のいくつかの実施形態を示すにすぎず、当業者は、創造的な努力なしに、これらの添付図面から他の図面をさらに導出することができる。
【図面の簡単な説明】
【００６８】
【図１】本発明の一実施形態による、リソース管理方法の第1の実施形態の概略フローチャートである。
【図２】本発明の一実施形態による、リソース管理方法の第2の実施形態の概略フローチャートである。
【図３】本発明の一実施形態による、リソース管理方法の第3の実施形態の概略フローチャートである。
【図４】本発明の一実施形態による、リソース管理方法の第4の実施形態の概略フローチャートである。
【図５】本発明の一実施形態による、リソース管理方法の第5の実施形態の概略フローチャートである。
【図６】本発明の一実施形態による、リソース管理方法の第6の実施形態の概略フローチャートである。
【図７】本発明の一実施形態による、UEの概略構造図である。
【図８】本発明の一実施形態による、基地局の概略構造図である。
【発明を実施するための形態】
【００６９】
図1を参照すると、図1は、本発明の一実施形態による、リソース管理方法の第1の実施形態の概略フローチャートである。この実施形態に記載されるリソース管理方法は、主にUEの側から記載され、以下のステップを含む。
【００７０】
S101．UEが、基地局によって送信された、リソースを解放するためのシグナリングを受信し、リソースを解放するためのシグナリングはリソース位置の情報を示す。
【００７１】
具体的には、リソースを解放するようにUEに指示するために使用されるリソースを解放するためのシグナリングが本発明のこの実施形態に導入され、リソースを解放するためのシグナリングは、データ送信をスケジュールするために使用される（DCIなどの）スケジューリングシグナリングに比べて簡略化され、リソース位置の情報を含むだけでよい。基地局は、具体的に、複数のUE間のリソース占有が重複すると判定された場合、リソースを解放するためのシグナリングを1つまたは複数のUEに送信することができる。たとえば、第1のUEは、ネットワーク側によって割り当てられたリソースを使用してデータ送信を実行し、第2のUEは、散発的であること、高いサービス優先度、高い遅延要件などの少なくとも1つを満たすサービスのデータを送信する必要がある。この場合、ネットワーク側によって第2のUEに割り当てられたリソースは、第1のUEによって現在占有されているリソースと重複する可能性があり、したがって、基地局はリソースを解放するためのシグナリングを第1のUEに送信することができる。
【００７２】
リソース位置の情報は、時間領域内の位置の情報、周波数領域内の位置の情報、キャリアインジケータ、ビームインジケータ、およびコードリソースインジケータのうちの少なくとも1つを含んでもよい。時間領域内の位置の情報はリソースの時間領域サイズを示し、周波数領域内の位置の情報はリソースの周波数領域サイズを示す。リソースを解放するためのシグナリングの有効時間は、スケジューリングシグナリングの有効時間と同じであってもよく、制御とデータ送信との間の既存の時間シーケンス関係は、変更されないままであってもよい。
【００７３】
いくつかの実現可能な実装形態では、ネットワーク側は、リソースを基地局が解放できるリソースと基地局が解放できないリソースに分割することができ、基地局が解放できるリソースは、事前設定された第1の時間周波数リソースとして表記される。UEにリソースを割り当てる前に、ネットワーク側は、ブロードキャストシグナリング、RRCシグナリングなどを使用して、UEに割り当てられるべきリソースが、基地局が解放できるリソースか、基地局が解放できないリソースかをUEに通知することができる。ステップS101を実行する前に、UEは、最初に、ネットワーク側によってUEにすでに割り当てられた割当てリソースと第1の時間周波数リソースとの間の重複状況を取得し、次いで重複状況に基づいて、基地局から送信された、リソースを解放するためのシグナリングを受信するべきかどうかを判定する。これは、具体的には、割当てリソースが第1の時間周波数リソースと重複する場合、本明細書における重複は時間領域および／もしくは周波数領域内の部分重複または完全重複を含むが、UEはステップS101を実行する、すなわち、基地局によって送信された、リソースを解放するためのシグナリングを受信することができること、または割当てリソースが第1の時間周波数リソースと重複しない場合、UEはステップS101を実行しない、すなわち、基地局によって送信された、リソースを解放するためのシグナリングを受信することも、後続のステップS102およびS103を実行することも行わなくてもよいことを含む。すなわち、基地局がUEに割り当てられたリソースを解放できない場合、UEはリソースを解放するためのシグナリングを受信せず、UEはリソースを解放するためのシグナリングに従うことができなくてもよく、それにより、UEの電力消費が削減される。
【００７４】
S102．リソース位置の情報は、時間領域内の位置の情報および周波数領域内の位置の情報を含み、UEが、時間領域内の位置の情報および周波数領域内の位置の情報に基づいて、ネットワーク側によってUEにすでに割り当てられた割当てリソースの中の時間領域内の位置の情報に対応する対象時間期間および周波数領域内の位置の情報に対応する対象周波数を特定する。
【００７５】
S103．UEが、対象時間期間および対象周波数から構成される時間周波数リソースを解放する。
【００７６】
具体的には、リソース位置の情報は、時間領域内の位置の情報および周波数領域内の位置の情報を含んでもよく、すなわち、基地局は、別のUEによって必要とされるリソースの数に基づいて、UEが解放する必要があるリソースの時間領域サイズおよび周波数領域サイズを示すことができ、UEは、割当てリソースの中で、時間領域内の位置の情報および周波数領域内の位置の情報に対応する時間周波数リソース（すなわち、解放される必要があるリソース）を特定し、UEは必要に応じてリソースを解放する。したがって、リソースの利用率が向上する可能性がある。
【００７７】
いくつかの実現可能な実装形態では、リソース位置の情報は時間領域内の位置の情報のみを含んでもよく、ネットワーク側によってUEにすでに割り当てられた割当てリソースは時間および周波数を含み、UEは、時間領域内の位置の情報に基づいて、割当てリソースの中の時間領域内の位置の情報に対応する対象時間期間を特定し、対象時間期間内にUEに割り当てられた各周波数を対象周波数として特定し、対象時間期間および対象周波数から構成される時間周波数リソースを解放する。
【００７８】
具体的には、基地局によって送信された、リソースを解放するためのシグナリングは、解放される必要があるリソースの時間領域サイズのみを示す。この場合、UEは、時間領域内の位置の情報に対応する時間領域リソースを解放し、時間領域リソース上でUEに割り当てられたすべての周波数領域リソースを解放することができ、リソースを解放するためのシグナリングのさらなる簡略化により、ネットワークのシグナリング負荷が効果的に低減される。
【００７９】
いくつかの実現可能な実装形態では、リソース解放粒度単位は、毎回解放される2つのOFDMシンボルであり、割当てリソースは、1、2、3、4、5、6、7、8、9、および10の番号が付けられた10個のOFDMシンボルであると仮定する。リソースを解放するためのシグナリングの送信時点に対して、以下を含む複数の選択肢が存在してもよい。リソースを解放するためのシグナリングの送信時点は、リソースを解放するためのシグナリングによって示されたリソース位置の情報に対応する時間周波数リソースが位置する時間期間内に位置し、時間周波数リソースが3および4の番号が付けられたOFDMシンボルなどの1つのリソース解放粒度単位である場合、リソースを解放するためのシグナリングの送信時点は、3および4の番号が付けられたOFDMシンボルが位置する時間期間内に位置し、または時間周波数リソースが複数のリソース解放粒度単位である、たとえば、具体的に2つのリソース解放粒度単位（3および4の番号が付けられたOFDMシンボルならびに7および8の番号が付けられたOFDMシンボル）である場合、リソースを解放するためのシグナリングは2回送信される必要があり、送信時点は、それぞれ、3および4の番号が付けられたOFDMシンボルが位置する時間期間、ならびに7および8の番号が付けられたOFDMシンボルが位置する時間期間である。すなわち、UEは、基地局によって送信された、リソースを解放するためのシグナリングを複数回受信する必要があり、割当てリソースのうちのどのリソースが時間周波数リソースであるかを迅速に判定することができる。
【００８０】
あるいは、リソースを解放するためのシグナリングの送信時点は、割当てリソースが位置する時間期間内に位置し、リソースを解放するためのシグナリングが2つのOFDMシンボルを占有する場合、リソースを解放するためのシグナリングの送信時点は、9および10の番号が付けられたOFDMシンボルが位置する時間期間内に位置してもよい。すなわち、UEは、割当てリソースが位置する時間期間の終了時に、リソースを解放するためのシグナリングを一度だけ受信し、この場合、時間周波数リソースは、1つまたは複数のリソース解放粒度単位であってもよい。たとえば、時間周波数リソースが具体的に2つのリソース解放粒度単位（3および4の番号が付けられたOFDMシンボルならびに7および8の番号が付けられたOFDMシンボル）である場合、UEは、割当てリソースが位置する時間期間の終了時にリソースを解放するためのシグナリングを受信したときのみ、3および4の番号が付けられたOFDMシンボルならびに7および8の番号が付けられたOFDMシンボルとして、時間周波数リソースを特定することができる。
【００８１】
あるいは、リソースを解放するためのシグナリングの送信時点は、割当てリソースが位置する時間期間の後に位置し、たとえば、具体的に割当てリソースの中の最後のOFDMシンボルの後の2つの隣接するOFDMシンボル内にあってもよく、具体的に割当てリソースの中の最後のOFDMシンボルから時間間隔を開けた2つのOFDMシンボル内にあってもよい。この場合、UEはまた、割当てリソースが位置する時間期間の後のリソースを解放するためのシグナリングを受信したときのみ、時間周波数リソースを特定することができ、現在の10個のOFDMシンボル1〜10の場合、UEは一度だけリソースを解放するためのシグナリングを受信する必要がある。
【００８２】
本発明のこの実施形態では、リソース解放粒度単位が毎回解放される2つのOFDMシンボルである例が使用され、割当てリソースが10個のOFDMシンボルである例が使用されることに留意されたい。実際の適用シナリオ要件に応じて、リソース解放粒度単位は、代替として、毎回解放される（1または3などの）別の数のOFDMシンボルであってもよく、割当てリソースは、代替として、（5または20などの）別の数のOFDMシンボルであってもよい。確かに、リソース解放粒度単位および割当てリソースはさらに、TTIまたはタイムスロット形式で示されてもよい。
【００８３】
いくつかの実現可能な実装形態では、リソースを解放するためのシグナリングの送信時点が、時間周波数リソースが位置する時間期間内に位置する場合、リソースを解放するためのシグナリングをUEが受信する時点は、基地局によって送信された、リソースをスケジュールするための第1のシグナリングをUEが受信する時点の後に位置してもよく、リソースをスケジュールするための第1のシグナリングは、UEにリソースを割り当てるために使用され、ネットワーク側によってUEに割り当てられたリソースを示す。
【００８４】
さらに、リソースを解放するためのシグナリングが受信される時点と、リソースをスケジュールするための第1のシグナリングが受信される時点との間の時間間隔が第1の時間間隔として表記された場合、リソースをスケジュールするための第1のシグナリングは、第1の時間間隔内で時間周波数リソースを解放するために使用され、すなわち、リソースをスケジュールするための第1のシグナリングは、割当てリソースと第1の時間間隔内で解放された時間周波数リソースの両方を示す。たとえば、現在の10個のOFDMシンボル1〜10の場合、全体で解放される時間周波数リソースは、2つのリソース解放粒度単位（1および2の番号が付けられたOFDMシンボルならびに5および6の番号が付けられたOFDMシンボル）である。この場合、第1の時間間隔は1〜4の番号が付けられた4つのOFDMシンボルであり、現在の10個のOFDMシンボル1〜10がUEに割り当てられていることを示しながら、リソースをスケジュールするための第1のシグナリングは、第1の時間間隔内で解放された時間周波数リソースが、1および2の番号が付けられたOFDMシンボルであることをさらに示す。第1の時間間隔の後、UEは、5および6の番号が付けられたOFDMシンボルが位置する時間期間内に送信時点が位置するリソースを解放するためのシグナリングを一度受信し、リソースをスケジュールするための第1のシグナリングおよびリソースを解放するためのシグナリングに基づいて、全体で解放される時間周波数リソースを特定することができ、リソースをスケジュールするための第1のシグナリングは、第1の時間間隔内の時間周波数リソースのリソース位置の情報を示すために使用され、UEは、リソースを解放するためのシグナリングを受信する回数を削減することができる。
【００８５】
いくつかの実現可能な実装形態では、リソース位置の情報は周波数領域内の位置の情報のみを含んでもよく、UEは、事前設定された時間長および周波数領域内の位置の情報に基づいて、ネットワーク側によってUEにすでに割り当てられた割当てリソースの中の事前設定された時間長の対象時間期間および周波数領域内の位置の情報に対応する対象周波数を特定し、対象時間期間および対象周波数から構成される時間周波数リソースを解放する。
【００８６】
具体的には、UEがデータ送信を実行するとき、基地局がリソースを解放するためのシグナリングをUEに送信する前に、基地局は、UEに（RRCシグナリングなどの）上位レイヤシグナリングをUEに送信し、上位レイヤシグナリングを使用してUEに事前設定された時間長を通知することができるか、または事前設定された時間長は、UEと基地局との間の通信プロトコル内に設定されてもよく、UEは、通信プロトコルに従って事前設定された時間長を直接取得することができ、基地局から事前設定された時間長を取得する必要はない。
【００８７】
基地局によって送信された、リソースを解放するためのシグナリングは、解放される必要があるリソースの周波数領域サイズのみを示し、時間領域サイズを決定するための事前設定された時間長は、あらかじめ基地局によってUEに通知されるか、またはUEと基地局との間の通信プロトコルから直接UEによって取得されることが分かる。リソースを解放するためのシグナリングのさらなる簡略化により、ネットワークシグナリングの負荷を効果的に低減することができる。
【００８８】
いくつかの実現可能な実装形態では、リソースを解放するためのシグナリングは、リソース位置の情報を含まない場合があり、すなわち、解放される必要があるリソースの時間領域サイズおよび周波数領域サイズを示さない場合があり、リソースを解放するためのシグナリングはさらに簡略化され、たとえば、1ビット（bit）を含むだけでもよい。ビットが1に設定されると、それは、UEがリソース解放を実行する必要があることを示す。
【００８９】
具体的には、UEがデータ送信を実行するとき、基地局がリソースを解放するためのシグナリングをUEに送信する前に、基地局は、（RRCシグナリングなどの）上位レイヤシグナリングをUEに送信し、上位レイヤシグナリングを使用して、解放される必要があるリソースの時間領域サイズを決定するために使用される事前設定された時間長をUEに通知することができるか、または事前設定された時間長は、UEと基地局との間の通信プロトコル内に設定されてもよく、時間領域の時間領域リソース上でUEに割り当てられたすべての周波数領域リソースが解放される。
【００９０】
いくつかの実現可能な実装形態では、時間領域内の位置の情報および事前設定された時間長は、具体的に、OFDMシンボルの数、TTIの数、およびTTIの長さのうちの少なくとも1つを含んでもよい。すなわち、基地局は、OFDMシンボルの数、TTIの数、およびTTIの長さなどのパラメータを使用して、UEが解放する必要があるリソースの時間領域サイズを具体的に示すことができる。周波数領域内の位置の情報は、具体的にサブキャリアの数を含んでもよく、UEが解放する必要があるリソースの周波数領域サイズを示すために使用される。
【００９１】
いくつかの実現可能な実装形態では、リソース位置の情報は、キャリアインジケータをさらに含んでもよく、UEが複数のキャリアを同時に使用してUEと基地局との間でデータ送信を実行する場合、UEは、キャリアインジケータによって示されたキャリア上のみの時間周波数リソースを解放する。
【００９２】
いくつかの実現可能な実装形態では、リソース位置の情報は、ビームインジケータをさらに含んでもよく、UEが複数のビームを同時に使用してUEと基地局との間でデータ送信を実行する場合、UEは、ビームインジケータによって示されたビーム上のみの時間周波数リソースを解放する。
【００９３】
いくつかの実現可能な実装形態では、リソース位置の情報は、コードリソースインジケータをさらに含んでもよく、UEが複数のコードチャネルを同時に使用してUEと基地局との間でデータ送信を実行する場合、UEは、コードリソースインジケータによって示されたコードチャネル上のみの時間周波数リソースを解放する。
【００９４】
いくつかの実現可能な実装形態では、リソース位置の情報は、キャリアインジケータ、ビームインジケータ、およびコードリソースインジケータのうちの少なくとも2つのパラメータをさらに含んでもよく、したがって、UEは、少なくとも2つのパラメータによって一緒に特定されたリソース上のみの時間周波数リソースを解放する。
【００９５】
いくつかの実現可能な実装形態では、UEが時間周波数リソースを解放した後、時間周波数リソース上でUEに送信されるようにあらかじめ決められたデータは、UEに送信されない。この場合、基地局はデータを再送することができ、再送は、UEにデータを再送すること、または複数のUEにデータを同時に再送することを含む。
【００９６】
具体的な実装中、UEは、基地局によって送信された、リソースをスケジュールするための第2のシグナリングを受信し、リソースをスケジュールするための第2のシグナリングは、データ再送中にUEセットによって使用される時間周波数リソースを示し、すなわち、時間周波数リソースは、基地局がUEセットに含まれるUEに対してデータ再送を実行するときに使用されるリソースであり、UEセットは少なくともそのUEを含む。UEは、データ再送中にUEセットによって使用される時間周波数リソースを特定し、データ再送中にUEセットによって使用される時間周波数リソース、時間周波数リソース、および割当てリソースに基づいて、データ再送中にUEセットによって使用される第2の時間周波数リソースを特定し、次いで、第2の時間周波数リソース上で搬送され、基地局によって再送されたデータ内にあるデータを受信し、その結果、UEセットに含まれるUEは、基地局によって再送されたデータから、それぞれの再送データを取得することができる。
【００９７】
データ再送中にUEセットによって使用される時間周波数リソース上で搬送されるデータは、時間周波数リソース上でUEに送信されるようにあらかじめ決められたデータを含む。
【００９８】
いくつかの実現可能な実装形態では、時間周波数リソース上でUEに送信されるようにあらかじめ決められたデータの場合、基地局は、一度にすべてのデータをUEに再送してもよく、バッチで複数回にわたってUEにデータを再送してもよい。リソース解放粒度単位が毎回解放される2つのOFDMシンボルである場合、割当てリソースは、1、2、3、4、5、6、7、8、9、および10の番号が付けられた10個のOFDMシンボルであり、UEによって解放される時間周波数リソースは、3、4、7、および8の番号が付けられた4つのOFDMシンボルであり、4つのOFDMシンボル上でUEに送信されるようにあらかじめ決められたデータを再送するとき、基地局は、4つのOFDMシンボルを使用してデータ再送を直ちに実行することができる。確かに、4つのOFDMシンボル上でUEに送信されるようにあらかじめ決められたデータに対して圧縮処理が実行された後、基地局は、4つ未満のOFDMシンボルを使用して一度にデータを再送することができる。あるいは、データは、2つのOFDMシンボルまたは2つ未満OFDMシンボルをそれぞれ使用することにより、連続的にバッチで複数回にわたって再送されてもよい。たとえば、3および4の番号が付けられた2つのOFDMシンボル上でUEに送信されるようにあらかじめ決められたデータは、2つのOFDMシンボルまたは2つ未満のOFDMシンボルを使用することによって最初に再送され、次いで、7および8の番号が付けられた2つのOFDMシンボル上でUEに送信されるようにあらかじめ決められたデータは、2つのOFDMシンボルまたは2つ未満のOFDMシンボルを使用することによって再送され、その結果、UEは、4つのOFDMシンボル上でUEに送信されるようにあらかじめ決められ、基地局によって再送されたデータを取得する。
【００９９】
別の例を挙げると、UEセットは、2つのUE：UE1およびUE2を含む。UE1がUEであり、UE1は、3および4の番号が付けられた2つのOFDMシンボル上の5MHzの帯域幅リソースを解放し、UE2は、5および6の番号が付けられた2つのOFDMシンボル上の5MHzの帯域幅リソースを解放すると仮定する。この場合、基地局は、2つのUE：UE1およびUE2にデータを再送する必要があり、データ再送中にUEセットによって使用される時間周波数リソースが、4つのOFDMシンボル上の5MHzの帯域リソースである場合、UE1およびUE2は、それぞれのリソース解放時点に基づいて、対応する第2の時間周波数リソースをそれぞれ取得することができる。UE1の第2の時間周波数リソースは、4つのOFDMシンボル上の5MHzの帯域幅リソースの最初の2つのOFDMシンボル上の5MHzの帯域幅リソースであってもよく、UE2の第2の時間周波数リソースは、4つのOFDMシンボル上の5MHzの帯域幅リソースの最後の2つのOFDMシンボル上の5MHzの帯域幅リソースであってもよく、その結果、UE1は、最初の2つのOFDMシンボル上の5MHzの帯域幅リソース上で搬送されるデータを受信し、UE2は、最後の2つのOFDMシンボル上の5MHzの帯域幅リソース上で搬送されるデータを受信する。確かに、再送データに対して圧縮処理が実行された後、基地局は、OFDMシンボル数および／または帯域幅が削減された後に取得される時間周波数リソースを使用してデータを再送することができる。この場合、UE1およびUE2に対応するそれぞれの第2の時間周波数リソースも、等しい割合で削減される。
【０１００】
別の例を挙げると、UE1は、3および4の番号が付けられた2つのOFDMシンボル上の5MHzの帯域幅リソースを解放し、UE2も、3および4の番号が付けられた2つのOFDMシンボル上の5MHzの帯域幅リソースを解放し、UE1によって解放された5MHzの帯域幅リソースおよびUE2によって解放された5MHzの帯域幅リソースは、3および4の番号が付けられた2つのOFDMシンボル上の異なる周波数帯域位置をそれぞれ占有する。UE1によって解放された5MHzの帯域幅リソースは、3および4の番号が付けられた2つのOFDMシンボル上の第1の周波数帯域位置に対応し、UE2によって解放された5MHzの帯域幅リソースは、3および4の番号が付けられた2つのOFDMシンボル上の第2の周波数帯域位置に対応すると仮定する。この場合、基地局は、2つのUE、UE1およびUE2にデータを再送する必要があり、データ再送中にUEセットによって使用される時間周波数リソースが、2つのOFDMシンボル上の10MHzの帯域リソースである場合、UE1およびUE2は、それぞれの対応する周波数帯域位置に基づいて、対応する第2の時間周波数リソースをそれぞれ取得することができる。UE1の第2の時間周波数リソースは、2つのOFDMシンボル上の第1の周波数帯域位置に対応する5MHzの帯域幅リソースであってもよく、UE2の第2の時間周波数リソースは、2つのOFDMシンボル上の第2の周波数帯域位置に対応する5MHzの帯域幅リソースであってもよく、その結果、UE1は、2つのOFDMシンボル上の第1の周波数帯域位置に対応する5MHzの帯域幅リソースによって搬送されるデータを受信し、UE2は、2つのOFDMシンボル上の第2の周波数帯域位置に対応する5MHzの帯域幅リソースによって搬送されるデータを受信する。確かに、再送データに対して圧縮処理が実行された後、基地局は、OFDMシンボル数および／または帯域幅が削減された後に取得される時間周波数リソースを使用してデータを再送することができる。この場合、UE1およびUE2に対応するそれぞれの第2の時間周波数リソースも、等しい割合で削減される。
【０１０１】
いくつかの実現可能な実装形態では、リソースを解放するためのシグナリングをUEが受信する時点およびリソースをスケジュールするための第2のシグナリングをUEが受信する時点は、いくつかの同じOFDMシンボル上などの同じ時間期間内にあってもよく、またはリソースをスケジュールするための第2のシグナリングをUEが受信する時点は、リソースを解放するためのシグナリングをUEが受信する時点の後の指定された時間期間内に位置してもよい。たとえば、指定された時間期間は、具体的に、リソースを解放するためのシグナリングが受信される時点に対応するOFDMシンボルの後のいくつかの隣接するOFDMシンボルであってもよく、具体的に、リソースを解放するためのシグナリングが受信される時点に対応するOFDMシンボルから時間間隔を開けたいくつかのOFDMシンボルであってもよい。
【０１０２】
いくつかの実現可能な実装形態では、第2の時間周波数リソースは、データ再送中にUEセットによって使用される時間周波数リソースの少なくとも一部である。UEセットがそのUE（すなわち、1つのUE）のみを含み、基地局がそのUE向けにのみデータ再送を実行する場合、第2の時間周波数リソースは、データ再送中にUEセットによって使用される時間周波数リソースのすべてであってもよく、またはUEセットがそのUEを含む複数のUEを含み、基地局が複数のUE向けのデータ再送を同時に実行する場合、第2の時間周波数リソースは、データ再送中にUEセットによって使用される時間周波数リソースの一部であってもよい。
【０１０３】
いくつかの実現可能な実装形態では、データ再送中にUEセットによって使用される時間周波数リソース上で搬送されるデータは、リソースを解放するためのシグナリングによって示されたリソース位置の情報に対応する時間周波数リソース上でUEに送信されるようにあらかじめ決められたデータを含む。
【０１０４】
本発明のこの実施形態では、UEは、基地局によって送信された、リソースを解放するためのシグナリングを受信することであって、リソースを解放するためのシグナリングがリソース位置の情報を示す、受信することと、リソース位置の情報に基づいて、ネットワーク側によってUEにすでに割り当てられた割当てリソースの中のリソース位置の情報に対応する時間周波数リソースを特定し、次いで、時間周波数リソースを解放することとを行う。UEは、基地局の指示に基づいて、割当てリソースのうちのいくつかを解放することができる。したがって、リソース占有重複によって引き起こされる干渉を効果的に低減することができ、データ送信の信頼性を向上させることができる。
【０１０５】
図2を参照すると、図2は、本発明の一実施形態による、リソース管理方法の第2の実施形態の概略フローチャートである。この実施形態に記載されるリソース管理方法は、主にUEの側から記載され、以下のステップを含む。
【０１０６】
S201．UEが、基地局によって送信された、リソースを解放するためのシグナリングを受信し、リソースを解放するためのシグナリングはリソース位置の情報を示す。
【０１０７】
S202．ネットワーク側によってUEにすでに割り当てられた割当てリソースは第1のTTIを含み、UEが、第1のTTI内で、リソース位置の情報に含まれる時間領域内の位置の情報に対応する対象時間期間を特定するか、またはUEが、第1のTTI内で、事前設定された時間長の対象時間期間を特定する。
【０１０８】
第1のTTIは、従来のLTEシステムにおいて規定されるロングTTIであってもよい。基地局は、具体的に、複数のUE間のリソース占有が重複すると判定された場合、リソースを解放するためのシグナリングを1つまたは複数のUEに送信することができる。たとえば、第1のUEは、ネットワーク側によって割り当てられた（ロングTTIなどの）リソースを使用してデータ送信を実行し、第2のUEは、ショートTTIを使用して、散発的であること、高いサービス優先度、高い遅延要件などの少なくとも1つを満たすサービスのデータを送信する必要がある。この場合、ネットワーク側によって第2のUEに割り当てられたショートTTIは、第1のUEによって現在占有されているロングTTIと重複する可能性があり、したがって、基地局は、リソース位置の情報を示すリソースを解放するためのシグナリングを第1のUEに送信してもよい。事前設定された時間長およびリソース位置の情報に含まれる時間領域内の位置の情報は、OFDMシンボル数またはショートTTIに対応するTTI長を含んでもよい。
【０１０９】
具体的には、UEは、時間領域内の位置の情報または事前設定された時間長に基づいて、第1のTTI内で、対応する数のOFDMシンボルまたは対応する長さのTTIを解放する。
【０１１０】
S203．UEが、対象時間期間内にUEに割り当てられた周波数内で、リソース位置の情報に含まれる周波数領域内の位置の情報に対応する対象周波数を特定するか、またはUEが、対象時間期間内にUEに割り当てられた各周波数を対象周波数として特定する。
【０１１１】
S204．UEが対象時間期間および対象周波数を解放する。
【０１１２】
本発明のこの実施形態では、UEは、基地局によって送信された、リソースを解放するためのシグナリングを受信し、リソースを解放するためのシグナリングはリソース位置の情報を示し、ネットワーク側によってUEにすでに割り当てられた割当てリソースはロングTTIを含む。UEは、ロングTTI内で、リソース位置の情報に含まれる時間領域内の位置の情報または事前設定された時間長によって示された、対応する数のOFDMシンボルまたは対応する長さのTTIを解放し、リソース位置の情報に含まれる周波数領域内の位置の情報に対応する周波数、またはロングTTI内でUEに割り当てられた各周波数を解放することができる。UEは、基地局の指示に基づいて、割当てリソースのうちのいくつかを解放することができる。したがって、リソース占有重複によって引き起こされる干渉を効果的に低減することができ、データ送信の信頼性を向上させることができる。
【０１１３】
図3を参照すると、図3は、本発明の一実施形態による、リソース管理方法の第3の実施形態の概略フローチャートである。この実施形態に記載されるリソース管理方法は、主にUEの側から記載され、以下のステップを含む。
【０１１４】
ステップS301〜ステップS303については、上記実施形態におけるステップS101〜ステップS103を参照されたい。詳細は本明細書では再び記載されない。
【０１１５】
S304．ネットワーク側によってUEにすでに割り当てられた割当てリソースは、K個のbundlingTTIを含み、対象周波数は、K個のbundlingTTI内の対象TTI内でUEに割り当てられた周波数の一部またはすべてであり、UEが、対象TTIの解放部分をパンクチャし、新しいレートマッチングパラメータを使用して対象TTIの非解放部分で、対象TTI内で搬送されるRVもしくはデータブロックを送受信するか、または新しいトランスポートブロックサイズTBSを使用して非解放部分で、対象TTI内で搬送されるデータブロックを送受信する。
【０１１６】
Kは1より大きい整数であり、TTIbundlingは、1つのUEに対するデータ送信スケジューリングを実行するために複数のTTIを結合することであり、複数のTTIは、1つのスケジューリングシグナリングを使用して一度スケジューリングされてもよく、K個のbundlingTTIは、同じデータブロックまたはK個のデータブロックのK個の冗長バージョン（Redundancy Version、RV）を搬送するために使用され、bundlingを実行するためのTTIは時間的に連続であっても時間的に不連続であってもよく、対象TTIは1つまたは複数のTTIであってもよい。
【０１１７】
具体的には、bundlingTTIと単一TTIが共存し、UEによって解放される対象時間期間が対象TTIであり、対象周波数は対象TTI内でUEに割り当てられた周波数の一部またはすべてである。UEは、対象TTIの解放部分をパンクチャする。すなわち、解放部分で、アップリンクデータの送信電力は0であり、ダウンリンクデータは受信されない。あるいは、UEは、対象TTIの非解放部分および対象TTI内で搬送されるRVまたはデータブロックに基づいてレートマッチングパラメータをリセットし、新しいレートマッチングパラメータを使用して非解放部分で、対象TTI内で搬送されるRVまたはデータブロックを送受信する。あるいは、UEは、非解放部分に基づいて、対象TTI内で搬送されるデータブロックを再区分化し、新しいトランスポートブロックサイズ（Transport Block Size、TBS）を使用して、対象TTI内で搬送されるデータブロックを送受信する。
【０１１８】
対象TTI内でUEに割り当てられた各周波数が解放された場合、UEは、対象TTI上でデータを送信することもデータを受信することも行わないことに留意されたい。
【０１１９】
S305．UEが、対象TTIの後の次に利用可能なTTI内で、対象TTI内で搬送されるRVまたはデータブロックを送受信する。
【０１２０】
具体的には、対象TTIが、同じデータブロックの複数のRVのうちの（RV0などの）最も重要なRVを搬送する場合、UEは、対象TTIの後の次に利用可能なTTI内で、対象TTI内で搬送されるRVを再び送受信して、最も重要なRVが一度完全に送信されたことを保証することができる。したがって、データ送信の信頼性を向上させることができる。
【０１２１】
対象TTIがデータブロックを搬送する場合、対象TTI内で搬送されるデータブロックに対して、UEは、対象TTIの後の次に利用可能なTTI内でデータブロックを送受信することを選択することができる。
【０１２２】
いくつかの実現可能な実装形態では、対象TTI内で搬送されるデータブロックに対して、UEは、対象TTIの後の次に利用可能なTTI内でデータブロックを送信しないまたは受信しないことを選択することができる。
【０１２３】
S306．UEが、K個のbundlingTTIの後の次に利用可能なTTI内で、K個のRVのうちの最後のRVまたはK個のデータブロックのうちの最後のデータブロックを送受信する。
【０１２４】
具体的には、UEは、ネットワーク側によって割り当てられたリソース内のK個のbundlingTTIの後の次に利用可能なTTIを別々に使用して、最後のRVまたは最後のデータブロックを送信することができる。したがって、データ送信の信頼性をさらに向上させることができる。
【０１２５】
本発明のこの実施形態では、UEは、基地局によって送信された、リソースを解放するためのシグナリングを受信することであって、リソースを解放するためのシグナリングがリソース位置の情報を示す、受信することと、リソース位置の情報に基づいて、ネットワーク側によってUEにすでに割り当てられた割当てリソースの中のリソース位置の情報に対応する時間周波数リソースを特定し、次いで、時間周波数リソースを解放することとを行う。TTIbundlingシナリオでは、UEは、複数のbundlingTTIのうちの対象TTIの解放部分をパンクチャし、新しいレートマッチングパラメータを使用して非解放部分で、対象TTI内で搬送されるRVもしくはデータブロックを送受信するか、または新しいTBSを使用して非解放部分で、対象TTI内で搬送されるデータブロックを送受信する。重要なRVまたはデータブロックの場合、UEは、複数のbundlingTTIのうちの次に利用可能なTTI内で重要なRVまたはデータブロックを再び送受信することができ、複数のbundlingの後の次に利用可能なTTI内で、K個のRVのうちの最後のRVまたはK個のデータブロックのうちの最後のデータブロックをさらに送受信することができる。UEは、基地局の指示に基づいて割当てリソースのうちのいくつかを解放し、TTIbundlingシナリオで搬送されるRVまたはデータブロックのその後の送信を調整することができる。したがって、リソース占有重複によって引き起こされる干渉を効果的に低減することができ、データ送信の信頼性を向上させることができる。
【０１２６】
図4を参照すると、図4は、本発明の一実施形態による、リソース管理方法の第4の実施形態の概略フローチャートである。この実施形態に記載されるリソース管理方法は、主にUEの側から記載され、以下のステップを含む。
【０１２７】
ステップS401〜ステップS403については、上記実施形態におけるステップS101〜ステップS103を参照されたい。詳細は本明細書では再び記載されない。
【０１２８】
S404．ネットワーク側によってUEにすでに割り当てられた割当てリソースは、半永続的スケジューリングSPSリソースを含み、対象周波数は、SPSリソースの中の対象TTI内でUEに割り当てられた周波数の一部またはすべてであり、UEが、対象TTIの解放部分をパンクチャし、新しいレートマッチングパラメータを使用して対象TTIの非解放部分で、対象TTI内で搬送されるデータブロックを送受信するか、または新しいTBSを使用して非解放部分で、対象TTI内で搬送されるデータブロックを送受信する。
【０１２９】
半永続的スケジューリング（Semi−Persistent Scheduling、SPS）リソースは、（RRCシグナリングなどの）上位レイヤシグナリングを使用してUE向けに基地局によって構成された周期的なリソースであり、UEがSPSリソースを解放することを可能にするために基地局が非アクティブ化スケジューリングシグナリングを送達するまで、UEはSPSリソース上で送受信を永続的に実行することができる。
【０１３０】
具体的には、UEによって解放される対象時間期間は対象TTIであり、対象周波数は、対象TTI内でUEに割り当てられた周波数の一部またはすべてである。リソースを解放するためのシグナリングは、非アクティブ化シグナリングよりも簡略化され、UEは、基地局によって送信された、リソースを解放するためのシグナリングに基づいて、SPSリソースの中の対象TTIの一部またはすべてを解放することができ、対象TTIは、具体的に1つまたは複数のTTIを含んでもよい。
【０１３１】
本発明のこの実施形態では、場合によっては、UEは、対象時間期間および対象周波数から構成される時間周波数リソースが第1の時間周波数リソースと重複するかどうかをさらに判定することができ、対象時間期間および対象周波数から構成される時間周波数リソース内の少なくとも1つの時間周波数サブリソースが第1の時間周波数リソースと重複する場合、UEは、第1の時間周波数リソースと重複する少なくとも1つの時間周波数サブリソースを解放しないが、少なくとも1つの時間周波数サブリソース以外の、対象時間期間および対象周波数から構成される時間周波数リソース内の残りの時間周波数サブリソースを解放し、または対象時間期間および対象周波数から構成される時間周波数リソースが第1の時間周波数リソースと重複しない場合、UEは、対象時間期間および対象周波数から構成される時間周波数リソース内のすべての時間周波数サブリソースを解放し、第1の時間周波数リソースの時間周波数位置は、UEが位置するサービングセル内のすべてのUEによって一般に知られている。言い換えれば、第1の時間周波数リソースは、高優先度信号を送信するための時間周波数リソースであり、本明細書における高優先度信号は、通常、共通信号であるか、またはシステム要件に応じて、復調基準信号（Demodulation RS、DMRS）およびサウンディング基準信号（Sounding RS、SRS）などの高い優先度を有するように設定されたいくつかの信号である。たとえば、第1の時間周波数リソースは、共通信号を送信するために使用される時間周波数リソースである。たとえば、第1の時間周波数リソースは、セル固有基準信号（Cell−specific Reference Signal、CRS）、同期信号（Synchronization Signal）、またはディスカバリ信号（Discovery signal）などの高優先度共通信号を送信するための時間周波数リソースであってもよい。あるいは、第1の時間周波数リソースは、物理ブロードキャストチャネル（Physical Broadcast Channel、PBCH）などの共通チャネルであってもよい。第1の時間周波数リソースは、アップリンク送信用の共通リソース、たとえば、物理ランダムアクセスチャネル（Physical Random Access Channel、PRACH）の時間周波数リソースであってもよい。あるいは、第1の時間周波数リソースは、UEのDMRSおよびSRSを送信するための時間周波数リソースであってもよい。
【０１３２】
さらに、UEは対象TTIの解放部分をパンクチャする。すなわち、解放部分で、アップリンクデータの送信電力は0であり、ダウンリンクデータは受信されない。あるいは、UEは、対象TTIの非解放部分および対象TTI内で搬送されるデータブロックに基づいてレートマッチングパラメータをリセットし、新しいレートマッチングパラメータを使用して非解放部分で、対象TTI内で搬送されるデータブロックを送受信する。あるいは、UEは、非解放部分に基づいて、対象TTI内で搬送されるデータブロックを再区分化し、新しいTBSを使用して、対象TTI内で搬送されるデータブロックを送受信する。
【０１３３】
対象TTI内でUEに割り当てられた各周波数が解放された場合、UEは、対象TTI上でデータを送信することもデータを受信することも行わないことに留意されたい。
【０１３４】
本発明のこの実施形態では、UEは、基地局によって送信された、リソースを解放するためのシグナリングを受信することであって、リソースを解放するためのシグナリングがリソース位置の情報を示す、受信することと、リソース位置の情報に基づいて、ネットワーク側によってUEにすでに割り当てられた割当てリソースの中のリソース位置の情報に対応する時間周波数リソースを特定し、次いで、時間周波数リソースを解放することとを行う。SPSリソースがUEに割り当てられるシナリオでは、UEは、SPSリソースの中の対象TTIの解放部分をパンクチャし、新しいレートマッチングパラメータを使用して非解放部分で、対象TTI内で搬送されるデータブロックを送受信するか、または新しいTBSを使用して非解放部分で、対象TTI内で搬送されるデータブロックを送受信する。したがって、リソース占有重複によって引き起こされる干渉を効果的に低減することができ、データ送信の信頼性を向上させることができる。
【０１３５】
図5を参照すると、図5は、本発明の一実施形態による、リソース管理方法の第5の実施形態の概略フローチャートである。この実施形態に記載されるリソース管理方法は、主に基地局の側から記載され、以下のステップを含む。
【０１３６】
S501．基地局が、リソース位置の情報を示すリソースを解放するためのシグナリングを少なくとも1つのUEに送信し、リソースを解放するためのシグナリングは、リソース位置の情報に基づいて、ネットワーク側によってUEにすでに割り当てられた割当てリソースの中のリソース位置の情報に対応する時間周波数リソースを特定し、時間周波数リソースを解放するように少なくとも1つのUEに指示するために使用される。
【０１３７】
具体的には、基地局は、基地局によってカバーされるUEのサービス送信状況をリアルタイムに監視することであって、サービス送信状況が、サービスタイプ、サービス優先度、サービス遅延要件などを含む、監視することと、複数のUE間のリソース占有が重複すると判断された場合、サービス送信状況に基づいて、1つまたは複数のUEにリソースを解放するためのシグナリングを送信することとを行うことができる。たとえば、第1のUEは、ネットワーク側によって割り当てられたリソースを使用してデータ送信を実行し、第2のUEは、散発的であること、高いサービス優先度、高い遅延要件などの少なくとも1つを満たすサービスのデータを送信する必要がある。この場合、ネットワーク側によって第2のUEに割り当てられたリソースは、第1のUEによって現在占有されているリソースと重複する可能性があり、したがって、基地局はリソースを解放するためのシグナリングを第1のUEに送信することができる。
【０１３８】
いくつかの実現可能な実装形態では、リソース解放粒度単位は、毎回解放される2つのOFDMシンボルであり、割当てリソースは、1、2、3、4、5、6、7、8、9、および10の番号が付けられた10個のOFDMシンボルであると仮定する。リソースを解放するためのシグナリングの送信時点に対して、以下を含む複数の選択肢が存在してもよい。リソースを解放するためのシグナリングの送信時点は、リソースを解放するためのシグナリングによって示されたリソース位置の情報に対応する時間周波数リソースが位置する時間期間内に位置し、時間周波数リソースが3および4の番号が付けられたOFDMシンボルなどの1つのリソース解放粒度単位である場合、リソースを解放するためのシグナリングの送信時点は、3および4の番号が付けられたOFDMシンボルが位置する時間期間内に位置し、または時間周波数リソースが複数のリソース解放粒度単位である、たとえば、具体的に2つのリソース解放粒度単位（3および4の番号が付けられたOFDMシンボルならびに7および8の番号が付けられたOFDMシンボル）である場合、基地局は、リソースを解放するためのシグナリングを2回送信する必要があり、送信時点は、それぞれ、3および4の番号が付けられたOFDMシンボルが位置する時間期間、ならびに7および8の番号が付けられたOFDMシンボルが位置する時間期間である。すなわち、UEは、基地局によって送信された、リソースを解放するためのシグナリングを複数回受信する必要があり、割当てリソースのうちのどのリソースが時間周波数リソースであるかを迅速に判定することができる。
【０１３９】
あるいは、リソースを解放するためのシグナリングの送信時点は、割当てリソースが位置する時間期間内に位置し、リソースを解放するためのシグナリングが2つのOFDMシンボルを占有する場合、リソースを解放するためのシグナリングの送信時点は、9および10の番号が付けられたOFDMシンボルが位置する時間期間内に位置してもよい。すなわち、基地局は、割当てリソースが位置する時間期間の終了時に、一度だけUEにリソースを解放するためのシグナリングを送信し、この場合、時間周波数リソースは、1つまたは複数のリソース解放粒度単位であってもよい。たとえば、時間周波数リソースが具体的に2つのリソース解放粒度単位（3および4の番号が付けられたOFDMシンボルならびに7および8の番号が付けられたOFDMシンボル）である場合、UEは、割当てリソースが位置する時間期間の終了時にリソースを解放するためのシグナリングを受信したときのみ、3および4の番号が付けられたOFDMシンボルならびに7および8の番号が付けられたOFDMシンボルとして、時間周波数リソースを特定することができる。
【０１４０】
あるいは、リソースを解放するためのシグナリングの送信時点は、割当てリソースが位置する時間期間の後に位置し、たとえば、具体的に割当てリソースの中の最後のOFDMシンボルの後の2つの隣接するOFDMシンボル内にあってもよく、具体的に割当てリソースの中の最後のOFDMシンボルから時間間隔を開けた2つのOFDMシンボル内にあってもよい。この場合、UEはまた、割当てリソースが位置する時間期間の後のリソースを解放するためのシグナリングを受信したときのみ、時間周波数リソースを特定することができ、現在の10個のOFDMシンボル1〜10の場合、UEは一度だけリソースを解放するためのシグナリングを受信する必要がある。
【０１４１】
本発明のこの実施形態では、リソース解放粒度単位が毎回解放される2つのOFDMシンボルである例が使用され、割当てリソースが10個のOFDMシンボルである例が使用されることに留意されたい。実際の適用シナリオ要件に応じて、リソース解放粒度単位は、代替として、毎回解放される（1または3などの）別の数のOFDMシンボルであってもよく、割当てリソースは、代替として、（5または20などの）別の数のOFDMシンボルであってもよい。確かに、リソース解放粒度単位および割当てリソースはさらに、TTIまたはタイムスロット形式で示されてもよい。
【０１４２】
いくつかの実現可能な実装形態では、UEが時間周波数リソースを解放した後、時間周波数リソース上でUEに送信されるようにあらかじめ決められたデータは、UEに送信されない。この場合、基地局はデータを再送することができ、再送は、UEにデータを再送すること、または複数のUEにデータを同時に再送することを含む。
【０１４３】
具体的な実装中、基地局は、リソースをスケジュールするための第2のシグナリングを少なくとも1つのUEに送信し、リソースをスケジュールするための第2のシグナリングは、データ再送中にUEセットによって使用される時間周波数リソースを示し、すなわち、時間周波数リソースは、基地局がUEセットに含まれるUE向けのデータ再送を実行するときに使用され、UEセットは少なくとも1つのUEを含み、その結果、少なくとも1つのUEは、リソースをスケジュールするための第2のシグナリング、時間周波数リソース、および割当てリソースに基づいて、データ再送中に少なくとも1つのUEによって使用される第2の時間周波数リソースを特定する。基地局は、UEセットに含まれるUEにデータを再送し、その結果、少なくとも1つのUEは、第2の時間周波数リソース上で搬送され、基地局によって再送されたデータ内にあるデータを受信する、すなわち、基地局は各UEにデータを再送することができる。したがって、基地局は、UEセットに含まれるUEの再送データをUEに送信する。
【０１４４】
データ再送中にUEセットによって使用される時間周波数リソース上で搬送されるデータは、時間周波数リソース上で少なくとも1つのUEに送信されるようにあらかじめ決められたデータを含む。
【０１４５】
いくつかの実現可能な実装形態では、時間周波数リソース上でUEに送信されるようにあらかじめ決められたデータの場合、基地局は、一度にすべてのデータをUEに再送してもよく、バッチで複数回にわたってUEにデータを再送してもよい。リソース解放粒度単位が毎回解放される2つのOFDMシンボルである場合、割当てリソースは、1、2、3、4、5、6、7、8、9、および10の番号が付けられた10個のOFDMシンボルであり、UEによって解放される時間周波数リソースは、3、4、7、および8の番号が付けられた4つのOFDMシンボルであり、4つのOFDMシンボル上でUEに送信されるようにあらかじめ決められたデータを再送するとき、基地局は、4つのOFDMシンボルを使用してデータ再送を直ちに実行することができる。確かに、4つのOFDMシンボル上でUEに送信されるようにあらかじめ決められたデータに対して圧縮処理が実行された後、基地局は、4つ未満のOFDMシンボルを使用して一度にデータを再送することができる。あるいは、データは、2つのOFDMシンボルまたは2つ未満OFDMシンボルをそれぞれ使用することにより、連続的にバッチで複数回にわたって再送されてもよい。たとえば、3および4の番号が付けられた2つのOFDMシンボル上でUEに送信されるようにあらかじめ決められたデータは、2つのOFDMシンボルまたは2つ未満のOFDMシンボルを使用することによって最初に再送され、次いで、7および8の番号が付けられた2つのOFDMシンボル上でUEに送信されるようにあらかじめ決められたデータは、2つのOFDMシンボルまたは2つ未満のOFDMシンボルを使用することによって再送され、その結果、基地局は、4つのOFDMシンボル上でUEに送信されるようにあらかじめ決められたデータをUEに再送する。
【０１４６】
別の例を挙げると、UEセットは、2つのUE：UE1およびUE2を含む。UE1がUEであり、UE1は、3および4の番号が付けられた2つのOFDMシンボル上の5MHzの帯域幅リソースを解放し、UE2は、5および6の番号が付けられた2つのOFDMシンボル上の5MHzの帯域幅リソースを解放すると仮定する。この場合、基地局は、2つのUE：UE1およびUE2にデータを再送する必要があり、データ再送中にUEセットによって使用される時間周波数リソースが、4つのOFDMシンボル上の5MHzの帯域リソースである場合、UE1およびUE2は、それぞれのリソース解放時点に基づいて、対応する第2の時間周波数リソースをそれぞれ取得することができる。UE1の第2の時間周波数リソースは、4つのOFDMシンボル上の5MHzの帯域幅リソースの最初の2つのOFDMシンボル上の5MHzの帯域幅リソースであってもよく、UE2の第2の時間周波数リソースは、4つのOFDMシンボル上の5MHzの帯域幅リソースの最後の2つのOFDMシンボル上の5MHzの帯域幅リソースであってもよく、その結果、UE1は、最初の2つのOFDMシンボル上の5MHzの帯域幅リソース上で搬送されるデータを受信し、UE2は、最後の2つのOFDMシンボル上の5MHzの帯域幅リソース上で搬送されるデータを受信する。確かに、再送データに対して圧縮処理が実行された後、基地局は、OFDMシンボル数および／または帯域幅が削減された後に取得される時間周波数リソースを使用してデータを再送することができる。この場合、UE1およびUE2に対応するそれぞれの第2の時間周波数リソースも、等しい割合で削減される。
【０１４７】
別の例を挙げると、UE1は、3および4の番号が付けられた2つのOFDMシンボル上の5MHzの帯域幅リソースを解放し、UE2も、3および4の番号が付けられた2つのOFDMシンボル上の5MHzの帯域幅リソースを解放し、UE1によって解放された5MHzの帯域幅リソースおよびUE2によって解放された5MHzの帯域幅リソースは、3および4の番号が付けられた2つのOFDMシンボル上の異なる周波数帯域位置をそれぞれ占有する。UE1によって解放された5MHzの帯域幅リソースは、3および4の番号が付けられた2つのOFDMシンボル上の第1の周波数帯域位置に対応し、UE2によって解放された5MHzの帯域幅リソースは、3および4の番号が付けられた2つのOFDMシンボル上の第2の周波数帯域位置に対応すると仮定する。この場合、基地局は、2つのUE、UE1およびUE2にデータを再送する必要があり、データ再送中にUEセットによって使用される時間周波数リソースが、2つのOFDMシンボル上の10MHzの帯域リソースである場合、UE1およびUE2は、それぞれの対応する周波数帯域位置に基づいて、対応する第2の時間周波数リソースをそれぞれ取得することができる。UE1の第2の時間周波数リソースは、2つのOFDMシンボル上の第1の周波数帯域位置に対応する5MHzの帯域幅リソースであってもよく、UE2の第2の時間周波数リソースは、2つのOFDMシンボル上の第2の周波数帯域位置に対応する5MHzの帯域幅リソースであってもよく、その結果、UE1は、2つのOFDMシンボル上の第1の周波数帯域位置に対応する5MHzの帯域幅リソースによって搬送されるデータを受信し、UE2は、2つのOFDMシンボル上の第2の周波数帯域位置に対応する5MHzの帯域幅リソースによって搬送されるデータを受信する。確かに、再送データに対して圧縮処理が実行された後、基地局は、OFDMシンボル数および／または帯域幅が削減された後に取得される時間周波数リソースを使用してデータを再送することができる。この場合、UE1およびUE2に対応するそれぞれの第2の時間周波数リソースも、等しい割合で削減される。
【０１４８】
いくつかの実現可能な実装形態では、第2の時間周波数リソースは、データ再送中にUEセットによって使用される時間周波数リソースの少なくとも一部である。UEセットがそのUE（すなわち、1つのUE）のみを含み、基地局がそのUE向けにのみデータ再送を実行する場合、第2の時間周波数リソースは、データ再送中にUEセットによって使用される時間周波数リソースのすべてであってもよく、またはUEセットがそのUEを含む複数のUEを含み、基地局が複数のUE向けのデータ再送を同時に実行する場合、第2の時間周波数リソースは、データ再送中にUEセットによって使用される時間周波数リソースの一部であってもよい。
【０１４９】
いくつかの実現可能な実装形態では、データ再送中にUEセットによって使用される時間周波数リソース上で搬送されるデータは、リソースを解放するためのシグナリングによって示されたリソース位置の情報に対応する時間周波数リソース上でUEに送信されるようにあらかじめ決められたデータを含む。
【０１５０】
リソースを解放するためのシグナリングを送信するとき、基地局は、リソースを解放するためのシグナリングに対して巡回冗長コード（Cyclic Redundancy Code、CRC）チェックを実行し、無線ネットワーク一時識別子（Radio Network Temporary Identifier RNTI）を使用してリソースを解放するためのシグナリングをスクランブルし、リソースを解放するためのシグナリングの効果的な目標は、異なるRNTIを使用して変更されてもよいことに留意されたい。リソースを解放するためのシグナリングが1つのUEに送信される場合、リソースを解放するためのシグナリングは、そのUE専用のRNTIを使用してスクランブルされ、そのUEのみが、構文解析を介して、リソースを解放するためのシグナリングを取得することができ、またはリソースを解放するためのシグナリングがUEのグループに送信される場合、リソースを解放するためのシグナリングは、UEのグループによって共有されるRNTIを使用してスクランブルされ、したがって、UEのグループに含まれるすべてのUEは、構文解析を介して、リソースを解放するためのシグナリングを取得することができる
【０１５１】
本発明のこの実施形態では、基地局は、リソース位置の情報を示すリソースを解放するためのシグナリングを少なくとも1つのUEに送信し、その結果、少なくとも1つのUEは、リソース位置の情報に基づいて、ネットワーク側によってUEにすでに割り当てられた割当てリソースの中のリソース位置の情報に対応する時間周波数リソースを特定し、時間周波数リソースを解放することができる。1つまたは複数のUEは、基地局の指示に基づいて、割当てリソースのうちのいくつかを解放することができる。したがって、リソース占有重複によって引き起こされる干渉を効果的に低減することができ、データ送信の信頼性を向上させることができる。
【０１５２】
図6を参照すると、図6は、本発明の一実施形態による、リソース管理方法の第6の実施形態の概略フローチャートである。この実施形態に記載されるリソース管理方法は、主に基地局の側から記載され、以下のステップを含む。
【０１５３】
S601．基地局が、少なくとも1つのUEにRRCシグナリングを送信し、RRCシグナリングは事前設定された時間長を搬送する。
【０１５４】
S602．基地局が、少なくとも1つのUEにリソースを解放するためのシグナリングを送信し、リソースを解放するためのシグナリングは、事前設定された時間長に基づいて、ネットワーク側によって少なくとも1つのUEにすでに割り当てられた割当てリソースの中の事前設定された時間長の対象時間期間を特定し、対象時間期間内に少なくとも1つのUEに割り当てられた各周波数を対象周波数として特定し、対象時間期間および対象周波数を解放するように、少なくとも1つのUEに指示するために使用される。
【０１５５】
具体的には、リソースを解放するためのシグナリングは、リソース位置の情報を含まない場合があり、すなわち、解放される必要があるリソースの時間領域サイズおよび周波数領域サイズを示さない場合があり、リソースを解放するためのシグナリングはさらに簡略化され、たとえば、1ビット（bit）を含むだけでもよい。ビットが1にセットされると、それは、構文解析を介して、リソースを解放するためのシグナリングを取得するUEがリソース解放を実行する必要があることを示す。少なくとも1つのUEがデータ送信を実行するとき、基地局がリソースを解放するためのシグナリングを少なくとも1つのUEに送信する前に、基地局は、少なくとも1つのUEに（RRCシグナリングなどの）上位レイヤシグナリングを送信し、上位レイヤシグナリングを使用して、解放される必要があるリソースの時間領域サイズを決定するために使用される事前設定された時間長を少なくとも1つのUEに通知することができるか、または少なくとも1つのUEは、少なくとも1つのUEと基地局との間の通信プロトコルに従って、事前設定された時間長を取得し、時間領域サイズの時間領域リソース上で少なくとも1つのUEに割り当てられたすべての周波数領域リソースが解放される。
【０１５６】
本発明のこの実施形態では、基地局は、少なくとも1つのUEにRRCシグナリングを送信し、少なくとも1つのUEに事前設定された時間長を通知するか、または事前設定された時間長は、少なくとも1つのUEと基地局との間の通信プロトコルに従って少なくとも1つのUEによって取得され、基地局は、少なくとも1つのUEにリソースを解放するためのシグナリングを送信し、リソースを解放するためのシグナリングは、事前設定された時間長に基づいて、ネットワーク側によって少なくとも1つのUEにすでに割り当てられた割当てリソースの中の事前設定された時間長の対象時間期間を特定し、対象時間期間内に少なくとも1つのUEに割り当てられた各周波数を対象周波数として特定し、対象時間期間および対象周波数を解放するように、少なくとも1つのUEに指示するために使用される。1つまたは複数のUEは、基地局の指示に基づいて、割当てリソースのうちのいくつかを解放することができ、リソースを解放するためのシグナリングが簡略化される。したがって、リソース占有重複によって引き起こされる干渉を効果的に低減することができ、データ送信の信頼性を向上させることができ、ネットワークシグナリングの負荷を低減することができる。
【０１５７】
図7を参照すると、図7は、本発明の一実施形態による、UEの概略構造図である。この実施形態に記載されたUE700は、トランシーバ701と、プロセッサ702と、メモリ703と、入出力デバイス704とを備える。プロセッサ702は、バスを使用して、トランシーバ（Transceiver）701、メモリ703、および入出力デバイス704に接続される。
【０１５８】
トランシーバ701は、具体的に、アンテナ705を使用することにより、UEと基地局との間で信号706を受信／送信するように構成された無線周波数受信機または無線周波数チップであってもよい。具体的には、トランシーバ701は、一体化された送信機（Transmitter、TX）および受信機（Receiver、RX）を含んでもよい。プロセッサ702は、具体的に、ベースバンドプロセッサ、ベースバンドチップ、デジタル信号プロセッサ（Digital Signal Processor、DSP）、ベースバンドプロセッサおよびアプリケーションプロセッサを含むシステムオンチップ（SOC）などであってもよい。
【０１５９】
メモリ703は、プログラムコードのセットを記憶するように構成され、プロセッサ702は、メモリ703に記憶されたプログラムコードを呼び出して、以下の動作を実行するように構成される。
【０１６０】
トランシーバ701は、基地局によって送信された、リソースを解放するためのシグナリングを受信するように構成され、リソースを解放するためのシグナリングはリソース位置の情報を示す。
【０１６１】
プロセッサ702は、リソース位置の情報に基づいて、ネットワーク側によってUEにすでに割り当てられた割当てリソースの中のリソース位置の情報に対応する時間周波数リソースを特定し、時間周波数リソースを解放するように構成される。
【０１６２】
いくつかの実現可能な実装形態では、リソース位置の情報が時間領域内の位置の情報および周波数領域内の位置の情報を含む場合、プロセッサ702により、リソース位置の情報に基づいて、ネットワーク側によってUEにすでに割り当てられた割当てリソースの中のリソース位置の情報に対応する時間周波数リソースを特定し、時間周波数リソースを解放することは、
時間領域内の位置の情報および周波数領域内の位置の情報に基づいて、ネットワーク側によってUEにすでに割り当てられた割当てリソースの中の時間領域内の位置の情報に対応する対象時間期間および周波数領域内の位置の情報に対応する対象周波数を特定することと、
対象時間期間および対象周波数から構成される時間周波数リソースを解放することと
を含む。
【０１６３】
いくつかの実現可能な実装形態では、ネットワーク側によってUEにすでに割り当てられた割当てリソースは時間および周波数を含み、リソース位置の情報は時間領域内の位置の情報を含み、プロセッサ702により、リソース位置の情報に基づいて、ネットワーク側によってUEにすでに割り当てられた割当てリソースの中のリソース位置の情報に対応する時間周波数リソースを特定し、時間周波数リソースを解放することは、
時間領域内の位置の情報に基づいて、割当てリソースの中の時間領域内の位置の情報に対応する対象時間期間を特定し、対象時間期間内にUEに割り当てられた各周波数を対象周波数として特定することと、
対象時間期間および対象周波数から構成される時間周波数リソースを解放することと
を含む。
【０１６４】
いくつかの実現可能な実装形態では、リソース位置の情報は周波数領域内の位置の情報を含み、
トランシーバ701は、基地局によって送信された、リソースを解放するためのシグナリングを受信する前に、基地局によって送信されたRRCシグナリングを受信するようにさらに構成され、RRCシグナリングは事前設定された時間長を搬送し、またはプロセッサ702は、UEと基地局との間の通信プロトコルに従って、事前設定された時間長を取得するようにさらに構成され、
プロセッサ702により、リソース位置の情報に基づいて、ネットワーク側によってUEにすでに割り当てられた割当てリソースの中のリソース位置の情報に対応する時間周波数リソースを特定し、時間周波数リソースを解放することは、
事前設定された時間長および周波数領域内の位置の情報に基づいて、ネットワーク側によってUEにすでに割り当てられた割当てリソースの中の事前設定された時間長の対象時間期間および周波数領域内の位置の情報に対応する対象周波数を特定することと、
対象時間期間および対象周波数から構成される時間周波数リソースを解放することと
を含む。
【０１６５】
いくつかの実現可能な実装形態では、ネットワーク側によってUEにすでに割り当てられた割当てリソースはK個のbundlingTTIを含み、K個のbundlingTTIは、同じデータブロックまたはK個のデータブロックのK個のRVを搬送するために使用され、対象周波数は、K個のbundlingTTI内の対象TTI内でUEに割り当てられた周波数の一部またはすべてである。
【０１６６】
プロセッサ702は、対象TTIの解放部分をパンクチャするようにさらに構成され、
トランシーバ701は、新しいレートマッチングパラメータを使用して対象TTIの非解放部分で、対象TTI内で搬送されるRVもしくはデータブロックを送受信するようにさらに構成されるか、または
トランシーバ701は、新しいTBSを使用して非解放部分で、対象TTI内で搬送されるデータブロックを送受信するようにさらに構成される。
【０１６７】
いくつかの実現可能な実装形態では、トランシーバ701は、対象TTIの後の次に利用可能なTTI内で、対象TTI内で搬送されるRVまたはデータブロックを送受信するようにさらに構成される。
【０１６８】
いくつかの実現可能な実装形態では、トランシーバ701は、K個のbundlingTTIの後の次に利用可能なTTI内で、K個のRVのうちの最後のRVまたはK個のデータブロックのうちの最後のデータブロックを送受信するようにさらに構成される。
【０１６９】
いくつかの実現可能な実装形態では、ネットワーク側によってUEにすでに割り当てられた割当てリソースはSPSリソースを含み、対象周波数は、SPSリソースの中の対象TTI内でUEに割り当てられた周波数の一部またはすべてである。
【０１７０】
プロセッサ702は、対象TTIの解放部分をパンクチャするようにさらに構成され、
トランシーバ701は、新しいレートマッチングパラメータを使用して対象TTIの非解放部分で、対象TTI内で搬送されるデータブロックを送受信するようにさらに構成されるか、または
トランシーバ701は、新しいTBSを使用して非解放部分で、対象TTI内で搬送されるデータブロックを送受信するようにさらに構成される。
【０１７１】
いくつかの実現可能な実装形態では、プロセッサ702は、割当てリソースが事前設定された第1の時間周波数リソースと重複するかどうかに基づいて、リソースを解放するためのシグナリングを受信するべきかどうかを実行するようにさらに構成され、
トランシーバ701は、具体的に、割当てリソースが第1の時間周波数リソースと重複する場合、リソースを解放するためのシグナリングを受信し、または割当てリソースが第1の時間周波数リソースと重複しない場合、リソースを解放するためのシグナリングを受信することをスキップするようにさらに構成され、
第1の時間周波数リソースは、基地局が解放できるリソースである。
【０１７２】
いくつかの実現可能な実装形態では、リソースを解放するためのシグナリングの送信時点は、時間周波数リソースが位置する時間期間内に位置するか、
リソースを解放するためのシグナリングの送信時点は、割当てリソースが位置する時間期間内に位置するか、または
リソースを解放するためのシグナリングの送信時点は、割当てリソースが位置する時間期間の後に位置する。
【０１７３】
いくつかの実現可能な実装形態では、リソースを解放するためのシグナリングの送信時点は、時間周波数リソースが位置する時間期間内に位置し、リソースを解放するためのシグナリングをトランシーバ701が受信する時点は、基地局によって送信された、リソースをスケジュールするための第1のシグナリングをトランシーバ701が受信する時点の後に位置し、リソースを解放するためのシグナリングが受信される時点とリソースをスケジュールするための第1のシグナリングが受信される時点との間に第1の時間間隔が存在し、リソースをスケジュールするための第1のシグナリングは、ネットワーク側によってすでに割り当てられた割当てリソースを示す。
【０１７４】
いくつかの実現可能な実装形態では、リソースをスケジュールするための第1のシグナリングは、第1の時間間隔内で時間周波数リソースを解放するために使用されるリソース位置の情報をさらに示す。
【０１７５】
いくつかの実現可能な実装形態では、トランシーバ701は、基地局によって送信された、リソースをスケジュールするための第2のシグナリングを受信するようにさらに構成され、リソースをスケジュールするための第2のシグナリングは、データ再送中にUEセットによって使用される時間周波数リソースを示し、UEセットは少なくともそのUEを含み、
プロセッサ702は、リソースをスケジュールするための第2のシグナリング、時間周波数リソース、および割当てリソースに基づいて、第2の時間周波数リソースを特定するようにさらに構成され、
トランシーバ701は、第2の時間周波数リソース上で搬送され、基地局によって再送されたデータ内にあるデータを受信するようにさらに構成される。
【０１７６】
いくつかの実現可能な実装形態では、リソースを解放するためのシグナリングをトランシーバ701が受信する時点およびリソースをスケジュールするための第2のシグナリングをトランシーバ701が受信する時点は、同じ時間期間内にあるか、または
リソースをスケジュールするための第2のシグナリングをトランシーバ701が受信する時点は、リソースを解放するためのシグナリングをトランシーバ701が受信する時点の後に位置する。
【０１７７】
いくつかの実現可能な実装形態では、第2の時間周波数リソースは、データ再送中にUEセットによって使用される時間周波数リソースの少なくとも一部である。
【０１７８】
いくつかの実現可能な実装形態では、データ再送中にUEセットによって使用される時間周波数リソース上で搬送されるデータは、時間周波数リソース上でUEに送信されるようにあらかじめ決められたデータを含む。
【０１７９】
いくつかの実現可能な実装形態では、トランシーバ701は、基地局によって送信されたRRCシグナリングを受信するように構成され、RRCシグナリングは事前設定された時間長を搬送するか、またはプロセッサ702は、UEと基地局との間の通信プロトコルに従って、事前設定された時間長を取得するように構成される。
【０１８０】
トランシーバ701は、基地局によって送信された、リソースを解放するためのシグナリングを受信するようにさらに構成され、リソースを解放するためのシグナリングは、リソース解放を実行するようにUEに指示するために使用される。
【０１８１】
プロセッサ702は、事前設定された時間長に基づいて、ネットワーク側によってUEにすでに割り当てられた割当てリソースの中の事前設定された時間長の対象時間期間を特定し、対象時間期間内にUEに割り当てられた各周波数を対象周波数として特定するようにさらに構成される。
【０１８２】
プロセッサ702は、対象時間期間および対象周波数を解放するようにさらに構成される。
【０１８３】
本発明のこの実施形態では、UEは、基地局によって送信された、リソースを解放するためのシグナリングを受信することであって、リソースを解放するためのシグナリングがリソース位置の情報を示す、受信することと、リソース位置の情報に基づいて、ネットワーク側によってUEにすでに割り当てられた割当てリソースの中のリソース位置の情報に対応する時間周波数リソースを特定し、次いで、時間周波数リソースを解放することとを行う。UEは、基地局の指示に基づいて、割当てリソースのうちのいくつかを解放することができる。したがって、リソース占有重複によって引き起こされる干渉を効果的に低減することができ、データ送信の信頼性を向上させることができる。
【０１８４】
場合によっては、プロセッサ702は、対象時間期間および対象周波数が第1の時間周波数リソースと重複するかどうかを判定するようにさらに構成され、対象時間期間および対象周波数の中の少なくとも1つの時間周波数サブリソースが第1の時間周波数リソースと重複する場合、プロセッサ702は、時間周波数サブリソースを解放しないが、少なくとも1つの時間周波数サブリソース以外の、対象時間期間および対象周波数の中にあるサブリソースを解放する。対象時間期間および対象周波数は1つの時間周波数リソースと見なされてもよく、第1の時間周波数リソースの時間周波数位置は、通常、UEが位置するサービングセル内のすべてのUEによって一般に知られていることに留意されたい。たとえば、第1の時間周波数リソースは、共通信号を送信するために使用される時間周波数リソースであってもよい。たとえば、第1の時間周波数リソースは、セル固有基準信号（Cell−specific Reference Signal、CRS）、同期信号（Synchronization Signal）、またはディスカバリ信号（Discovery signal）などの共通信号を送信するための時間周波数リソースであってもよい。あるいは、第1の時間周波数リソースは、物理ブロードキャストチャネル（Physical Broadcast Channel、PBCH）などの共通チャネルであってもよい。第1の時間周波数リソースは、アップリンク送信用の共通リソース、たとえば、物理ランダムアクセスチャネル（Physical Random Access Channel、PRACH）の時間周波数リソースであってもよい。第1の時間周波数リソースは、代替として、UEの復調基準信号（Demodulation RS、DMRS）およびサウンディング基準信号（Sounding RS、SRS）を送信するための時間周波数リソースであってもよい。
【０１８５】
図8を参照すると、図8は、本発明の一実施形態による、基地局の概略構造図である。この実施形態に記載された基地局800は、送信機801と、プロセッサ802と、メモリ803とを含む。プロセッサ802は、バスを使用して送信機801およびメモリ803に接続される。
【０１８６】
送信機801は、具体的に、アンテナ804を使用してUEに信号805を送信するように構成された、送信機を含む無線周波数チップであってもよい。プロセッサ802は、具体的に、ベースバンドプロセッサ、ベースバンドチップ、DSP、ベースバンドプロセッサおよびアプリケーションプロセッサを含むSOCなどであってもよい。
【０１８７】
メモリ803は、プログラムコードのセットを記憶するように構成され、プロセッサ802は、メモリ803に記憶されたプログラムコードを呼び出して、以下の動作を実行するように送信機801を制御するように構成される。
【０１８８】
送信機801は、リソース位置の情報を示すリソースを解放するためのシグナリングを少なくとも1つのUEに送信するように構成され、リソースを解放するためのシグナリングは、リソース位置の情報に基づいて、ネットワーク側によってUEにすでに割り当てられた割当てリソースの中のリソース位置の情報に対応する時間周波数リソースを特定し、時間周波数リソースを解放するように少なくとも1つのUEに指示するために使用される。
【０１８９】
いくつかの実現可能な実装形態では、リソースを解放するためのシグナリングの送信時点は、時間周波数リソースが位置する時間期間内に位置するか、
リソースを解放するためのシグナリングの送信時点は、割当てリソースが位置する時間期間内に位置するか、または
リソースを解放するためのシグナリングの送信時点は、割当てリソースが位置する時間期間の後に位置する。
【０１９０】
いくつかの実現可能な実装形態では、送信機801は、リソースをスケジュールするための第2のシグナリングを少なくとも1つのUEに送信することであって、リソースをスケジュールするための第2のシグナリングが、データ再送中にUEセットによって使用される時間周波数リソースを示し、UEセットが少なくとも1つのUEを含み、リソースをスケジュールするための第2のシグナリング、時間周波数リソース、および割当てリソースに基づいて、第2の時間周波数リソースを特定するように少なくとも1つのUEに指示する、送信することを行うようにさらに構成され
送信機801は、UEセットにデータを再送するようにさらに構成され、その結果、少なくとも1つのUEは、第2の時間周波数リソース上で搬送され、送信機801によって再送されたデータ内にあるデータを受信する。
【０１９１】
いくつかの実現可能な実装形態では、第2の時間周波数リソースは、データ再送中にUEセットによって使用される時間周波数リソースの少なくとも一部である。
【０１９２】
いくつかの実現可能な実装形態では、データ再送中にUEセットによって使用される時間周波数リソース上で搬送されるデータは、時間周波数リソース上で少なくとも1つのUEに送信されるようにあらかじめ決められたデータを含む。
【０１９３】
いくつかの実現可能な実装形態では、送信機801は、少なくとも1つのUEにRRCシグナリングを送信するように構成され、RRCシグナリングは事前設定された時間長を搬送する。
【０１９４】
送信機801は、少なくとも1つのUEにリソースを解放するためのシグナリングを送信するようにさらに構成され、リソースを解放するためのシグナリングは、事前設定された時間長に基づいて、ネットワーク側によって少なくとも1つのUEにすでに割り当てられた割当てリソースの中の事前設定された時間長の対象時間期間を特定し、対象時間期間内に少なくとも1つのUEに割り当てられた各周波数を対象周波数として特定し、対象時間期間および対象周波数を解放するように、少なくとも1つのUEに指示するために使用される。
【０１９５】
本発明のこの実施形態では、基地局は、リソース位置の情報を示すリソースを解放するためのシグナリングを少なくとも1つのUEに送信し、その結果、少なくとも1つのUEは、リソース位置の情報に基づいて、ネットワーク側によってUEにすでに割り当てられた割当てリソースの中のリソース位置の情報に対応する時間周波数リソースを特定し、時間周波数リソースを解放することができる。1つまたは複数のUEは、基地局の指示に基づいて、割当てリソースのうちのいくつかを解放することができる。したがって、リソース占有重複によって引き起こされる干渉を効果的に低減することができ、データ送信の信頼性を向上させることができる。
【０１９６】
当業者は、実施形態における方法のプロセスのうちのすべてまたは一部が、関連するハードウェアに命令するコンピュータプログラムによって実装されてもよいことを理解することができる。プログラムはコンピュータ可読記憶媒体に記憶されてもよい。プログラムが実行されると、実施形態における方法のプロセスが実施される。前述の記憶媒体は、磁気ディスク、光ディスク、読取り専用メモリ（Read−Only Memory、ROM）、ランダムアクセスメモリ（Random Access Memory、略してRAM）などであってもよい。
【０１９７】
本発明の実施形態において提供されるリソース管理方法および関連デバイスが、上記で詳細に記載された。この明細書では、本発明の原理および実装形態を記載するために具体例が使用され、実施形態の説明は、本発明の方法および核となる概念の理解を助けるものであるにすぎない。一方、当業者は、本発明の概念に基づいて、具体的な実装形態および適用範囲に対して修正を行うことができる。したがって、この明細書の内容は、本発明に対する制限として解釈されるべきではない。
【符号の説明】
【０１９８】
700  UE
701  トランシーバ
702  プロセッサ
703  メモリ
704  入出力デバイス
705  アンテナ
706  信号
800  基地局
801  送信機
802  プロセッサ
803  メモリ
804  アンテナ
805  信号
【手続補正２】
【補正対象書類名】特許請求の範囲
【補正対象項目名】全文
【補正方法】変更
【補正の内容】
【特許請求の範囲】
【請求項１】
リソース管理方法であって、
ユーザ機器(UE)により、基地局によって送信された、リソースを解放するためのシグナリングを受信するステップであって、リソースを解放するための前記シグナリングがリソース位置の情報を示す、ステップと、
前記UEにより、リソース位置の前記情報に基づいて、ネットワーク側によって前記UEにすでに割り当てられた割当てリソースの中のリソース位置の前記情報に対応する時間周波数リソースを特定し、前記時間周波数リソースを解放するステップと
を備える、リソース管理方法。
【請求項２】
リソース位置の前記情報が、時間領域内の位置の情報、周波数領域内の位置の情報、およびキャリアインジケータのうちの少なくとも1つを備える、請求項1に記載の方法。
【請求項３】
リソース位置の前記情報が時間領域内の位置の前記情報および周波数領域内の位置の前記情報を備える場合、前記UEにより、リソース位置の前記情報に基づいて、ネットワーク側によって前記UEにすでに割り当てられた割当てリソースの中のリソース位置の前記情報に対応する時間周波数リソースを特定し、前記時間周波数リソースを解放する前記ステップが、
前記UEにより、時間領域内の位置の前記情報および周波数領域内の位置の前記情報に基づいて、前記ネットワーク側によって前記UEにすでに割り当てられた前記割当てリソースの中の時間領域内の位置の前記情報に対応する対象時間期間および周波数領域内の位置の前記情報に対応する対象周波数を特定するステップと、
前記UEにより、前記対象時間期間および前記対象周波数から構成される前記時間周波数リソースを解放するステップと
を備える、請求項2に記載の方法。
【請求項４】
前記ネットワーク側によって前記UEにすでに割り当てられた前記割当てリソースが時間および周波数を備え、リソース位置の前記情報が時間領域内の位置の前記情報を備える場合、前記UEにより、リソース位置の前記情報に基づいて、ネットワーク側によって前記UEにすでに割り当てられた割当てリソースの中のリソース位置の前記情報に対応する時間周波数リソースを特定し、前記時間周波数リソースを解放する前記ステップが、
前記UEにより、時間領域内の位置の前記情報に基づいて、前記割当てリソースの中の時間領域内の位置の前記情報に対応する対象時間期間を特定し、前記対象時間期間内に前記UEに割り当てられた各周波数を対象周波数として特定するステップと、
前記UEにより、前記対象時間期間および前記対象周波数から構成される前記時間周波数リソースを解放するステップと
を備える、請求項2に記載の方法。
【請求項５】
時間領域内の位置の前記情報が、直交周波数分割多重(OFDM)シンボルの数を備える、
請求項3または4に記載の方法。
【請求項６】
前記UEにより、前記対象時間期間および前記対象周波数から構成される前記時間周波数リソースが、第1の時間周波数リソースと重複するかどうかを判定するステップと、前記対象時間期間および前記対象周波数から構成される前記時間周波数リソース内の少なくとも1つの時間周波数サブリソースが、前記第1の時間周波数リソースと重複する場合、前記UEにより、前記少なくとも1つの時間周波数サブリソース以外の、前記対象時間期間および前記対象周波数から構成される前記時間周波数リソース内にある残りの時間周波数サブリソースを解放するステップであって、前記第1の時間周波数リソースの時間周波数位置が、前記UEが位置するサービングセル内のすべてのUEによって一般に知られている、ステップと
をさらに備える、請求項3から5のいずれか一項に記載の方法。
【請求項７】
前記ネットワーク側によって前記UEにすでに割り当てられた前記割当てリソースがK個のbundling送信時間間隔(TTI)を備え、前記K個のbundlingTTIが、同じデータブロックのK個の冗長バージョン(RV)を搬送するために使用され、前記対象周波数が、前記K個のbundlingTTI内の対象TTI内で前記UEに割り当てられた周波数の一部またはすべてであり、Kが1より大きい整数である、請求項1から4のいずれか一項に記載の方法。
【請求項８】
前記ネットワーク側によって前記UEにすでに割り当てられた前記割当てリソースが、半永続的スケジューリング(SPS)リソースを備え、前記対象周波数が、前記SPSリソースの中の対象TTI内で前記UEに割り当てられた周波数の一部またはすべてである、
請求項1から4のいずれか一項に記載の方法。
【請求項９】
前記UEにより、前記対象TTIの解放部分をパンクチャするステップ
をさらに備える、請求項7または8に記載の方法。
【請求項１０】
リソース管理方法であって、
ユーザ機器(UE)により、事前設定された時間長を取得するステップと、
前記UEにより、基地局によって送信された、リソースを解放するためのシグナリングを受信するステップであって、リソースを解放するための前記シグナリングが、リソース解放を実行するように前記UEに指示するために使用される、ステップと、
前記UEにより、前記事前設定された時間長に基づいて、ネットワーク側によって前記UEにすでに割り当てられた割当てリソースの中の前記事前設定された時間長の対象時間期間を特定し、前記対象時間期間内に前記UEに割り当てられた各周波数を対象周波数として特定するステップと、
前記UEにより、前記対象時間期間および前記対象周波数を解放するステップと
を備える、方法。
【請求項１１】
UEにより、事前設定された時間長を取得する前記ステップが、
前記UEにより、前記基地局によって送信された無線リソース制御(RRC)シグナリングを受信するステップであって、前記RRCシグナリングが前記事前設定された時間長を搬送する、ステップ
を備える、請求項10に記載の方法。
【請求項１２】
前記UEにより、前記対象時間期間および前記対象周波数から構成される前記時間周波数リソースが、第1の時間周波数リソースと重複するかどうかを判定するステップと、前記対象時間期間および前記対象周波数から構成される前記時間周波数リソース内の少なくとも1つの時間周波数サブリソースが、前記第1の時間周波数リソースと重複する場合、前記UEにより、前記少なくとも1つの時間周波数サブリソース以外の、前記対象時間期間および前記対象周波数から構成される前記時間周波数リソース内にある残りの時間周波数サブリソースを解放するステップであって、前記第1の時間周波数リソースの時間周波数位置が、前記UEが位置するサービングセル内のすべてのUEによって一般に知られている、ステップと
をさらに備える、請求項10または11に記載の方法。
【請求項１３】
リソース管理方法であって、
基地局により、リソース位置の情報を示すリソースを解放するためのシグナリングを少なくとも1つのUEに送信するステップであって、リソースを解放するための前記シグナリングが、リソース位置の前記情報に基づいて、ネットワーク側によって前記少なくとも1つのUEにすでに割り当てられた割当てリソースの中のリソース位置の前記情報に対応する時間周波数リソースを特定し、前記時間周波数リソースを解放するように前記少なくとも1つのUEに指示するために使用される、ステップ
を備える、方法。
【請求項１４】
リソース位置の前記情報が、時間領域内の位置の情報、周波数領域内の位置の情報、およびキャリアインジケータのうちの少なくとも1つを備える、請求項13に記載の方法。
【請求項１５】
リソース管理方法であって、
基地局により、少なくとも1つのUEに無線リソース制御(RRC)シグナリングを送信するステップであって、前記RRCシグナリングが事前設定された時間長を搬送する、ステップと、
前記基地局により、前記少なくとも1つのUEにリソースを解放するためのシグナリングを送信するステップであって、リソースを解放するための前記シグナリングが、前記事前設定された時間長に基づいて、ネットワーク側によって前記少なくとも1つのUEにすでに割り当てられた割当てリソースの中の前記事前設定された時間長の対象時間期間を特定し、前記対象時間期間内に前記少なくとも1つのUEに割り当てられた各周波数を対象周波数として特定し、前記対象時間期間および前記対象周波数を解放するように、前記少なくとも1つのUEに指示するために使用される、ステップと
を備える、方法。
【請求項１６】
ユーザ機器(UE)であって、
基地局によって送信された、リソースを解放するためのシグナリングを受信するように構成されたトランシーバであって、リソースを解放するための前記シグナリングがリソース位置の情報を示す、トランシーバと、
リソース位置の前記情報に基づいて、ネットワーク側によって前記UEにすでに割り当てられた割当てリソースの中のリソース位置の前記情報に対応する時間周波数リソースを特定し、前記時間周波数リソースを解放するように構成されたプロセッサと
を備える、UE。
【請求項１７】
リソース位置の前記情報が、時間領域内の位置の情報、周波数領域内の位置の情報、およびキャリアインジケータのうちの少なくとも1つを備える、請求項16に記載のUE。
【請求項１８】
リソース位置の前記情報が時間領域内の位置の前記情報および周波数領域内の位置の前記情報を備える場合、前記プロセッサは、
時間領域内の位置の前記情報および周波数領域内の位置の前記情報に基づいて、前記ネットワーク側によって前記UEにすでに割り当てられた前記割当てリソースの中の時間領域内の位置の前記情報に対応する対象時間期間および周波数領域内の位置の前記情報に対応する対象周波数を特定し、
前記対象時間期間および前記対象周波数から構成される前記時間周波数リソースを解放する
ように特に構成されている、請求項17に記載のUE。
【請求項１９】
前記ネットワーク側によって前記UEにすでに割り当てられた前記割当てリソースが時間および周波数を備え、リソース位置の前記情報が時間領域内の位置の前記情報を備える場合、前記プロセッサは、
時間領域内の位置の前記情報に基づいて、前記割当てリソースの中の時間領域内の位置の前記情報に対応する対象時間期間を特定し、前記対象時間期間内に前記UEに割り当てられた各周波数を対象周波数として特定し、
前記対象時間期間および前記対象周波数から構成される前記時間周波数リソースを解放する
ように特に構成されている、請求項17に記載のUE。
【請求項２０】
時間領域内の位置の前記情報が、直交周波数分割多重(OFDM)シンボルの数を備える、
請求項18または19に記載のUE。
【請求項２１】
前記プロセッサが、前記対象時間期間および前記対象周波数から構成される前記時間周波数リソースが、第1の時間周波数リソースと重複するかどうかを判定するようにさらに構成され、
前記対象時間期間および前記対象周波数から構成される前記時間周波数リソース内の少なくとも1つの時間周波数サブリソースが、前記第1の時間周波数リソースと重複する場合、前記少なくとも1つの時間周波数サブリソース以外の、前記対象時間期間および前記対象周波数から構成される前記時間周波数リソース内にある残りの時間周波数サブリソースを解放し、前記第1の時間周波数リソースの時間周波数位置が、前記UEが位置するサービングセル内のすべてのUEによって一般に知られている、
請求項18から20のいずれか一項に記載のUE。
【請求項２２】
前記ネットワーク側によって前記UEにすでに割り当てられた前記割当てリソースがK個のbundling送信時間間隔(TTI)を備え、前記K個のbundlingTTIが、同じデータブロックのK個の冗長バージョン(RV)を搬送するために使用され、前記対象周波数が、前記K個のbundlingTTI内の対象TTI内で前記UEに割り当てられた周波数の一部またはすべてであり、Kが1より大きい整数である、請求項16から19のいずれか一項に記載のUE。
【請求項２３】
前記ネットワーク側によって前記UEにすでに割り当てられた前記割当てリソースが、半永続的スケジューリング(SPS)リソースを備え、前記対象周波数が、前記SPSリソースの中の対象TTI内で前記UEに割り当てられた周波数の一部またはすべてである、
請求項16から19のいずれか一項に記載のUE。
【請求項２４】
前記プロセッサが、前記対象TTIの解放部分をパンクチャするようにさらに構成される、
請求項22または23に記載のUE。
【請求項２５】
ユーザ機器(UE)であって、
事前設定された時間長を取得するように構成されたプロセッサと、
基地局によって送信された、リソースを解放するためのシグナリングを受信するように構成されたトランシーバであって、リソースを解放するための前記シグナリングが、リソース解放を実行するように前記UEに指示するために使用される、トランシーバと
を備え
前記プロセッサが、前記事前設定された時間長に基づいて、ネットワーク側によって前記UEにすでに割り当てられた割当てリソースの中の前記事前設定された時間長の対象時間期間を特定し、前記対象時間期間内に前記UEに割り当てられた各周波数を対象周波数として特定するようにさらに構成され、
前記プロセッサが、前記対象時間期間および前記対象周波数を解放するようにさらに構成される、
UE。
【請求項２６】
前記プロセッサが、前記対象時間期間および前記対象周波数から構成される前記時間周波数リソースが、第1の時間周波数リソースと重複するかどうかを判定するようにさらに構成され、
前記対象時間期間および前記対象周波数から構成される前記時間周波数リソース内の少なくとも1つの時間周波数サブリソースが、前記第1の時間周波数リソースと重複する場合、前記少なくとも1つの時間周波数サブリソース以外の、前記対象時間期間および前記対象周波数から構成される前記時間周波数リソース内にある残りの時間周波数サブリソースを解放し、前記第1の時間周波数リソースの時間周波数位置が、前記UEが位置するサービングセル内のすべてのUEによって一般に知られている、
請求項25に記載のUE。
【請求項２７】
基地局であって、
リソース位置の情報を示すリソースを解放するためのシグナリングを少なくとも1つのユーザ機器(UE)に送信するように構成された送信機であって、リソースを解放するための前記シグナリングが、リソース位置の前記情報に基づいて、ネットワーク側によって前記少なくとも1つのUEにすでに割り当てられた割当てリソースの中のリソース位置の前記情報に対応する時間周波数リソースを特定し、前記時間周波数リソースを解放するように前記少なくとも1つのUEに指示するために使用される、送信機
を備える、基地局。
【請求項２８】
リソース位置の前記情報が、時間領域内の位置の情報、周波数領域内の位置の情報、およびキャリアインジケータのうちの少なくとも1つを備える、請求項27に記載の基地局。
【請求項２９】
少なくとも1つのUEに無線リソース制御(RRC)シグナリングを送信するように構成された送信機であって、前記RRCシグナリングが事前設定された時間長を搬送する、送信機
を備える、基地局であって、
前記送信機が、前記少なくとも1つのUEにリソースを解放するためのシグナリングを送信するようにさらに構成され、リソースを解放するための前記シグナリングが、前記事前設定された時間長に基づいて、ネットワーク側によって前記少なくとも1つのUEにすでに割り当てられた割当てリソースの中の前記事前設定された時間長の対象時間期間を特定し、前記対象時間期間内に前記少なくとも1つのUEに割り当てられた各周波数を対象周波数として特定し、前記対象時間期間および前記対象周波数を解放するように、前記少なくとも1つのUEに指示するために使用される、
基地局。
【請求項３０】
コンピュータによって実行されたとき、請求項1から15のいずれか一項の方法をコンピュータに実行させる命令を含むコンピュータ可読記憶媒体。
【請求項３１】
コンピュータによって実行されたとき、請求項1から15のいずれか一項の方法をコンピュータに実行させる命令を含むプログラム。
【国際調査報告】
2019510431.tif 000011
2019510431.tif 000012
2019510431.tif 000013
2019510431.tif 000014